(57)【要約】画像データの再生に用いられる基本レイヤ、および補助レイヤの各レイヤについての選択的コピー許可を可能とした構成を実現する。メディア間のデータコピー処理を実行するコピー実行装置が、画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、各レイヤについてコピーが許容されるか否かを判定し、コピーが許容されるレイヤデータ、またはコピー許容レイヤデータに基づいて生成される画像データを選択して、第２メディアにコピーする処理を行なう。
2017002540.tif 000002
【特許請求の範囲】
【請求項１】
第１メディアの記録データを第２メディアに記録するコピー処理を実行するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理装置。
【請求項２】
前記データ処理部は、
前記ダイナミックレンジスケーラビリティ制限情報の設定が、
（ａ）基本レイヤのみコピーすることを許容、
（ｂ）基本レイヤと補助レイヤとの双方のコピーを許容、
（ｃ）ダイナミックレンジスケーラビリティを持つストリームのコピーを許容しない、
上記（ａ）〜（ｃ）のいずれであるかを判別し、判別結果に応じて、コピーが許容されると判定されたレイヤデータを選択して前記第２メディアに対するコピー処理を行う請求項１に記載の情報処理装置。
【請求項３】
前記データ処理部は、
前記ダイナミックレンジスケーラビリティ制限情報の設定が、
（ｂ）基本レイヤと補助レイヤとの双方のコピーを許容、
上記（ｂ）の設定である場合、
コピー処理実行装置、およびコピー先メディアからのデータ再生を実行する再生装置が、補助レイヤを解釈可能であるか否かを判定し、
いずれの装置も補助レイヤを解釈可能であると判定されたことを条件として、補助レイヤのコピー処理を実行する請求項２に記載の情報処理装置。
【請求項４】
前記データ処理部は、
前記ダイナミックレンジスケーラビリティ制限情報の設定が、
（ｂ）基本レイヤと補助レイヤとの双方のコピーを許容、
上記（ｂ）の設定である場合、
コピー処理実行装置、およびコピー先メディアからのデータ再生を実行する再生装置が、補助レイヤを解釈可能であるか否かを判定し、
コピー処理実行装置のみが補助レイヤを解釈可能であると判定された場合、基本レイヤと補助レイヤから合成画像を生成し、生成した合成画像のコピー処理を実行する請求項２に記載の情報処理装置。
【請求項５】
前記基本レイヤと補助レイヤの２つのレイヤを利用して再生可能な画像は、ＨＤＲ（Ｈｉｇｈ  Ｄｙｎａｍｉｃ  Ｒａｎｇｅ）画像である請求項１に記載の情報処理装置。
【請求項６】
前記基本レイヤと補助レイヤの２つのレイヤは、
基本レイヤが、１０ビット深度の符号化画像データ、
補助レイヤが、１２ビット深度に拡張するための補助データ、
これらのデータの組み合わせである請求項１に記載の情報処理装置。
【請求項７】
前記基本レイヤと補助レイヤの２つのレイヤは、
基本レイヤが、ＳＤＲ（Ｓｔａｎｄａｒｄ  Ｄｙｎａｍｉｃ  Ｒａｎｇｅ）画像符号化データ、
補助レイヤが、ＨＤＲ（Ｈｉｇｈ  Ｄｙｎａｍｉｃ  Ｒａｎｇｅ）画像生成用の補助データ、
これらのデータの組み合わせである請求項１に記載の情報処理装置。
【請求項８】
前記データ処理部は、
前記第２メディアからのコピーデータの再生を実行する再生装置が、前記ダイナミックレンジスケーラビリティ制限情報を再生許容情報として利用した再生制御が可能である場合に、前記ダイナミックレンジスケーラビリティ制限情報を含む属性ファイルを生成して、生成した属性ファイルを前記コピーデータとともに前記第２メディアに記録する請求項1に記載の情報処理装置。
【請求項９】
画像データの再生に用いられる基本レイヤ、および補助レイヤの各レイヤデータと、
各レイヤを利用した再生処理が許容されるか否かを記録したダイナミックレンジスケーラビリティ制限情報を記録した情報記録媒体であり、
再生装置が、前記情報記録媒体からデータ再生を行なう際に、
前記ダイナミックレンジスケーラビリティ制限情報を参照して、再生の許容されたレイヤデータのみを選択して再生することを可能とした情報記録媒体。
【請求項１０】
前記ダイナミックレンジスケーラビリティ制限情報の設定は、
（ａ）基本レイヤのみ再生を許容、
（ｂ）基本レイヤと補助レイヤとの双方を利用した再生を許容、
（ｃ）ダイナミックレンジスケーラビリティを持つストリームの再生を許容しない、
上記（ａ）〜（ｃ）のいずれかの設定である請求項９に記載の情報記録媒体。
【請求項１１】
第１メディアの記録データを第２メディアに記録するコピー処理を実行するコピー実行装置に対して、コピー制限情報を提供するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信するコピー管理サーバ。
【請求項１２】
前記データ処理部は、
前記ダイナミックレンジスケーラビリティ制限情報の設定を、
（ａ）基本レイヤのみコピーすることを許容、
（ｂ）基本レイヤと補助レイヤとの双方のコピーを許容、
（ｃ）ダイナミックレンジスケーラビリティを持つストリームのコピーを許容しない、
上記（ａ）〜（ｃ）のいずれかの設定としたダイナミックレンジスケーラビリティ制限情報を含むコピー制限情報を生成して前記コピー実行装置に送信する請求項１１に記載のコピー管理サーバ。
【請求項１３】
コピー管理サーバと、コピー実行装置を有する情報処理システムであり、
前記コピー管理サーバは、
前記コピー実行装置に対するコピー管理情報の提供処理を実行し、
前記コピー管理情報は、画像データの再生に用いられる基本レイヤ、および補助レイヤの各レイヤについて、コピーが許容されるか否かを記録したコピー制限情報であるダイナミックレンジスケーラビリティ制限情報を含み、
前記コピー実行装置は、
第１メディアの記録データを第２メディアに記録するコピー処理を実行するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報を前記コピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理システム。
【請求項１４】
前記コピー実行装置のデータ処理部は、
前記ダイナミックレンジスケーラビリティ制限情報の設定が、
（ａ）基本レイヤのみコピーすることを許容、
（ｂ）基本レイヤと補助レイヤとの双方のコピーを許容、
（ｃ）ダイナミックレンジスケーラビリティを持つストリームのコピーを許容しない、
上記（ａ）〜（ｃ）のいずれであるかを判別し、判別結果に応じて、コピーが許容されると判定されたレイヤデータを選択して前記第２メディアに対するコピー処理を行う請求項１３に記載の情報処理システム。
【請求項１５】
情報処理装置において実行する情報処理方法であり、
前記情報処理装置は、第１メディアの記録データを第２メディアに記録するコピー処理を実行するデータ処理部を有し、
前記データ処理部が、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理方法。
【請求項１６】
コピー管理サーバにおいて実行する情報処理方法であり、
前記コピー管理サーバは、第１メディアの記録データを第２メディアに記録するコピー処理を実行するコピー実行装置に対して、コピー制限情報を提供するデータ処理部を有し、
前記データ処理部が、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信する情報処理方法。
【請求項１７】
情報処理装置において情報処理を実行させるプログラムであり、
前記情報処理装置は、第１メディアの記録データを第２メディアに記録するコピー処理を実行するデータ処理部を有し、
前記プログラムは、前記データ処理部に、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信する処理と、
前記第１メディアに、基本レイヤと補助レイヤによって生成可能な画像データが記録されている場合、前記ダイナミックレンジスケーラビリティ制限情報を参照する処理と、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピーする処理を実行させるプログラム。
【請求項１８】
コピー管理サーバにおいて情報処理を実行させるプログラムであり、
前記コピー管理サーバは、第１メディアの記録データを第２メディアに記録するコピー処理を実行するコピー実行装置に対して、コピー制限情報を提供するデータ処理部を有し、
前記プログラムは、前記データ処理部に、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信する処理を実行させるプログラム。
【発明の詳細な説明】
【技術分野】
【０００１】
本開示は、情報処理装置、情報処理システム、情報記録媒体、および情報処理方法、並びにプログラムに関する。さらに詳細には、ディスク等のメディア(情報記録媒体)に記録されたデータのコピー処理を、管理サーバからの許可情報の受領を条件として許容するなど、所定管理下でコピー処理を行なわせる構成を実現する情報処理装置、情報処理システム、情報記録媒体、および情報処理方法、並びにプログラムに関する。
【背景技術】
【０００２】
映画や音楽等、様々なコンテンツの情報記録媒体（メディア）として、ＤＶＤ(Digital Versatile Disc)や、ＢＤ（Ｂｌｕ−ｒａｙ（登録商標）  Ｄｉｓｃ）、フラッシュメモリなど、様々な情報記録媒体が利用されている。これらの情報記録媒体に記録された音楽データ、画像データ等のコンテンツの多くは、その作成者や販売者等が著作権や頒布権を有している。従って、ディスクを購入したユーザであっても、ディスク記録コンテンツの利用には一定の制限がなされる。例えばディスク記録コンテンツを他のメディアに無制限にコピーを行うといったことは許容されない。【０００３】
このようなメディア格納コンテンツのコピー管理構成として、管理サーバからのコピー管理情報の受領を条件としたコピー許容構成が知られている。具体的には、例えば以下のシーケンスで処理が行われる。【０００４】
ユーザがコンテンツ格納ディスクなどのコピー元となる第１メディアをＰＣや記録再生装置等のユーザ装置に装着して、ユーザ装置がネットワークを介して管理サーバに接続する。その後ユーザ装置は、第１メディアのディスク識別子（ＩＤ）等、予め規定された情報をサーバに送信する。
サーバは受信情報の正当性などを確認した後、コピー許可データ等を記録したコピー管理情報をユーザ装置に送信する。ユーザ装置はサーバからのコピー管理情報に記録されたコピー許可データを確認して、コピー許可データを第１メディアから読み出して、コピー先となる第２メディアにコピーを行うことができるというものである。【０００５】
このようなコピー管理構成は、マネージドコピー（ＭＣ：Ｍａｎａｇｅｄ  Ｃｏｐｙ）と呼ばれ、例えば特許文献１（特開２００８−９８７６５号公報）にその詳細が記載されている。【０００６】
ユーザ装置において著作権管理対象となる映画などを格納したＢＤ（Ｂｌｕ−ｒａｙ（登録商標）  Ｄｉｓｃ）などのメディア格納コンテンツを他のメディア、例えばフラッシュメモリ、あるいは他のディスクなどの他メディアにコピーを行う場合、上述したマネージドコピー（ＭＣ：Ｍａｎａｇｅｄ  Ｃｏｐｙ）に従った処理を行うことが必要となる。すなわち、管理サーバからのコピー管理情報の受領を条件としてコピーが許容される。【０００７】
現行のコンテンツ記録済みディスク、例えば映画コンテンツ等の記録メディアであるＢＤ−ＲＯＭ等のメディアの多くは、高画質画像であるＨＤ（Ｈｉｇｈ  Ｄｅｆｉｎｉｔｉｏｎ）画像が記録されている。いわゆるハイビジョン対応の２Ｋ画像である。
しかし、今後、さらに高画質化が進み、超高精細画像（ＵＨＤ：Ｕｌｔｒａ  Ｈｉｇｈ  Ｄｅｆｉｎｉｔｉｏｎ画像）、例えば画素数を増加させた４Ｋ画像を記録したメディアが増加することが予想される。
なお、ＢＤを利用したデータ記録再生処理や、４Ｋ画像については、例えば特許文献２（特開２０１１−０２３０７１号公報）等に記載がある。【０００８】
ＢＤに対する超高精細画像（ＵＨＤ画像）のデータ記録態様について、現在、規格策定機関であるＢＤＡ（Ｂｌｕ−ｒａｙ（登録商標）  Ｄｉｓｃ  Ａｓｓｏｃｉａｔｉｏｎ）において規格化が進められている。
ＢＤＡでは、画素数を増加させた４Ｋ画像のみではなく、ディスプレイに出力する画像の色域やコントラスト比を拡張したＨＤＲ（Ｈｉｇｈ  Ｄｙｎａｍｉｃ  Ｒａｎｇｅ）画像についても考慮に入れた規格化を策定中である。【０００９】
ＨＤＲ画像は、現在の２Ｋ対応ディスプレイにおいて広く利用されているＳＤＲ（Ｓｔａｎｄａｒｄ  Ｄｙｎａｍｉｃ  Ｒａｎｇｅ）画像に比較して、表現可能な色域が広く、またコントラスト比もより大きく設定可能であり、肉眼で見た現実に近い画像表現が可能である。【００１０】
ＢＤには、ＢＤ対応のデータフォーマット、例えばＢＤＭＶフォーマットに従って再生用データ、再生制御情報、管理情報等、様々なデータが記録されている。
このＢＤフォーマット記録データを異なるフォーマットのデータ、例えばＭＰ４フォーマットに変換してフラッシュメモリ等のメディアに記録、すなわちコピー処理を行なう場合、フォーマット変換を伴うコピー処理を実行することが必要となる。【００１１】
また、上述したコピー管理構成、すなわち、マネージドコピー（ＭＣ：Ｍａｎａｇｅｄ  Ｃｏｐｙ）に従ったコピー処理を行う場合、コピーを実行するユーザ装置は、例えばコピー管理サーバからコピー管理情報を取得して、コピー管理情報に記録されたコピー許容対象データのみを選択してコピーを行うことが必要となる。【００１２】
しかし、上述した超高精細画像（ＵＨＤ画像）には、様々な異なるタイプの超高精細画像（ＵＨＤ画像）がある。
また、例えば超高精細画像（ＵＨＤ画像）を再生可能な再生機器の普及が十分でない現状では、同一コンテンツについて、従来型のＨＤ画像と、超高精細画像（ＵＨＤ画像）の両者を併せて記録したＢＤも流通することが予想される。【００１３】
上述したマネージドコピー（ＭＣ：Ｍａｎａｇｅｄ  Ｃｏｐｙ）を適用してコピー管理を行うためには、管理サーバからのコピー管理情報に、どの画像データがコピー許容データであるかを明示しなければならない。
しかし、これまでに提案されているコピー管理情報は、超高精細画像（ＵＨＤ画像）についての考慮が十分になされていないというのが現状である。【００１４】
例えば、コピー元メディア（第１メディア）にＨＤＲ画像とＳＤＲ画像の双方が記録されている場合に、ＨＤＲ画像とＳＤＲ画像のいずれか一方のみをコピー許可対象とする場合のコピー管理情報の記録態様について明確な規定がない。
このような現状では、ユーザ装置は、コピー管理サーバからコピー管理情報を受領しても、ＨＤＲ画像、ＳＤＲ画像、どちらの画像データがコピー許容データであるのかを判別できないといった問題が発生する。結果として、確実なコピー管理が実現できない恐れがある。
【先行技術文献】
【特許文献】
【００１５】
【特許文献１】特開２００８−９８７６５号公報
【特許文献２】特開２０１１−０２３０７１号公報
【発明の概要】
【発明が解決しようとする課題】
【００１６】
本開示は、例えば上記問題点に鑑みてなされたものであり、コピー管理情報に基づいてコピー処理を実行させる構成において、ＨＤＲ画像等、様々な画像を記録したメディアからコピー処理を行なう場合にも、コピー許容データを確実に選択可能とする構成を実現する情報処理装置、情報処理システム、情報記録媒体、および情報処理方法、並びにプログラムを提供することを目的とする。
【課題を解決するための手段】
【００１７】
本開示の第１の側面は、
第１メディアの記録データを第２メディアに記録するコピー処理を実行するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理装置にある。【００１８】
さらに、本開示の第２の側面は、
画像データの再生に用いられる基本レイヤ、および補助レイヤの各レイヤデータと、
各レイヤを利用した再生処理が許容されるか否かを記録したダイナミックレンジスケーラビリティ制限情報を記録した情報記録媒体であり、
再生装置が、前記情報記録媒体からデータ再生を行なう際に、
前記ダイナミックレンジスケーラビリティ制限情報を参照して、再生の許容されたレイヤデータのみを選択して再生することを可能とした情報記録媒体にある。【００１９】
さらに、本開示の第３の側面は、
第１メディアの記録データを第２メディアに記録するコピー処理を実行するコピー実行装置に対して、コピー制限情報を提供するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信するコピー管理サーバにある。【００２０】
さらに、本開示の第４の側面は、
コピー管理サーバと、コピー実行装置を有する情報処理システムであり、
前記コピー管理サーバは、
前記コピー実行装置に対するコピー管理情報の提供処理を実行し、
前記コピー管理情報は、画像データの再生に用いられる基本レイヤ、および補助レイヤの各レイヤについて、コピーが許容されるか否かを記録したコピー制限情報であるダイナミックレンジスケーラビリティ制限情報を含み、
前記コピー実行装置は、
第１メディアの記録データを第２メディアに記録するコピー処理を実行するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報を前記コピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理システムにある。【００２１】
さらに、本開示の第５の側面は、
情報処理装置において実行する情報処理方法であり、
前記情報処理装置は、第１メディアの記録データを第２メディアに記録するコピー処理を実行するデータ処理部を有し、
前記データ処理部が、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理方法にある。【００２２】
さらに、本開示の第６の側面は、
コピー管理サーバにおいて実行する情報処理方法であり、
前記コピー管理サーバは、第１メディアの記録データを第２メディアに記録するコピー処理を実行するコピー実行装置に対して、コピー制限情報を提供するデータ処理部を有し、
前記データ処理部が、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信する情報処理方法にある。【００２３】
さらに、本開示の第７の側面は、
情報処理装置において情報処理を実行させるプログラムであり、
前記情報処理装置は、第１メディアの記録データを第２メディアに記録するコピー処理を実行するデータ処理部を有し、
前記プログラムは、前記データ処理部に、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信する処理と、
前記第１メディアに、基本レイヤと補助レイヤによって生成可能な画像データが記録されている場合、前記ダイナミックレンジスケーラビリティ制限情報を参照する処理と、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピーする処理を実行させるプログラムにある。【００２４】
さらに、本開示の第８の側面は、
コピー管理サーバにおいて情報処理を実行させるプログラムであり、
前記コピー管理サーバは、第１メディアの記録データを第２メディアに記録するコピー処理を実行するコピー実行装置に対して、コピー制限情報を提供するデータ処理部を有し、
前記プログラムは、前記データ処理部に、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信する処理を実行させるプログラムにある。【００２５】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２６】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２７】
本開示の一実施例の構成によれば、画像データの再生に用いられる基本レイヤ、および補助レイヤの各レイヤについての選択的コピー許可を可能とした構成が実現される。
具体的には、例えば、メディア間のデータコピー処理を実行するコピー実行装置が、画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、各レイヤについてコピーが許容されるか否かを判定し、コピーが許容されるレイヤデータ、またはコピー許容レイヤデータに基づいて生成される画像データを選択して、第２メディアにコピーする処理を行なう。
本構成により、画像データの再生に用いられる基本レイヤ、および補助レイヤの各レイヤについての選択的コピー許可を可能とした構成が実現される。
なお、本明細書に記載された効果はあくまで例示であって限定されるものではなく、また付加的な効果があってもよい。
【図面の簡単な説明】
【００２８】
【図１】マネージドコピー（ＭＣ：Ｍａｎａｇｅｄ  Ｃｏｐｙ）システムの概要を説明する図である。
【図２】ユニット構成およびユニットキー管理テーブルについて説明する図である。
【図３】メディアのディレクトリ構成例について説明する図である。
【図４】管理サーバの管理によるコピー処理（ＭＣ（Ｍａｎａｇｅｄ  Ｃｏｐｙ））のシーケンスについて説明する図である。
【図５】第１メディアの記録情報であるコピー制御管理ファイル（ＭＣＭＦ：Ｍａｎａｇｅｄ  Ｃｏｐｙ  Ｍａｎｉｆｅｓｔ  Ｆｉｌｅ）の構成データについて説明する図である。
【図６】コピー実行要求に含まれるデータの一例を示す図である。
【図７】サーバ応答情報（Ｏｆｆｅｒ  Ｌｉｓｔ）１３１に含まれる基本情報について説明する図である。
【図８】ＢＤＭＶフォーマットデータの再生処理例について説明する図である。
【図９】ＭＰＥＧ−２ＴＳフォーマットデータについて説明する図である。
【図１０】ＭＰ４フォーマットデータについて説明する図である。
【図１１】ＭＰ４フォーマットデータについて説明する図である。
【図１２】ＢＤＭＶフォーマットに従ってＢＤに記録される画像データ（ビデオエレメンタリストリーム）の例を示す図である。
【図１３】ＢＤに対する画像データの具体的な記録例の種類について説明する図である。
【図１４】ＭＰＥＧ−２ＴＳフォーマットからＭＰ４フォーマットへの変換処理例について説明する図である。
【図１５】サーバ応答情報（Ｏｆｆｅｒ  Ｒｅｓｐｏｎｓｅ）に記録される付加情報のデータ例について説明する図である。
【図１６】管理サーバの提供するサーバ応答情報（Ｏｆｆｅｒ  Ｒｅｓｐｏｎｓｅ）の具体例について説明する図である。
【図１７】管理サーバの提供するサーバ応答情報（Ｏｆｆｅｒ  Ｒｅｓｐｏｎｓｅ）に基づくコンテンツの詳細情報の表示例について説明する図である。
【図１８】サーバ応答情報中のダイナミックレンジスケーラビリティ情報を用いたコピー処理シーケンスについて説明するフローチャートを示す図である。
【図１９】サーバ応答情報中のダイナミックレンジスケーラビリティ情報を用いたコピー処理シーケンスについて説明するフローチャートを示す図である。
【図２０】サーバ応答情報中のペアストリーム制限情報を用いたコピー処理シーケンスについて説明するフローチャートを示す図である。
【図２１】サーバ応答情報中のペアストリーム制限情報を用いたコピー処理シーケンスについて説明するフローチャートを示す図である。
【図２２】コピー処理の全体処理シーケンスについて説明するフローチャートを示す図である。
【図２３】コピー処理の全体処理シーケンスについて説明するフローチャートを示す図である。
【図２４】コピー処理の全体処理シーケンスについて説明するフローチャートを示す図である。
【図２５】コピー処理の全体処理シーケンスについて説明するフローチャートを示す図である。
【図２６】コピー処理の全体処理シーケンスについて説明するフローチャートを示す図である。
【図２７】フォーマット変換およびデータ記録処理を実行する情報処理装置の構成例について説明する図である。
【図２８】フォーマット変換およびデータ記録処理を実行する情報処理装置の構成例について説明する図である。
【図２９】データコピー、データ記録再生処理を実行する情報処理装置、およびコピー管理サーバのハードウェア構成例について説明する図である。
【発明を実施するための形態】
【００２９】
以下、図面を参照しながら本開示の情報処理装置、情報処理システム、情報記録媒体、および情報処理方法、並びにプログラムの詳細について説明する。なお、説明は以下の項目に従って行なう。
１．サーバ管理に基づくコンテンツのコピー制御処理の概要
２．コンテンツの記録構成の例について
３．サーバ管理に基づくコンテンツのコピー処理シーケンスについて
４．メディア記録データのデータ記録フォーマットについて
４−１．ＢＤＭＶフォーマットおよびＭＰＥＧ−２ＴＳフォーマットについて
４−２．ＭＰ４フォーマットについて
５．ＢＤＭＶフォーマットに従って記録される画像データの種類について
６．フォーマット変換を伴うメディア間のデータコピー処理について
７．管理サーバの提供するサーバ応答情報（Ｏｆｆｅｒ  Ｒｅｓｐｏｎｓｅ）の具体例と表示例について
８．情報処理装置の実行する処理シーケンスについて
８−１．サーバ応答情報中のダイナミックレンジスケーラビリティ情報を用いたコピー処理シーケンス
８−２．サーバ応答情報中のペアストリーム制限情報を用いたコピー処理シーケンス
８−３．コピー処理の全体処理シーケンス
９．情報処理装置の構成例について
９−１．フォーマット変換およびデータ記録処理を実行する情報処理装置の構成例について
９−２．情報処理装置のハードウェア構成例について
１０．本開示の構成のまとめ
【００３０】
［１．サーバ管理に基づくコンテンツのコピー制御処理の概要］
まず、図１を参照してサーバ管理に基づくコンテンツのコピー制御処理の概要について説明する。
例えばＢＤ（Ｂｌｕ−ｒａｙ（登録商標）  Ｄｉｓｃ）等に記録された映画等のコンテンツの多くは、所定の著作権管理の下で利用が許容される。従って、ディスクを購入したユーザであっても、ディスク記録コンテンツの利用には一定の制限がなされる。例えばディスク記録コンテンツを他のディスク等のメディアに無制限にコピーを行うといったことは許容されない。
【００３１】
このようなメディア格納コンテンツのコピー管理構成として、管理サーバからのコピー許可情報の受領を条件としたコピー許容処理構成が知られている。図１は、その一例であるマネージドコピー（ＭＣ：Ｍａｎａｇｅｄ  Ｃｏｐｙ）システムの概要を説明する図である。
【００３２】
情報処理装置２０はユーザのＰＣやレコーダ（記録再生装置）等であり、著作権管理対象コンテンツである映画等の記録された第１メディア１０を装着して再生することができる。
情報処理装置２０は、この第１メディア１０に記録されたコンテンツを他のメディアである第２メディア３０にコピーする処理が可能となる。第２メディア３０は、情報処理装置２０において記録可能なメディアであり、例えばハードディスク（ＨＤＤ）やフラッシュメモリ、あるいはデータ記録可能なディスク（ＢＤ，ＤＶＤなど）等のメディアである。
【００３３】
しかし、ユーザが自由にコピー処理を行ってしまうと、コンテンツの複製が大量に発生し、不正な利用や流通が起こることになる。このような事態を防止するため、ユーザ装置である情報処理装置２０がコンテンツのコピーを実行する場合、管理サーバ５０と接続し、管理サーバ５０からコピー許可情報を受け取る。このコピー許可情報の受領には、例えばユーザの持つ第１メディアの正当性の確認や、所定の料金の支払い等の手続が必要となる。
【００３４】
ユーザ装置である情報処理装置２０は、この所定の手続きを行うことで、管理サーバ５０からコピー許可情報を受領し、コピー許可情報の受領を条件としてコンテンツコピーを行うことができる。これが、マネージドコピー（ＭＣ：Ｍａｎａｇｅｄ  Ｃｏｐｙ）の概要である。
【００３５】
［２．コンテンツの記録構成の例について］
次に、上記のマネージドコピー（ＭＣ：Ｍａｎａｇｅｄ  Ｃｏｐｙ）の対象となる著作権の管理されたコンテンツを記録したメディア（図１の第１メディア１０）に記録されたデータの構成例について説明する。
【００３６】
一般的なコンテンツ記録済みディスク、例えばＢＤ（Ｂｌｕ−ｒａｙ（登録商標）  Ｄｉｓｃ）等に記録された映画等のコンテンツの多くは、不正コピーなどの不正利用を防止するため暗号化されて記録される。
【００３７】
コンテンツの著作権保護技術に関する規格であるＡＡＣＳ(Advanced Access Content System)規格に従った暗号化コンテンツは、前述したようにユニット単位に区分され、ユニット毎に異なる暗号鍵を適用した暗号化データとして記録される。ユニット単位の暗号化構成とすることで、ユニット単位の利用制御が可能となり、厳格で多様なコンテンツ利用制御が実現される。
【００３８】
コンテンツの区分単位であるユニットはコンテンツ管理ユニットまたはＣＰＳユニットとよばれ、各ＣＰＳユニットに対応する暗号鍵はＣＰＳユニットキーやユニットキー、あるいはタイトルキーと呼ばれる。ディスクに記録されたコンテンツのユニット区分と暗号鍵（ユニットキー）との対応関係の一例を図２に示す。
【００３９】
図２は、あるメディア、例えば１枚のディスクに記録されたコンテンツを構成するユニット（ＣＰＳユニット）と暗号鍵であるＣＰＳユニットキーとの対応関係を示すユニットキー管理テーブルの例である。このユニットキー管理テーブルはメディア（ＢＤなど）に暗号化コンテンツと共に記録される。
【００４０】
図２に示すように、コンテンツの構成データであるＣＰＳユニットは、ＣＰＳユニット１〜ｎに区分されている。各ＣＰＳユニット１〜ｎの各々に対して固有の暗号鍵であるＣＰＳユニットキーが対応付けられる。
【００４１】
例えばＣＰＳユニット１（ＣＰＳ１）を再生する場合は、ＣＰＳユニットキー１（Ｋｕ１）を利用して復号を行う。ＣＰＳユニット２（ＣＰＳ２）を再生する場合は、ＣＰＳユニットキー２（Ｋｕ２）を適用して復号を行うことが必要となる。各ＣＰＳユニットおよびＣＰＳユニットキーに対応するインデックスとしては、例えば「タイトル」が利用される。「タイトル」はＣＰＳユニット各々に対応して設定されたインデックスであり、タイトルを特定することでＣＰＳユニット、およびＣＰＳユニットキーを特定することができる。
【００４２】
図３は、第１メディア１０がＲＯＭ型のＢｌｕ−ｒａｙ（登録商標）  Ｄｉｓｃである場合のディレクトリであり、ＢＤ（Ｂｌｕ−ｒａｙ（登録商標）  Ｄｉｓｃ）の記録データに対応するディレクトリ構成を示している。
【００４３】
ディレクトリは図３に示すように管理情報設定部５１（ＡＡＣＳディレクトリ）と、データ部５２（ＢＤＭＶディレクトリ）に分離されている。
管理情報設定部５１（ＡＡＣＳディレクトリ）には、ＣＰＳユニットキーファイルや利用制御情報ファイルなどが格納される。
【００４４】
一方、データ部５２には、ＢＤＭＶディレクトリ以下に、
インデックスファイル、
プレイリストファイル、
クリップ情報ファイル、
クリップＡＶストリームファイル、
ＢＤＪＯファイル、
例えば、これらのファイルが記録される。
【００４５】
インデックスファイルには、再生処理に適用するインデックス情報としてのタイトル情報が格納されている。このタイトルは、先に図２を参照して説明したユニットキー管理テーブルに登録されたタイトルと同様であり、ＣＰＳユニットに対応付けられたデータである。
プレイリストファイルは、タイトルによって指定されの再生プログラムのプログラム情報に従ったコンテンツの再生順等を規定したファイルであり、再生位置情報を持クリップ情報に対する師弟情報を有する。
クリップ情報ファイルは、プレイリストファイルによつて指定されるファイルであり、クリップＡＶストリームファイルの再生位置情報等を有する。
クリップＡＶストリームファイルは、再生対象となるＡＶストリームデータを格納したファイルである。
ＢＤＪＯファイルは、ＪＡＶＡ（登録商標）プログラム、コマンド等を格納したファイルの実行制御情報を格納したファイルである。
【００４６】
情報処理装置が情報記録媒体に記録されたコンテンツを再生するシーケンスは以下の通りである。
まず、再生アプリケーションによってインデックスファイルから特定のタイトルを指定する。
指定されたタイトルに関連付けられた再生プログラムが選択される。
選択された再生プログラムのプログラム情報に従ってコンテンツの再生順等を規定したプレイリストが選択される。
選択されたプレイリストに規定されたクリップ情報によって、コンテンツ実データとしてのＡＶストリームあるいはコマンドが読み出されて、ＡＶストリームの再生や、コマンドの実行処理が行われる。
【００４７】
このコンテンツ再生処理においては、選択されたタイトルに応じて、先に図２を参照して説明したユニットとユニットキーの判別が可能となり、再生対象のユニットに対応するユニットキーを取得してユニット単位の復号処理が行われることになる。図１を参照して説明したコピー処理を実行する場合、管理サーバ５０から受領する情報を参照してコピー対象データを特定してコピー処理を実行する。
【００４８】
［３．サーバ管理に基づくコンテンツのコピー処理シーケンスについて］
次に、図４以下を参照して、サーバ管理に基づくコンテンツのコピー処理シーケンスについて説明する。図４は、サーバ管理に基づくコンテンツのコピー処理の一例であるマネージドコピー（ＭＣ：Ｍａｎａｇｅｄ  Ｃｏｐｙ）のシーケンスを説明する図である。
【００４９】
図４には、左から、
映画等のコンテンツ記録済みのＲＯＭディスクなどの第１メディア１１０、
第１メディア１１０からコンテンツ等のデータを読み取り、コピー処理を行なうユーザ装置としての情報処理装置１２０、
コンテンツのコピー先のメディアであり、ハードディスク（ＨＤＤ）やフラッシュメモリ、あるいはＲ／ＲＥディスク等によって構成される第２メディア１５０、
さらに、
コンテンツコピーの許可情報等の提供処理を実行する管理サーバ（ＭＣサーバ）１４０、
これらを示している。
【００５０】
情報処理装置１２０は、例えばＰＣや記録再生装置などによって構成され、第１メディア１１０からの読み取りデータを入力して、ハードディスク（ＨＤＤ）やフラッシュメモリ、あるいはＲ／ＲＥディスクなどによって構成されるコピー先メディアとしての第２メディア１５０にデータを記録する処理、すなわちコンテンツコピー処理を実行する。
【００５１】
第１メディア１１０は、例えば、ＲＯＭ型のＢｌｕ−ｒａｙ（登録商標）  Ｄｉｓｃ、ＤＶＤディスクなどである。第２メディア１５０は、データを書き込むことが可能なメディアであり、具体的には例えばハードディスク（ＨＤＤ）やフラッシュメモリ、あるいはＲ型、ＲＥ型のＢｌｕ−ｒａｙ（登録商標）  Ｄｉｓｃ、ＤＶＤディスクなどである。
【００５２】
例えばＲＯＭディスク等によって構成される第１メディア１１０には、図に示すように利用制御コンテンツである暗号化コンテンツ１１３が記録されている。暗号化コンテンツ１１３は、例えば高精細動画像データであるＨＤ（High Definition）映画コンテンツなどの動画コンテンツのＡＶ(Audio Visual)ストリーム、あるいは音楽データ、ゲームプログラム、画像ファイル、音声データ、テキストデータなどからなるコンテンツである。
【００５３】
暗号化コンテンツ１１３は、先に図２を参照して説明したように、コンテンツ管理ユニット（ＣＰＳユニット）単位の利用管理構成を有し、ＣＰＳユニット単位で異なるユニットキー（ＣＰＳユニットキー）を適用して暗号化が施された暗号化コンテンツである。すなわち、ユニット単位の区分データ毎の異なる利用制御を実現するため、ユニット毎に異なる鍵（ＣＰＳユニットキーやユニットキー、あるいはタイトルキーと呼ばれる）によって暗号化されている。
【００５４】
さらに、第１メディア１１０には、暗号化コンテンツ１１３の復号に適用する鍵情報、利用制御情報などによって構成される管理データ（ＡＡＣＳ  Ｄａｔａ）１１２、さらに、第１メディア１１０の記録コンテンツのコピー処理の際に利用されるコピー制御管理ファイル（ＭＣＭＦ：Ｍａｎａｇｅｄ  Ｃｏｐｙ  Ｍａｎｉｆｅｓｔ  Ｆｉｌｅ）１１１が格納されている。コピー制御管理ファイル（ＭＣＭＦ）については後段で説明する。
【００５５】
図４に示す第１メディア１１０の記録情報として示す管理データ１１２は、例えばコンテンツの著作権保護技術に関する規格管理システムであるＡＡＣＳ(Advanced Access Content System)の規定する管理データであり、暗号化コンテンツ１１３の復号に適用する鍵（ユニットキー）を格納したＣＰＳユニットキーファイル、使用許諾情報、コンテンツの正当性を示すコンテンツ証明書（ＣＣ：Content Certificate）、さらに、ＣＰＳユニットキーを取得するためのメディアキーを格納した暗号鍵ブロック（ＭＫＢ（Media Key Block））等を含むデータである。
【００５６】
ＭＫＢ（Media Key Block）について簡単に説明する。ＭＫＢはブロードキャストエンクリプション方式の一態様として知られる木構造の鍵配信方式に基づいて生成される暗号鍵ブロックである。ＭＫＢは有効なライセンスを持つユーザの情報処理装置に格納されたデバイスキー［Ｋｄ］に基づく処理（復号）によってのみ、コンテンツの復号に必要な鍵であるメディアキー［Ｋｍ］の取得を可能とした鍵情報ブロックである。これはいわゆる階層型木構造に従った情報配信方式を適用したものであり、ユーザデバイス（情報処理装置）が有効なライセンスを持つ場合にのみ、メディアキー［Ｋｍ］の取得を可能とし、無効化（リボーク処理）されたユーザデバイスにおいては、メディアキー［Ｋｍ］の取得が不可能となる。情報処理装置１２０のメモリには、デバイスキー［Ｋｄ］が格納されている。
【００５７】
図４の第１メディア１１０の記録情報として示すコピー制御管理ファイル（ＭＣＭＦ：Ｍａｎａｇｅｄ  Ｃｏｐｙ  Ｍａｎｉｆｅｓｔ  Ｆｉｌｅ）１１１は、第１メディア１１０に記録されたコンテンツ１１３のコピー処理を実行する際に適用するファイルであり、例えば、図５に示すデータを含むＸＭＬ記述データである。
【００５８】
コピー制御管理ファイル（ＭＣＭＦ：Ｍａｎａｇｅｄ  Ｃｏｐｙ  Ｍａｎｉｆｅｓｔ  Ｆｉｌｅ）１１１のデータ構成について、図５を参照して説明する。
コピー制御管理ファイル（ＭＣＭＦ）には例えば以下のデータが含まれる。
（１）管理サーバＵＲＬ：コピー許可情報を提供する管理サーバのアクセス情報である。図４に示す管理サーバ１４０に対するアクセス情報である。
（２）コピーデータ情報（ｄｅａｌＭａｎｉｆｅｓｔ）
（２−１）プレイリストファイル名：コピー対象となるプレイリストのファイル名である。
（２−２）ＣＰＳユニットキー情報：コピー対象コンテンツの復号処理に適用するＣＰＳユニットキーの識別情報である。
（２−３）コピーユニット識別子：管理コピー（ＭＣ：Ｍａｎａｇｅｄ  Ｃｏｐｙ）のコピー単位を示すコピーユニット（ＭＣユニット）のユニット識別情報である。
（３）コンテンツＩＤ：コピー対象となるコンテンツの識別子である。例えばコンテンツコード情報としてのＩＳＡＮ（Ｉｎｔｅｒｎａｔｉｏｎａｌ  Ｓｔａｎｄａｒｄ  Ａｕｄｉｏｖｉｓｕａｌ  Ｎｕｍｂｅｒ）ナンバーが用いられる。
【００５９】
図４を参照して、例えばＲＯＭディスクである第１メディア１１０に記録されている暗号化コンテンツ１１３をハードディスクやＲ／ＲＥディスク等によって構成される第２メディア１５０等の他メディアにコピーする場合の処理シーケンスについて説明する。
【００６０】
情報処理装置１２０は、まず、ステップＳ１１において、第１メディア１１０に記録されているコピー制御管理ファイル（ＭＣＭＦ）１１１に記録されたサーバ情報（ＵＲＩなど）を適用して、管理サーバ１４０にコピー実行要求（Ｏｆｆｅｒ  Ｒｅｑｕｅｓｔ）を送信する。
この際、コピー処理対象となるコンテンツに対応するコンテンツＩＤ等が管理サーバ１４０に送信される。
【００６１】
コピー実行要求に含まれるデータの一例を図６に示す。図６に示すように、コピー実行要求には例えば以下のデータが含まれる。
（ａ）コンテンツＩＤ：第１メディアに格納されたコンテンツの識別子
（ｂ）コンテンツ証明書ＩＤ：上記コンテンツの正当性を確認するための証明書
（ｃ）メディア識別子：コピー元となる第１メディアの識別子
（ｄ）乱数：データ正当性確認用データ
（ｅ）言語コード：情報処理装置の利用する言語のコード情報
これらの情報である。
上記情報中（ａ）〜（ｃ）の各情報は、第１メディア１１０から読み取られる。（ｄ）乱数は、情報処理装置１２０において生成する。（ｅ）言語コードは、情報処理装置１２０のメモリに予め記録された言語コードを取得して送信する。
なお、言語コードは、管理サーバ１４０の提供する応答に含まれるオファー詳細情報の言語等を決定するために用いられる。
【００６２】
図４に戻り、サーバ管理に従ったコンテンツのコピー処理シーケンスについての説明を続ける。管理サーバ１４０は、ステップＳ１２において、情報処理装置１２０から受信したコンテンツＩＤ等の受信情報の正当性等の検証処理を実行し、問題がないことが確認された場合、サーバ応答情報（Ｏｆｆｅｒ  Ｌｉｓｔ）１３１を生成して情報処理装置１２０に送信する。
【００６３】
管理サーバ１４０が情報処理装置１２０に提供するサーバ応答情報（Ｏｆｆｅｒ  Ｌｉｓｔ）１３１に含まれる基本情報について図７を参照して説明する。
なお、後段において詳細に説明するが、サーバ応答情報（Ｏｆｆｅｒ  Ｌｉｓｔ）１３１には、図７に示す基本情報と、さらに、付加情報が含まれる。付加情報については後段において図１５他を参照して説明する。
【００６４】
まず、図７を参照してサーバ応答情報（Ｏｆｆｅｒ  Ｌｉｓｔ）１３１に含まれる基本情報について説明する。基本情報には以下の各情報が含まれる。
（１）オファー詳細情報
（１ａ）タイトル／要約／説明（title/abstract/description）：コピー許容コンテンツに対応するタイトル、要約、説明の情報である。
（１ｂ）コピーユニット識別子（ＭＣＵ）：コピー単位としてのコピーユニットを識別する識別子である。
（１ｃ）価格情報（ｐｒｉｃｅ）：コピーの価格情報である。
（１ｄ）価格補助情報（ｐｒｉｃｅＩｎｆｏ）：価格の補助情報である。
（１ｅ）決済サーバＵＲＬ（ｆｉｎａｎｃｉａｌＨＴＭＬＵＲＬ）：コピー料金の決済処理を行うサーバのアクセス情報である。
（１ｆ）コピー先情報（ｍｃｏｔＩｎｆｏ）：コピー先機器として許容されるメディアの種類等を示す情報である。例えばＨＤＤ／フラッシュメモリなどのメディア種類が記録される。
【００６５】
（２）乱数（ｍｃｍＮｏｎｃｅ）：データ正当性確認のための乱数である。
（３）コピーデータ情報（Ｆｉｌｅ  ｎａｍｅ  ｔｏ  ｂｅ  ｃｏｐｉｅｄ）（＝ｄｅａｌＭａｎｉｆｅｓｔ）
（３ａ）プレイリストファイル名（ＰｌａｙＬｉｓｔ  ｆｉｌｅ  ｎａｍｅ）：コピー対象となるプレイリストのファイル名である。なおプレイリストの特定によりクリップ情報ファイルやクリップＡＶストリームファイルも特定可能となる。
（３ｂ）ＣＰＳユニットキー情報（Ｉｎｄｅｘ  ｔｏ  ｉｄｅｎｔｉｆｙ  ｔｈｅ  ＣＰＳ  Ｕｎｉｔ  Ｋｅｙ）：コピーコンテンツの復号用の鍵（ＣＰＳユニットキー）の識別情報である。
（３ｃ）コピーユニット識別子（ＭＣＵｉ）：コピー単位を示すコピーユニット（ＭＣＵ）の識別情報である。
（４）サーバ公開鍵証明書（ＭＣＳｃｅｒｔ）：暗号通信、署名確認等に利用するサーバの公開鍵を格納した証明書である。
（５）署名（ｓｉｇｎａｔｕｒｅ）：データ全体に対する改ざん確認のための署名データである。
【００６６】
これらの情報が、管理サーバ１４０が情報処理装置１２０に提供するサーバ応答情報（Ｏｆｆｅｒ  Ｌｉｓｔ）１３１に含まれる基本情報である。これらの情報はコピー処理単位としてのコピーユニット（ＭＣＵ）各々に対して設定される。
例えば、同じコンテンツＡであっても、コピーユニットは、コピー先メディアに応じて設定される。すなわち、
ハードディスクに対するコンテンツＡのコピーユニット０００１
フラッシュメモリに対するコンテンツＡのコピーユニット０００２
このような設定である。
【００６７】
なお、図７に示すサーバ応答情報（Ｏｆｆｅｒ  Ｌｉｓｔ）１３１には、先に図５を参照第１メディア１１０に記録されたコピー制御管理ファイル（ＭＣＭＦ）１１１に記録された情報と同様の情報が含まれる。すなわち、上記の（３）コピーデータ情報（Ｆｉｌｅ  ｎａｍｅ  ｔｏ  ｂｅ  ｃｏｐｉｅｄ）（＝ｄｅａｌＭａｎｉｆｅｓｔ）である。これらの情報は、管理サーバ１４０からの受領情報を優先してコピー処理が行われる。管理サーバ１４０からの受領情報は逐次更新される可能性があるからである。
【００６８】
図４に戻り、サーバ管理に従ったコンテンツのコピー処理シーケンスについての説明を続ける。管理サーバ１４０は、ステップＳ１２において、情報処理装置１２０から受信したコンテンツＩＤ等の受信情報の正当性等の検証処理を実行し、問題がないことが確認された場合、サーバ応答情報（Ｏｆｆｅｒ  Ｌｉｓｔ）１３１を生成して情報処理装置１２０に送信する。
【００６９】
なお、前述したようにサーバ応答情報（Ｏｆｆｅｒ  Ｌｉｓｔ）１３１には、図７に示す基本情報の他、様々な付加情報が含まれるが、これについては後段で説明する。
【００７０】
サーバ応答情報（Ｏｆｆｅｒ  Ｌｉｓｔ）１３１を受領した情報処理装置１２０は、管理サーバ１４０から受領した応答情報（Ｏｆｆｅｒ  Ｌｉｓｔ）１３１を適用して、コピー許容コンテンツの一覧リスト（コピー許容リスト１３１）を情報処理装置１２０の表示部に表示する。このリストには例えばコンテンツ各々についてコピーを実行する場合の価格（プライス）等が設定されている。
【００７１】
ステップＳ１３において、ユーザがコピー許容コンテンツリストからコピー対象のコンテンツ等を指定するコンテンツ選択を実行する。さらに、ステップＳ１４において、情報処理装置１２０は、管理サーバ１４０との間でコピー処理に伴う決済処理を実行する。具体的には、情報処理装置１２０と管理サーバ１４０との間で決済データ１３２の転送処理等が行われる。なお、決済処理を実行するサーバは管理サーバと異なる決済サーバとしてもよい。また、コピー処理が無料に設定されたコンテンツのコピーを実行する場合は、決済処理は省略される。
【００７２】
必要に応じて実行される決済処理の完了後、ステップＳ１５において情報処理装置１２０は管理サーバ１４０にコピー許可情報の要求を送信する。管理サーバ１４０は、ステップＳ１６において、情報処理装置１２０からのコピー許可情報要求に応じて、決済がなされていることを確認してコピー許可情報１２２を生成して情報処理装置１２０に送信する。
【００７３】
情報処理装置１２０は、管理サーバ１４０からのコピー許可情報１２２の受領を条件として、ステップＳ１７においてコンテンツコピー処理を実行する。すなわち、第１メディア１１０から暗号化コンテンツ１１３を読み出して、コピー対象とするデータを選択して復号処理を行い、コピー先となるハードディスク（ＨＤＤ）やフラッシュメモリ、あるいはＲ／ＲＥディスク等によって構成される第２のメディア１５０に対するデータコピーを実行する。
【００７４】
なお、コンテンツコピー処理は、例えば以下の手順で実行される。
（１）第１メディア１１０（コピー元メディア）からの暗号化コンテンツの読み出し、
（２）第１メディア１１０（コピー元メディア）対応の第１管理システムに従った暗号化コンテンツの復号処理、
（３）第２メディア１５０（コピー先メディア）対応の第２管理システムに従ったコンテンツの暗号化処理、
（４）暗号化コンテンツの第２メディア１５０（コピー先メディア）に対する記録処理、
このようなシーケンスで処理を行う。
【００７５】
このように、暗号化コンテンツをディスクから読み出して他のディスク等のメディアにコピーする場合、一旦、コピー対象の暗号化コンテンツを復号し、その後、コピー先のメディアに対応した著作権管理システムの規格に従った再暗号化を実行して記録するといった処理が行われる。このような処理を行うことでコピー先のメディアでも利用制御がなされ、コピーコンテンツの不正な利用や流通を防止することができる。
【００７６】
なお、デジタルデータに関するコンテンツ著作権管理システムの総称は、ＤＲＭ（Ｄｉｇｉｔａｌ  Ｒｉｇｈｔｓ  Ｍａｎａｇｅｍｅｎｔ）システムと呼ばれている。デジタルデータを記録可能なメディアは様々であり、メディアに応じた様々なＤＲＭシステムが採用されている。異なるＤＲＭシステムを採用しているメディア間でデジタルデータをコピーする場合は、コピー元メディアで採用しているＤＲＭシステムからコピー先メディアで採用しているＤＲＭシステムへ変更した上でコピーを行う。このような構成とすることで、コピーコンテンツの不正な利用や流通を防止することができる。
【００７７】
この場合、コピー元の管理システム（第１ＤＲＭとする）とコピー先のコンテンツ管理システム（第２ＤＲＭとする）が異なる場合には、上記の（１）〜（４）のシーケンスのようにコピー元の暗号化コンテンツを一旦、復号し、コピー先の管理システム（第２ＤＲＭ）に従った処理、例えば別の暗号化キーを利用した再暗号化を行って記録することが必要となる。
【００７８】
上記の（２）の第１管理システムに従った暗号化コンテンツの復号処理は、第１管理システムがＡＡＣＳ規定に従ったシステムである場合、ＣＰＳユニットキーを適用したＣＰＳユニット単位の復号処理として行われることになる。
なお、コピー先メディア（第２メディア１５０）対応の第２管理システムとは、ＡＡＣＳである場合もあるし、その他、ＣＰＲＭ、ＭａｇｉｃＧａｔｅ、ＶＣＰＳなど、メディアに応じた様々な規定に対応する管理システムが想定される。
【００７９】
［４．メディア記録データのデータ記録フォーマットについて］
メディア間で、コピー処理を実行する場合において、コピー元とコピー先が、異なるデータ記録フォーマットを持つ場合、コピー処理に際してフォーマット変換を行うことが必要となる。
【００８０】
ＢＤ（Ｂｌｕ−ｒａｙ（登録商標）  Ｄｉｓｃ）等の第１メディア（コピー元メディア（コピー元情報記録媒体））１０に記録されたデータを、例えばフラッシュメモリ等の第２メディア（コピー先メディア（コピー先情報記録媒体））３０にコピー処理を実行する例について説明する。
【００８１】
フォーマット変換を伴うデータコピー処理についての説明の前に、まず、メディア記録データのフォーマットの例について説明する。
コピー元メディアである第１メディア１０は、ＢＤＭＶフォーマットに従ったデータ記録構成を持ち、
コピー先メディアである第２メディア３０は、ＭＰ４フォーマットに従ったデータ記録構成である場合の例について説明する。
まず、これらの各フォーマットについて説明する。
【００８２】
［４−１．ＢＤＭＶフォーマットおよびＭＰＥＧ−２ＴＳフォーマットについて］
ＢＤのデータ記録フォーマットであるＢＤＭＶ（Ｂｌｕ−ｒａｙ（登録商標）  Ｄｉｓｃ  Ｍｏｖｉｅ）フォーマットおよびＭＰＥＧ−２ＴＳフォーマットについて説明する。
ＢＤＭＶフォーマットについては、既に図３を参照して説明したとおりである。図３は、ＲＯＭ型のＢＤ（Ｂｌｕ−ｒａｙ（登録商標）  Ｄｉｓｃ）である情報記録媒体（メディア）１０に記録されたＢＤＭＶフォーマットに従った記録データのディレクトリを示す図である。
【００８３】
ディレクトリは図３を参照して説明したように管理情報設定部５１（ＡＡＣＳディレクトリ）と、データ部５２（ＢＤＭＶディレクトリ）に分離されている。
管理情報設定部５１（ＡＡＣＳディレクトリ）には、データの暗号化鍵であるＣＰＳユニットキーファイルや利用制御情報ファイルなどが格納される。
【００８４】
一方、データ部５２のＢＤＭＶディレクトリ以下には、
インデックスファイル、
プレイリストファイル、
クリップ情報ファイル、
クリップＡＶストリームファイル、
ＢＤＪＯファイル、
例えば、これらのファイルが記録される。
【００８５】
図８は、第１メディア１０に記録される以下のデータ、すなわち、
プレイリストファイル、
クリップ情報ファイル、
クリップＡＶストリームファイル、
これらのデータの対応関係を説明する図である。
【００８６】
実際の再生対象データである画像と音声データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００８７】
これら複数のカテゴリのファイルは、図８に示すように、
プレイリスト（ＰｌａｙＬｉｓｔ）ファイルを含むプレイリストレイヤ（ＰｌａｙＬｉｓｔ  Ｌａｙｅｒ）、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ（Ｃｌｉｐ  Ｌａｙｅｒ）、
これらの２つのレイヤに区分できる。
【００８８】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）と呼ぶ場合もある。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００８９】
クリップＡＶストリーム（Ｃｌｉｐ  ＡＶ  Ｓｔｒｅａｍ）ファイルは、ＭＰＥＧ−２ＴＳ（トランスポートストリーム）をＢＤＭＶフォーマットの規定構造に従って配置したデータを格納している。この構成の詳細は図９を参照して後段で説明する。
【００９０】
また、クリップ情報（Ｃｌｉｐ  Ｉｎｆｏｒｍａｔｉｏｎ）ファイルには、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００９１】
例えば、コンテンツの開始点からの再生時間経過位置を示すタイムスタンプが与えられた時、クリップ情報ファイルを参照して、クリップＡＶストリームファイルのデータ読み出し位置、すなわち再生開始点としてのアドレスを取得することが可能となる。
【００９２】
プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００９３】
再生対象となる画像や音声の実データを格納したクリップＡＶストリーム（Ｃｌｉｐ  ＡＶ  Ｓｔｒｅａｍ）ファイルは、例えば図９に示すようなＭＰＥＧ−２トランスポートストリーム（ＴＳ：Ｔｒａｎｓｐｏｒｔ  ｓｔｒｅａｍ）ファイル構造を持つ。
【００９４】
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データを記録媒体（メディア）に格納、または放送波やネットワークを介して伝送する際の符号化データ等のデータ格納形式（コンテナフォーマット）を規定したフォーマットである。
【００９５】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
【００９６】
なお、主にフラッシュメモリに対するデータ記録フォーマットとしてＭＰ４フォーマットが用いられる。ＭＰ４フォーマットは、ＩＳＯ／ＩＥＣＣ１４４９６−１４で規定されたフォーマットであり、例えばスマートフォンなどにおいて多く利用されるフラッシュメモリ等にデータ記録を行う場合に適したフォーマットである。
【００９７】
昨今、利用されている多くの携帯端末は、ＭＰ４フォーマットに従って記録されたＭＰ４データを再生可能な再生アプリケーションを有しており、携帯端末のメディアにコンテンツを記録する場合、ＭＰ４形式で記録することが求められる場合が多い。
ＭＰ４フォーマットの概要については後述する。
【００９８】
前述したＢＤに対するデータ記録フォーマットであるＢＤＭＶ（Ｂｌｕ−ｒａｙ（登録商標）  Ｄｉｓｃ  Ｍｏｖｉｅ）フォーマットは、ＭＰＥＧ−２ＴＳフォーマットに従って格納された画像や音声等の符号化データを構成要素とするＢＤ専用のフォーマットである。
【００９９】
なお、ＭＰＥＧ−２ＴＳフォーマットに従って格納が許容される画像、音声、静止画の符号化データは、例えば以下の符号化データである。
画像：ＭＰＥＧ−１、ＭＰＥＧ−２、ＡＶＣ（ＭＰＥＧ−４ＡＶＣ）、ＨＥＶＣ（ＭＰＥＧ−４ＨＥＶＣ）、
音声：ＭＰ１，ＭＰ２，ＭＰ３，リニアＰＣＭ，ＤＴＳ
静止画：ＪＰＥＧ
例えば上記の各符号化データがＭＰＥＧ−２ＴＳにおいて規定するＴＳ（トランスポートストリーム）パケットに分散して格納される。
【０１００】
図９を参照して、ＢＤや放送に用いられるＭＰＥＧ−２ＴＳフォーマットについて説明する。
図９に示すように、ＭＰＥＧ−２ＴＳフォーマットは、以下の特徴を有する。
図９（Ａ）に示すように、ＭＰＥＧ−２ＴＳファイルは、整数個のアラインドユニット（Ａｌｉｇｎｅｄ  ｕｎｉｔ）から構成される。
アラインドユニット（Ａｌｉｇｎｅｄ  ｕｎｉｔ）の大きさは、６ｋＢ（＝６１４４バイト（２０４８×３バイト））である。
アラインドユニット（Ａｌｉｇｎｅｄ  ｕｎｉｔ）は、ソースパケットの第一バイト目から始まる。
【０１０１】
図９（Ｂ）に示すように、ソースパケットは、１９２バイト長である。
図９（Ｃ）に示すように、一つのソースパケットは、ＴＰ＿ｅｘｔｒａ＿ｈｅａｄｅｒとＴＳパケットから成る。ＴＰ＿ｅｘｔｒａ＿ｈｅａｄｅｒは、４バイト長であり、またＴＳパケットは、１８８バイト長である。
【０１０２】
図９（Ｄ）に示すように、ＴＳパケットはヘッダ（ＴＰヘッダ）とペイロード部を有する。１つのＴＳパケットのペイロードには画像、音声等、いずれか一種類のデータの符号化データ、あるいは属性情報等の制御情報が格納される。
図９（Ｅ）に示すように、ＴＳパケットのヘッダ（ＴＰヘッダ）にはペイロードのデータ種類を示すパケット識別子としてのＰＩＤ（プログラムＩＤ）が記録される。
【０１０３】
ＴＳパケットのペイロードには画像や音声等の符号化データであるエレメンタリストリーム（ＥＳ）を格納したパケット（パケタイズドエレメンタリストリーム（ＰＥＳ））や、再生時間情報等を格納したＰＥＳヘッダ、コンテンツに対応する属性情報や制御情報等が格納される。
ＴＳパケットのペイロードに格納される属性情報や制御情報は、具体的には、例えば、ＰＳＩ／ＳＩ（Ｐｒｏｇｒａｍ  Ｓｐｅｃｉｆｉｃ  Ｉｎｆｏｒｍａｔｉｏｎ）と呼ばれる情報である。
ＰＳＩ／ＳＩには、例えば、プログラムマップテーブル（ＰＭＴ：Ｐｒｏｇｒａｍ  Ｍａｐ  Ｔａｂｌｅ）が含まれる。
【０１０４】
ＰＭＴ（Ｐｒｏｇｒａｍ  Ｍａｐ  Ｔａｂｌｅ）は、ＴＳパケットのパケット識別子となるＰＩＤとデータ種別の対応情報としてのマップを含む。ＴＳパケットに対する処理を実行する情報処理装置は、まずＰＭＴを参照して、画像、音声、字幕、その他の制御情報（属性情報）各々のデータに対応するＰＩＤを確認して、確認したデータ種別対応のＰＩＤに基づいて、受信パケットをデータ種類別に分離し、それぞれのデータ種類に応じた処理を行なう。
【０１０５】
なお、図９（Ｅ）に示すように、ＴＳパケットのヘッダ情報には、以下の各データが格納される。
（ａ）同期用バイト（Ｓｙｎｃ  ｂｙｔｅ）
（ｂ）トランスポートエラー識別子（Ｔｒａｎｓｐｏｒｔ＿ｅｒｒｏｒ＿ｉｎｄｉｃａｔｏｒ）
（ｃ）ペイロードユニットスタート識別子（Ｐａｙｌｏａｄ＿ｕｎｉｔ＿ｓｔａｒｔ＿ｉｎｄｉｃａｔｏｒ）
（ｄ）トランスポートプライオリティ（Ｔｒａｎｓｐｏｒｔ＿ｐｒｉｏｒｉｔｙ）
（ｅ）プログラムＩＤ（ＰＩＤ）
（ｆ）トランスポートスクランブリングコントロール（Ｔｒａｎｓｐｏｒｔ  ｓｃｒａｍｂｌｉｎｇ  ｃｏｎｔｒｏｌ）
（ｇ）アダプテーションフィールドコントロール（Ａｄａｐｔａｔｉｏｎ  ｆｉｅｌｄ  ｃｏｎｔｒｏｌ）
（ｈ）コンティニュイティカウンタ（Ｃｏｎｔｉｎｕｉｔｙ  ｃｏｕｎｔｅｒ）
（ｉ）アダプテーションフィールド（Ａｄａｐｔａｔｉｏｎ  ｆｉｅｌｄ）
【０１０６】
［４−２．ＭＰ４フォーマットについて］
次に、例えばスマートフォンなどにおいて多く利用されるフラッシュメモリ等にデータ記録を行う場合に適したフォーマットであるＭＰ４フォーマットについて説明する。
図１０、図１１を参照して、ＭＰ４フォーマットの概要について説明する。
図１０には、ＩＳＯ／ＩＥＣ１４４９６−１４で規定されたＭＰ４フォーマットの例として、以下の２つの例を示している。
（ａ）フラグメンテッド（分割型）ＭＰ４ファイル（ｆｒａｇｍｅｎｔｅｄ  ｍｏｖｉｅ）
（ｂ）ノンフラグメンテッド（非分割型）ＭＰ４ファイル（Ｎｏｎ−ｆｒａｇｍｅｎｔｅｄ  ｍｏｖｉｅ）
これら図１０（ａ），（ｂ）に示すＭＰ４ファイルは、ＭＰ４フォーマットに従ったデータの記録あるいは再生処理における１つの処理単位として設定されるファイルである。
【０１０７】
（ａ）フラグメンテッド（分割型）ＭＰ４ファイル（ｆｒａｇｍｅｎｔｅｄ  ｍｏｖｉｅ）は、再生対象データである画像や音声などのデータを所定時間内の再生データごとに分割して格納したファイルフォーマットである。
（ｂ）ノンフラグメンテッド（非分割型）ＭＰ４ファイル（Ｎｏｎ−ｆｒａｇｍｅｎｔｅｄ  ｍｏｖｉｅ）は、再生対象データである画像や音声などのデータを分割せずに格納したファイルフォーマットである。
【０１０８】
ＭＰ４ファイルは、ボックス（ｂｏｘ）単位の領域設定がなされ、各ボックスには、ボックス単位で定義されたデータが格納される。
各ボックスは、ボックスサイズ（ｂｏｘ−ｓｉｚｅ）、ボックスタイプ（ｂｏｘ−ｔｙｐｅ）、ボックスデータ（ｂｏｘ−ｄａｔａ）の各領域を有する。
ボックスサイズ（ｂｏｘ−ｓｉｚｅ）には、ボックスのデータ長（バイトサイズ）が記録される。
ボックスタイプ（ｂｏｘ−ｔｙｐｅ）には、ボックスに格納するデータの種類が記録される。
ボックスデータ（ｂｏｘ−ｄａｔａ）には、ボックスタイプで示される種類のデータが記録される。
【０１０９】
図１０（ａ）に示すフラグメンテッド（分割型）ＭＰ４ファイルには、以下のタイプのボックスが設定される。
ｍｏｏｖボックス、
ｔｒａｋボックス、
ｍｏｏｆボックス、
ｔｒａｆボックス、
ｍｄａｔボックス、
上記の各ボックスが設定される。
【０１１０】
画像、音声、字幕等の再生対象データである実データはｍｄａｔボックスに分割して格納される。
また、ｍｄａｔボックスの各々にはｍｏｏｆボックスが対応付けられており、ｍｏｏｆボックスには、ｍｏｏｆボックスに対応付けられたｍｄａｔボックスに格納した分割実データに関する属性情報、再生制御情報等のメタデータを格納する。
【０１１１】
図１０（ａ）に示すフラグメンテッド（分割型）ＭＰ４ファイルは、再生対象データの分割データである実データ（ｍｄａｔ）と分割実データ対応のメタデータ（ｍｏｏｆ）を１つのセットデータとして、多数のセットデータを格納し、さらに、格納した複数のセットデータ全体に関するメタデータをｍｏｏｖボックスに格納した構成を有する。
【０１１２】
分割実データ対応のメタデータ（ｍｏｏｆ）の内部には、ｔｒａｆボックスが設定される。
ｔｒａｆボックスには、対応付けられた実データ（ｍｄａｔ）の再生シーケンス情報等が格納される。
【０１１３】
ｍｏｏｖボックスは、ＭＰ４ファイル全体に格納されたデータの再生制御情報等のメタデータの格納領域として設定されるボックスである。
ｍｏｏｖボックス内には、１つ以上のｔｒａｋボックスが設定される。ｔｒａｋボックスは、例えば画像、音声、字幕等のデータ種類別に設定可能であり、各データの再生シーケンス情報等を格納する。
【０１１４】
なお、ＭＰ４ファイルに格納される再生データに複数の異なる画像データ、例えばＨＤ画像、４Ｋ画像等が含まれる場合には、これらの画像種類に応じて個別のｔｒａｋボックスを設定することが可能である。
また、ＭＰ４ファイルの格納音声データに複数の異なる音声データ、例えば日本語音声、英語音声等が含まれる場合には、これらの音声種類に応じて個別のｔｒａｋボックスを設定可能である。
同様に、ＭＰ４ファイルの格納字幕データに複数の異なる字幕データ、例えば日本語字幕、英語字幕等が含まれる場合には、これらの字幕種類に応じて個別のｔｒａｋボックスを設定可能である。
【０１１５】
（ｂ）ノンフラグメンテッド（非分割型）ＭＰ４ファイル（Ｎｏｎ−ｆｒａｇｍｅｎｔｅｄ  ｍｏｖｉｅ）は、再生対象データである画像や音声などのデータを分割せずに格納したファイルフォーマットである。
図１０（ｂ）に示すノンフラグメンテッド（非分割型）ＭＰ４ファイルには、以下のタイプのボックスが設定される。
ｍｏｏｖボックス、
ｔｒａｋボックス、
ｍｄａｔボックス、
上記の各ボックスが設定される。
【０１１６】
ｍｄａｔボックスにはは、再生対象となる実データが格納される。
ｍｏｏｖボックスには、再生対象データである実データ（ｍｄａｔ）に対応して設定されるメタデータ、例えば再生対象実データ（ｍｄａｔ）の属性や再生制御情報を含むメタデータが格納される。
ｍｏｏｖボックス内に設定されるｔｒａｋボックスには、実データ（ｍｄａｔ）の再生シーケンス情報等が格納される。
【０１１７】
前述の（ａ）フラグメンテッド（分割型）ＭＰ４ファイルと同様、（ｂ）ノンフラグメンテッド（非分割型）ＭＰ４ファイルに設定されるｍｏｏｖボックス内にも１つ以上のｔｒａｋボックスが設定される。各ｔｒａｋボックスは、例えば画像、音声、字幕等のデータ種類別に設定される。
【０１１８】
図１０は、ＭＰ４フォーマットの基本構成例を示している。
ＭＰ４フォーマットに関する規格化団体であるＤＥＣＥ（Ｄｉｇｉｔａｌ  Ｅｎｔｅｒｔａｉｎｍｅｎｔ  Ｃｏｎｔｅｎｔ  Ｅｃｏｓｔｓｔｅｍ）は、ＭＰ４ベースの新たなファイルフォーマットとしてＣＦＦ（Ｃｏｍｍｏｎ  Ｆｉｌｅ  Ｆｏｒｍａｔ）を規格化した。このＣＦＦについて、図１１を参照して説明する。
【０１１９】
図１１に示すＣＦＦ（Ｃｏｍｍｏｎ  Ｆｉｌｅ  Ｆｏｒｍａｔ）は、基本的には、図１０（ａ）を参照して説明した分割型（ｆｒａｇｍｅｎｔｅｄ  ｍｏｖｉｅ）ＭＰ４と同様のデータ構成を有する。
【０１２０】
すなわち、図１１に示すＣＦＦ（Ｃｏｍｍｏｎ  Ｆｉｌｅ  Ｆｏｒｍａｔ）ファイルには、先に説明した図１０（ａ）のフラグメンテッド（分割型）ＭＰ４ファイルと同様、以下の各ボックスが設定される。
ｍｏｏｖボックス、
ｔｒａｋボックス、
ｍｏｏｆボックス、
ｔｒａｆボックス、
ｍｄａｔボックス、
上記の各ボックスが設定される。
【０１２１】
各ボックスの格納データは、図１０（ａ）のフラグメンテッド（分割型）ＭＰ４ファイルとほぼ同様である。
ただし、ＣＦＦでは、各ｍｄａｔボックスには、１つの種類のデータのみを格納するという制約が設けられている。
すなわち、各ｍｄａｔボックスには、
（ａ）画像
（ｂ）音声
（ｃ）字幕
これらのデータのいずれか一種類のデータを格納する。上記（ａ）〜（ｃ）のデータを混在させて格納してはならないという制約がある。
【０１２２】
なお、ＣＦＦファイルに複数の異なる画像データ、例えばＨＤ画像、４Ｋ画像等が含まれる場合には、これらの異なる画像は、異なるｍｄａｔボックスに格納する。
同様に、異なる音声データ、例えば日本語音声、英語音声等についても個別のｍｄａｔボックスに格納し、日本語字幕、英語字幕等についても異なるｍｄａｔボックスに格納する。
【０１２３】
図１０（ａ）に示す一般的なフラグメンテッド（分割型）ＭＰ４ファイルでは、１つの分割データ（フラグメント）の格納ボックスとして設定されるｍｄａｔボックスに、画像、音声、字幕等の異なる種類のデータを混在させて格納することが許容されていた。
しかし、図１１に示すＣＦＦ（Ｃｏｍｍｏｎ  Ｆｉｌｅ  Ｆｏｒｍａｔ）では、１つのｍｄａｔボックスには、１つの種類のデータのみしか格納してはならないという制約が設けられている。
【０１２４】
すなわち、画像、音声、または字幕のいずれか一種類のデータのみが各ｍｄａｔボックスに個別に格納される。
従ってｍｄａｔボックス対応のメタデータ格納領域であるｍｏｏｆボックスも、画像、音声、字幕いずれか一種類のデータに対応して設定されるメタデータを格納する設定となる。
【０１２５】
なおＭＰ４フォーマットのデータ部であるｍｄａｔボックスの格納データは、基本データ単位としてのサンプル（ｓａｍｐｌｅ）に区分される。
ＣＦＦ（Ｃｏｍｍｏｎ  Ｆｉｌｅ  Ｆｏｒｍａｔ）では、１つのｍｄａｔボックスには画像サンプルのみの集合、あるいは音声サンプルのみの集合、または字幕サンプルのみの集合、いずれか同一種類のデータサンプルの集合が格納されることになる。
【０１２６】
さらに、ＤＥＣＥの規定したＣＦＦでは、ＣＦＦファイルに格納することを許容する画像、音声、字幕の符号化態様（コーデック）やデータ形式についても規定している。
ＣＦＦファイルに格納することが許容されるデータ形式には、例えば、以下のデータ形式がある。
画像（Ｖｉｄｅｏ）：ＡＶＣ（ＭＰＥＧ−４ＡＶＣ）、ＨＥＶＣ（ＭＰＥＧ−４ＨＥＶＣ）、
音声（Ａｕｄｉｏ）：ＭＰＥＧ−４−ＡＡＣ、Ｄｏｌｂｙ、ＡＣ−３
字幕（ｓｕｂｔｉｔｌｅ）：ＳＭＰＴＥ  Ｔｉｍｅｄ  Ｔｅｘｔ（ＳＭＰＴＥ−ＴＴ）
【０１２７】
［５．ＢＤＭＶフォーマットに従って記録される画像データの種類について］
次に、ＢＤＭＶフォーマットに従って記録される画像データの種類について説明する。
現行のコンテンツ記録済みディスク、例えば映画コンテンツ等の記録メディアであるＢＤ−ＲＯＭ等のメディアの多くは、高画質画像であるＨＤ（Ｈｉｇｈ  Ｄｅｆｉｎｉｔｉｏｎ）画像が記録されている。
現行のＢＤ−ＲＯＭの多くは、主にＨＤ画像、いわゆるハイビジョン対応の２Ｋ画像が記録されている。しかし、今後、さらなる高画質化が進み、超高精細画像（ＵＨＤ：Ｕｌｔｒａ  Ｈｉｇｈ  Ｄｅｆｉｎｉｔｉｏｎ画像）である４Ｋ画像を記録したメディアが増加することが予想される。
【０１２８】
ＢＤに対する超高精細画像（ＵＨＤ画像）のデータ記録態様について、現在、規格策定機関であるＢＤＡ（Ｂｌｕ−ｒａｙ（登録商標）  Ｄｉｓｃ  Ａｓｓｏｃｉａｔｉｏｎ）において規格化が進められている。
ＢＤＡでは、４Ｋ画像に対する対応のみではなく、ディスプレイに出力する画像の色域やコントラスト比を拡張したＨＤＲ（Ｈｉｇｈ  Ｄｙｎａｍｉｃ  Ｒａｎｇｅ）画像の対応も考慮に入れた規格化を策定中である。
【０１２９】
ＨＤＲ画像は、現在の２Ｋ対応ディスプレイにおいて広く利用されているＳＤＲ（Ｓｔａｎｄａｒｄ  Ｄｙｎａｍｉｃ  Ｒａｎｇｅ）画像に比較して、表現可能な色域が広く、またコントラスト比もより大きく設定可能であり、肉眼で見た現実に近い画像表現が可能である。
【０１３０】
例えば、ＢＤにはＨＤＲ画像、またはＳＤＲ画像のいずれか、あるいは両画像が併せて記録され、さらに、記録された画像に関する画像情報も併せて記録される。
ＢＤに記録される画像データの例について図１２以下を参照して説明する。
【０１３１】
図１２は、ＢＤＭＶフォーマットに従ってＢＤに記録される画像データ（ビデオエレメンタリストリーム）の例を示す図である。
図１２には、以下の２つの画像例を示している。
（１）高精細［ＨＤ：Ｈｉｇｈ  Ｄｅｆｉｎｉｔｉｏｎ］画像
（２）超高精細［ＵＨＤ：Ｕｌｔｒａ  Ｈｉｇｈ  Ｄｅｆｉｎｉｔｉｏｎ］画像
ＢＤには、例えば上記の（１），（２）に示す画像データが記録される。
【０１３２】
高精細画像、超高精細画像の定義は、様々であり、明確な規定はないが、一般的には、高精細画像と、超高精細画像とにおいては、例えば、（Ａ）出力画素数、（Ｂ）出力ダイナミックレンジ、（Ｃ）適用色空間、これらの値や設定が異なる画像であるとされる。
【０１３３】
具体的な一例として、（Ａ）出力画素数、（Ｂ）出力ダイナミックレンジ、（Ｃ）適用色空間の設定は以下のような設定となる。
（Ａ）出力画素数は、
高精細画像（ＨＤ）は、２Ｋ（１９２０×１０８０画素）
超高精細画像（ＵＨＤ）は、４Ｋ（３８４０×２１６０画素）以上、
【０１３４】
（Ｂ）出力ダイナミックレンジは、
高精細画像（ＨＤ）は、例えば最大輝度が約１００ｎｉｔのＳＤＲ（Ｓｔａｎｄａｒｄ  Ｄｙｎａｍｉｃ  Ｒａｎｇｅ）
超高精細画像（ＵＨＤ）は、例えば最大輝度が約５００〜１０００ｎｉｔのＨＤＲ（Ｈｉｇｈ  Ｄｙｎａｍｉｃ  Ｒａｎｇｅ）
（Ｃ）適用色空間は、
高精細画像（ＨＤ）は、ＩＴＵ．ＢＴ．７０９
超高精細画像（ＵＨＤ）は、ＩＴＵ．ＢＴ．２０２０
【０１３５】
高精細画像と、超高精細画像は、上記のように、例えば、（Ａ）出力画素数、（Ｂ）出力ダイナミックレンジ、（Ｃ）適用色空間、これらの値や設定が異なる画像であるとされる。
なお、図１２を参照して説明した高精細画像と、超高精細画像に関する（Ａ）出力画素数、（Ｂ）出力ダイナミックレンジ、（Ｃ）適用色空間の値や設定は一例である。
例えば、ＨＤＲではないＳＤＲの４Ｋ画像も超高精細画像と呼ぶ場合もある。
また、２ＫのＨＤＲ画像を超高精細画像と呼ぶこともある。
超高精細画像についての明確な定義はなく、（Ａ）出力画素数、（Ｂ）出力ダイナミックレンジ、（Ｃ）適用色空間、これら少なくともいずれかの設定が現行の高精細画像より上回っている画像を超高精細画像と呼ぶことが多い。
【０１３６】
次に、図１３を参照して、ＢＤに対する画像データの具体的な記録例の種類について説明する。
図１３には、以下の４つの画像データ記録例を示している。
（記録例１）ＳＤＲ画像のみ記録（ＳＤＲシングルストリーム記録）
（記録例２）ＨＤＲ画像のみ記録（ＨＤＲシングルストリーム記録）
（記録例３）ＳＤＲ画像とＨＤＲ画像の並列記録（ＳＤＲ画像とＨＤＲ画像のペアストリーム記録）
（記録例４）ＨＤＲ画像を構成するための基本レイヤと補助レイヤを記録（ダイナミックレンジスケーラビリティを有する画像の記録）
【０１３７】
（記録例１）ＳＤＲ画像のみ記録（ＳＤＲシングルストリーム記録）
（記録例２）ＨＤＲ画像のみ記録（ＨＤＲシングルストリーム記録）
これら（記録例１）と（記録例２）は、ＳＤＲ画像のみ、またはＨＤＲ画像のみがＢＤに記録された例である。再生時には、記録された１つの画像データを読み出して再生を実行する。
【０１３８】
（記録例３）ＳＤＲ画像とＨＤＲ画像の並列記録（ＳＤＲ画像とＨＤＲ画像のペアストリーム記録）
この記録例は、同一コンテンツについて、ＳＤＲ画像とＨＤＲ画像をＢＤに並列に記録した例である。
例えばＳＤＲ画像しか再生できない再生装置は、ＳＤＲ画像を選択して再生することができ、ＨＤＲ画像を再生可能な再生装置はＨＤＲ画像を選択して再生することが可能となる。
このように、同一コンテンツについてＳＤＲ画像ストリームと、ＨＤＲ画像ストリームを並列に記録した構成をペアストリームと呼ぶ。
【０１３９】
（記録例４）ＨＤＲ画像を構成するための基本レイヤと補助レイヤを記録（ダイナミックレンジスケーラビリティを有する画像の記録）
この記録例は、基本レイヤと補助レイヤの双方を利用して再生することで、高画質型のＨＤＲ画像の再生処理が可能となる画像記録例である。
補助レイヤを用いず、基本レイヤのみを用いても低画質型の画像再生が可能なタイプと、基本レイヤのみの再生はできないタイプがある。
【０１４０】
記録例４に対応するデータの例について説明する。
スケーラブル符号化を実行した場合に生成される符号化データ対応の２つのレイヤ、すなわち、基本レイヤと補助レイヤの具体的なレイヤセットの例としては、例えば以下のようなレイヤセット例がある。
（レイヤセット例ａ）
基本レイヤ＝１０ビット深度の符号化映像データ
補助レイヤ＝１２ビット深度に拡張するための補助データ、
（レイヤセット例ｂ）
基本レイヤ＝ＳＤＲ映像符号化データ
補助レイヤ＝ＨＤＲ映像生成用の補助データ
例えば、このようなレイヤセットの組み合わせがある。
【０１４１】
図１３に示すように、様々な異なるデータが記録されているメディアからのデータコピーを行う場合、先に説明したコピー管理構成、すなわち、図４に示す情報処理装置１２０が、コピー管理サーバ１４０からコピー許可情報であるサーバ応答情報１３１を受信してコピー許容データのみのコピーを行なうためには、どのデータがコピー許容データであるかをサーバ応答情報１３１に確実に記録しておくことが必要となる。
このコピー管理処理の詳細については、後段で説明する。
【０１４２】
［６．フォーマット変換を伴うメディア間のデータコピー処理について］
以下、例えばＢＤ（Ｂｌｕ−ｒａｙ（登録商標）  Ｄｉｓｃ）等の第１メディア１０に記録されたＢＤＭＶフォーマットデータを、フラッシュメモリ等の第２メディアに対して、ＢＤＭＶフォーマットと異なるフォーマット、例えばＭＰ４フォーマットに変換してコピーを行う処理について説明する。
【０１４３】
ＢＤ（Ｂｌｕ−ｒａｙ（登録商標）  Ｄｉｓｃ）からＢＤＭＶフォーマットデータを読み取り、ＭＰ４フォーマットデータに変換してフラッシュメモリ等の第２メディアにデータ記録（コピー）を実行する構成例について、図１４を参照して説明する。
【０１４４】
図１４に示す情報処理装置１２０は、第１メディア（ＢＤ）１０からＢＤＭＶフォーマットデータを読み取り、読み取ったデータをＭＰ４フォーマットデータに変換し、第２メディア（フラッシュメモリ）３０に記録する。
【０１４５】
情報処理装置１２０は、このデータ変換処理に際して、第１メディア（ＢＤ）１０から画像、音声、字幕等の再生対象データを格納したＭＰＥＧ−２ＴＳファイル、すなわち、図９を参照して説明したＭＰＥＧ−２ＴＳフォーマットに従って生成されたトランスポートストリーム（ＴＳ）ファイル等を含むＢＤＭＶフォーマットデータ１８１読み出す。
さらに、読み出したＢＤＭＶフォーマットデータ１８１に基づくフォーマット変換を実行してＭＰ４フォーマットデータ１８２を生成して第２メディア（フラッシュメモリ）３０に記録する。
【０１４６】
情報処理装置１２０は、このフォーマット変換処理において、例えばトランスポートストリーム（ＴＳ）ファイル５１に格納された画像データから、コピーが許容された画像データのみを選択してコピーを行う必要がある。
【０１４７】
どのデータのコピー処理が許容されているかについての情報は、先に図４を参照して説明したシーケンスにおいて、管理サーバ１４０から受領するサーバ応答情報（Ｏｆｆｅｒ  Ｒｅｓｐｏｎｓｅ）に記録されている。
先に図１２、図１３を参照して説明したように、ＢＤに記録される画像データには、様々な種類があり、これらの画像データからコピーが許容されたデータのみを選択してコピー処理を実行しなければならない。
サーバ応答情報（Ｏｆｆｅｒ  Ｒｅｓｐｏｎｓｅ）に記録されたコピー制限情報の具体的内容について、次の項目で詳細に説明する。
【０１４８】
［７．管理サーバの提供するサーバ応答情報（Ｏｆｆｅｒ  Ｒｅｓｐｏｎｓｅ）の具体例と表示例について］
次に、管理サーバの提供するサーバ応答情報（Ｏｆｆｅｒ  Ｒｅｓｐｏｎｓｅ）の具体例と表示例について説明する。
【０１４９】
先に図４他を参照して説明したように、管理サーバ１４０は、情報処理装置１２０からのコピー実行要求に応じて、サーバ応答情報（Ｏｆｆｅｒ  Ｒｅｓｐｏｎｓｅ）１３１を生成して情報処理装置１２０に提供する。
サーバ応答情報（Ｏｆｆｅｒ  Ｒｅｓｐｏｎｓｅ）１３１は、
（Ａ）図７を参照して説明した基本情報、
（Ｂ）図１５に示す付加情報、
これらの情報を含む情報である。
【０１５０】
情報処理装置１２０はこれら（Ａ）基本情報と（Ｂ）付加情報を含むサーバ応答情報（Ｏｆｆｅｒ  Ｒｅｓｐｏｎｓｅ）１３１を受信して、情報処理装置１２０の表示部にコピーの許容されるコンテンツのリストやコンテンツの詳細情報を表示する。ユーザは、この表示情報に応じてコピーを行うコンテンツを決定することができる。
【０１５１】
先に図４、図７を参照して説明したように、管理サーバ１４０は、コンテンツのコピー処理を実行する情報処理装置１２０からのコピー実行要求（Ｏｆｆｅｒ  Ｒｅｑｕｅｓｔ）に対する応答として、サーバ応答情報（Ｏｆｆｅｒ  Ｒｅｓｐｏｎｓｅ）１３１を生成して情報処理装置１２０に提供する。
【０１５２】
このサーバ応答情報（Ｏｆｆｅｒ  Ｒｅｓｐｏｎｓｅ）１３１には、図７を参照して説明した基本情報が含まれる。さらに、管理サーバ１４０は図７に示す基本情報の他、図１５に示す付加情報を含むサーバ応答情報（Ｏｆｆｅｒ  Ｒｅｓｐｏｎｓｅ）１３１を生成して情報処理装置１２０に提供する。
【０１５３】
図１５に示す付加情報について説明する。付加情報には以下の情報が含まれる。
（１）第１コピー制限情報
（１ａ）地域制限情報（ｒｅｇｉｏｎ）
（１ｂ）年齢制限情報（ａｇｅ）
（１ｃ）３次元画像（３Ｄ）制限情報
（１ｄ）ダイナミックレンジスケーラビリティ制限情報
（２）第２コピー制限情報
セレクション制限情報（ｓｅｌｅｃｔｉｏｎ）
（２ａ）音声（ａｕｄｉｏ）
（２ｂ）字幕（ｓｕｂｔｉｔｌｅ）
（２ｃ）アングル（ａｎｇｌｅ）＋アングル情報（ａｎｇｌｅＩｎｆｏ）
（２ｄ）ペアストリーム制限情報
（３）プレイリストシーケンス情報
これらの情報である。
なお、これらの情報は、コピー単位として設定されるコピーユニット（ＭＣＵ）対応の情報として設定される。
【０１５４】
これらの各情報について説明する。
（５−１．地域制限情報（ｒｅｇｉｏｎ））
地域制限情報（ｒｅｇｉｏｎ）は、コピーを許容する地域（例えば国、あるいは国の集合等）に関する制限情報である。例えば世界の地域をＡ，Ｂ，Ｃ，・・・として予め区分し、地域Ａ，Ｂの情報処理装置のみコピーを許容するといった情報である。
【０１５５】
コピー処理を実行する情報処理装置１２０は、管理サーバ１４０から受信する地域制限情報（ｒｅｇｉｏｎ）と、情報処理装置１２０内部のメモリに格納された地域コード（Ｒｅｇｉｏｎ  Ｃｏｄｅ）あるいは言語コード（Ｌａｎｇｕａｇｅ  Ｃｏｄｅ）と比較する。情報処理装置１２０は、情報処理装置１２０の格納コードが管理サーバ１４０から受信する地域制限情報（ｒｅｇｉｏｎ）においてコピーを許容した地域のコードであるか否かを判定する。情報処理装置１２０は、情報処理装置１２０の格納コードがコピー許容地域に対応すると判定した場合のみコピー処理を実行し、情報処理装置の格納コードがコピー許容地域に対応しないと判定した場合はコピー処理を実行しない。
【０１５６】
なお、情報処理装置１２０には、その販売地域（例えば国など）に応じて、予め販売地域を示す地域コード（Ｒｅｇｉｏｎ  Ｃｏｄｅ）あるいは使用する言語を示す言語コード（Ｌａｎｇｕａｇｅ  Ｃｏｄｅ）を格納した不揮発性メモリが格納されている。
【０１５７】
さらに、情報処理装置１２０は、例えばコピー先メディアにも、図１５に示す付加情報を格納した属性ファイルを記録する処理を実行してもよい。この属性ファイル記録処理を実行することで、コピー先メディアからのコピーコンテンツ再生時には、属性ファイルに記録された各種の情報を利用したコンテンツ再生制限を行うことが可能となる。すなわち、地域制限情報（ｒｅｇｉｏｎ）に従ってコンテンツ再生制限を行うことが可能となる。
【０１５８】
なお、コピー先メディアからコピーデータの再生を実行する再生装置が、属性ファイルに記録された各種の情報を利用したコンテンツ再生制御が実行できる設定である場合は、上記地域制限情報（ｒｅｇｉｏｎ）に応じたコピー処理の可否を行わず、全てのコピーを許容して実行し、再生時において属性ファイルに記録された地域制限情報（ｒｅｇｉｏｎ）を利用したコンテンツ再生制限を行う構成としてもよい。
【０１５９】
なお、情報処理装置１２０には、コピー処理時の地域制限情報（ｒｅｇｉｏｎ）に基づくコピー可否判定処理、属性ファイル記録を伴うコピー処理、さらにコピーコンテンツの再生処理等に適用するプログラムが予め提供される。
コピー処理の実行時、コピーコンテンツの再生時には、これらのプログラムに従った処理を実行する。なお、これらのプログラムは、情報処理装置１２０の不揮発性メモリに予め記録された構成としてもよいし、第１メディア１１０から提供する構成、あるいは管理サーバ１４０から提供する構成等、様々な設定が可能である。
【０１６０】
（５−２．年齢制限情報（ａｇｅ））
年齢制限情報（ａｇｅ）は、コピーを許容する年齢（例えば１３歳以上、１８歳以上等）を制限するための情報である。例えば暴力シーン等の含まれた映画コンテンツについて１３歳以上のユーザのみにコピーを許容するといった利用が可能である。
【０１６１】
なお、情報処理装置１２０は内部のメモリに予め年齢制限情報を設定することが可能な装置である。例えば、従来から知られるペアレントロック（ｐａｒｅｎｔａｌ  ｒｏｃｋ）機能を利用してもよい。ペアレントロックは、コンテンツ再生時にコンテンツの管理情報として記録された年類制限情報と情報処理装置１２０内のメモリに設定された年齢制限情報とを比較し、情報処理装置１２０内のメモリに設定された年齢制限情報がコンテンツの属性情報として記録された年類制限未満である場合にはコンテンツの再生を実行させない機能を提供する。
【０１６２】
しかし、この機能は、例えばディスク記録のコンテンツ再生に際してディスクに記録された管理情報を読み出して、情報処理装置１２０に設定されたペアレントロック設定情報との比較処理を実行した場合に機能する。すなわち管理情報とコンテンツが併せて記録されたＲＯＭメディアからのコンテンツ再生時には有効に機能する。
【０１６３】
しかし、ＢＤＭＶフォーマットデータに従ったコンテンツのコピー処理に際しては、主にプレイリストファイル〜ＡＶストリームファイルのみが選択されてコピーが行われる。従って、ペアレントロック機能を持つ装置であっても、コピー処理の実行時には情報処理装置１２０のペアレントロックの設定は無視されてしまい、子供であっても全てのコンテンツのコピーが可能になってしまう。また、コピー先のコンテンツを再生する場合、年齢制限情報はコピー先に存在しないため、年齢制限を無視した再生も可能になる。
【０１６４】
本開示の構成では、このような事態を防止するため、コピー処理の実行条件として、管理サーバ１４０から受信する年齢制限情報（ａｇｅ）に基づくコピー可否の判定処理を実行する。
【０１６５】
すなわち、コピー処理を実行する情報処理装置１２０は、管理サーバ１４０から受信する年齢制限情報（ａｇｅ）と、情報処理装置１２０内部のメモリに格納された年齢制限情報（ａｇｅ）（例えばペアレントロックの設定情報）とを比較する。情報処理装置１２０は、情報処理装置１２０のコピー許容の年齢設定が管理サーバ１４０から受信する年齢制限情報（ａｇｅ）においてコピーを許容する年齢であると判定した場合のみコピー処理を実行する。情報処理装置の設定が、年齢制限情報（ａｇｅ）においてコピーを許容する年齢でないと判定した場合はコピー処理を実行しない。
【０１６６】
さらに、図１５に示す付加情報を格納した属性ファイルを作成してコピー先メディアに記録する設定としてもよい。この処理により、コピー先メディアからのコピーコンテンツ再生時に、属性ファイルに記録された年齢制限情報を利用したコンテンツ再生制限を行うことができる。
【０１６７】
なお、コピー先メディアが属性ファイルに記録された各種の情報を利用したコンテンツ再生制限が実行できる設定である場合は、上記年齢制限情報（ａｇｅ）に応じたコピー処理の可否を行わず、全てのコピーを許容してコピー処理を実行し、再生時において属性ファイルに記録された年齢制限情報（ａｇｅ）を利用したコンテンツ再生制限を行う構成としてもよい。
【０１６８】
これらのコピー処理時のコピー可否判定処理、属性ファイル記録を伴うコピー処理、さらにコピーコンテンツの再生処理等に適用するプログラムは情報処理装置１２０に予め提供される。
【０１６９】
（５−３．３次元画像（３Ｄ）制限情報）
３次元画像（３Ｄ）制限情報は、コピー対象コンテンツに３次元画像（３Ｄ）データが含まれる場合のコピー制限情報である。具体的には、
（ｐ１）３Ｄから２Ｄ変換コピー禁止
（ｐ２）３Ｄから２Ｄ変換コピー許容、ただし２Ｄ再生は禁止
（ｐ３）３Ｄから２Ｄ変換コピーを許容、２Ｄ再生も許容
これらの３つの制限情報が３Ｄコンテンツに応じて設定される。
さらに、
（ｑ１）異なる３Ｄフォーマットへの変換コピー許容
（ｑ２）異なる３Ｄフォーマットへの変換コピー禁止
これらの２つの制限情報が３Ｄコンテンツに応じて設定される。
【０１７０】
情報処理装置１２０あるいは情報処理装置１２０に接続した表示装置は大きく分類すると、
３次元画像の再生が可能な装置である場合と、
２次元画像のみの再生しかできない装置である場合、
これらの２つの場合が想定される。
さらに、情報処理装置１２０あるいは情報処理装置１２０に接続した表示装置が３次元画像の再生が可能な装置である場合には、
特定の３次元画像フォーマットに従った再生表示が可能な場合がほとんどであると想定される。
【０１７１】
３次元画像（３Ｄ）制限情報は、このような様々な装置において、３次元画像をコピーする場合の制限情報を設定したものである。
【０１７２】
例えば、情報処理装置１２０あるいは情報処理装置１２０に接続した表示装置が２次元画像のみの再生しかできない装置である場合、情報処理装置１２０のハードディスクにコピー処理を行う場合、２Ｄ画像としてコピーを行えば十分である。
しかし、コンテンツ製作者は、２Ｄ画像としての再生をユーザが行うことを希望しない場合がある。このような場合には、上記の（ｐ１），（ｐ２）の設定とする。すなわち、
（ｐ１）３Ｄから２Ｄ変換コピー禁止
（ｐ２）３Ｄから２Ｄ変換コピー許容、ただし２Ｄ再生は禁止
これらの設定とする。
このような設定とすることで、コンテンツのコピーまたは再生を３Ｄコンテンツとしてのみ許容することが可能となる。
【０１７３】
さらに、３次元画像（３Ｄ）制限情報として、以下の設定が可能である。
（ｑ１）異なる３Ｄフォーマットへの変換コピー許容
（ｑ２）異なる３Ｄフォーマットへの変換コピー禁止
これらの２つの制限情報が３Ｄコンテンツに応じて設定される。
３Ｄ画像のフォーマットとしては、例えば、代表的な方式として、
フレームシーケンシャル（Ｆｒａｍｅ  Ｓｅｑｕｅｎｔｉａｌ）方式、
サイドバイサイド（Ｓｉｄｅ  ｂｙ  Ｓｉｄｅ）方式、
トップアンドボトム（Ｔｏｐ＆Ｂｏｔｔｏｍ）方式、
これらの方式が知られている。
【０１７４】
フレームシーケンシャル（Ｆｒａｍｅ  Ｓｅｑｕｅｎｔｉａｌ）方式は、左目用画像（Ｌ画像）と右目用画像（Ｒ画像）のフレームをＬ、Ｒ、Ｌ、Ｒ、・・・と交互に記録／転送する符号化方式である。
サイドバイサイド（Ｓｉｄｅ  ｂｙ  Ｓｉｄｅ）方式は、ＬＲ画像を１フレーム画像中の左右に分割して記録／転送する符号化方式である。
トップアンドボトム（Ｔｏｐ＆Ｂｏｔｔｏｍ）方式は、ＬＲ画像を１フレーム画像中の上下に分割して記録／転送する符号化方式である。
【０１７５】
現行はこのような様々な方式が混在して利用されている。
情報処理装置１２０あるいは情報処理装置１２０に接続した表示装置が３次元画像の再生が可能な装置である場合でも、上記の３次元画像フォーマットのいずれかのフォーマットに従った再生表示が可能な場合がほとんどであると想定される。
【０１７６】
従って、コピーを行う場合は、情報処理装置１２０あるいは情報処理装置１２０に接続した表示装置において再生可能なフォーマットに変換を行うことが必要となる場合がある。しかし、このようなフォーマット変換を実行すると、３Ｄ画像として品質が低下する場合がある。コンテンツ製作者は、このような品質低下を望まない場合があり、このような場合には、
（ｑ２）異なる３Ｄフォーマットへの変換コピー禁止
この設定がなされることになる。
【０１７７】
コピー処理を実行する情報処理装置１２０は、３Ｄコンテンツのコピー処理に際しては、管理サーバ１４０から受信する３次元画像（３Ｄ）制限情報、すなわち、
（ｐ１）３Ｄから２Ｄ変換コピー禁止
（ｐ２）３Ｄから２Ｄ変換コピー許容、ただし２Ｄ再生は禁止
（ｐ３）３Ｄから２Ｄ変換コピーを許容、２Ｄ再生も許容
（ｑ１）異なる３Ｄフォーマットへの変換コピー許容
（ｑ２）異なる３Ｄフォーマットへの変換コピー禁止
これらの情報を参照して、これらの制限情報に従って３Ｄコンテンツのコピーを行う。
【０１７８】
さらに、図１５に示す付加情報を格納した属性ファイルを作成してコピー先メディアに記録してもよい。この処理により、コピー先メディアからのコピーコンテンツ再生時には、属性ファイルに記録された３次元画像（３Ｄ）制限情報を利用したコンテンツ再生制限を行うことができる。
【０１７９】
なお、コピー先メディアからコピーデータの再生を実行する再生装置が、属性ファイルに記録された各種の情報を利用したコンテンツ再生制限が実行できる設定である場合は、上記３次元画像（３Ｄ）制限情報に応じたコピー処理の可否を行わず、全てのコピーを許容してコピー処理を実行し、再生時において属性ファイルに記録された３次元画像（３Ｄ）制限情報を利用したコンテンツ再生制限を行う構成としてもよい。
【０１８０】
これらのコピー処理時のコピー可否判定処理、属性ファイル記録を伴うコピー処理、さらにコピーコンテンツの再生処理等に適用するプログラムは情報処理装置１２０に予め提供される。
【０１８１】
（５−４．ダイナミックレンジスケーラビリティ制限情報）
ダイナミックレンジスケーラビリティ制限情報は、コピー対象コンテンツに基本レイヤと、補助レイヤの２つのレイヤが含まれる場合のコピー制限情報である。
具体的なダイナミックレンジスケーラビリティ制限情報の設定は以下のいずれかの設定となる。
（ｒ１）基本レイヤのみコピーすることを許容
（ｒ２）基本レイヤと補助レイヤとの双方のコピーを許容
（ｒ３）ダイナミックレンジスケーラビリティを持つストリームのコピーを許容しない
これら（ｒ１）〜（ｒ３）いずれかのコピー制限情報が記録される。
【０１８２】
なお、基本レイヤと補助レイヤは、スケーラブル符号化を実行した場合に生成される符号化データを含む２つのデータ（基本レイヤと補助レイヤ）に相当するデータレイヤである。
先に図１３を参照して説明した記録例中、記録例４に相当するデータに相当する。
【０１８３】
コピー対象データがスケーラブル符号化を実行している符号化データであり、スケーラブル符号化データのコピーを許容している設定の場合には、上記（ｒ１），（ｒ２）のいずれかが設定される。
スケーラブル符号化データを持たない場合や、ダイナミックレンジスケーラビリティを持つストリームのコピーを許可しない設定の場合は、（ｒ３）が設定される。
【０１８４】
スケーラブル符号化を実行した場合に生成される符号化データ対応の２つのレイヤ、すなわち、基本レイヤと補助レイヤの具体的なレイヤセットの例としては、さきに図１３を参照して説明したように、例えば以下のようなレイヤセット例がある。
（レイヤセット例ａ）
基本レイヤ＝１０ビット深度の符号化映像データ
補助レイヤ＝１２ビット深度に拡張するための補助データ、
（レイヤセット例ｂ）
基本レイヤ＝ＳＤＲ映像符号化データ
補助レイヤ＝ＨＤＲ映像生成用の補助データ
例えば、このようなレイヤセットの組み合わせがある。
【０１８５】
なお、情報処理装置１２０における画像再生は、基本レイヤのみを利用して行うことも可能な場合がある。この場合、基本レイヤと補助レイヤを併せて利用することで、より高画質な画像再生が可能なる。
サーバ応答情報中のダイナミックレンジスケーラビリティ制限情報には、管理サーバ１４０によって、上記（ｒ１）〜（ｒ３）のいずれかが指定される。
【０１８６】
コピー処理を実行する情報処理装置１２０は、コンテンツのコピー処理に際して、管理サーバ１４０から受信するダイナミックレンジスケーラビリティ制限情報、すなわち、
（ｒ１）基本レイヤのみコピーすることを許容
（ｒ２）基本レイヤと補助レイヤとの双方のコピーを許容
（ｒ３）ダイナミックレンジスケーラビリティを持つストリームのコピーを許容しない
これらの情報を参照して、これらの制限情報に従ってコンテンツのコピーを行う。
【０１８７】
さらに、図１５に示す付加情報を格納した属性ファイルを作成してコピー先メディアに記録してもよい。この処理により、コピー先メディアからのコピーコンテンツ再生時には、属性ファイルに記録されたダイナミックレンジスケーラビリティ制限情報を利用したコンテンツ再生制限を行うことができる。
【０１８８】
すなわち、コピー先メディアからコピーデータの再生を実行する再生装置が、属性ファイルに記録された各種の情報を利用したコンテンツ再生制御が実行できる場合は、上記ダイナミックレンジスケーラビリティ制限情報に応じたコピー処理の可否を行わず、全てのコピーを許容してコピー処理を実行してもよい。
この場合、コピー先メディアからコピーデータの再生を実行する再生装置は、再生時において属性ファイルに記録されたダイナミックレンジスケーラビリティ制限情報を利用したコンテンツ再生制御を行う。
【０１８９】
コピー先メディアには、画像データの再生に用いられる基本レイヤ、および補助レイヤの各レイヤデータと、各レイヤを利用した再生処理が許容されるか否かを記録したダイナミックレンジスケーラビリティ制限情報が記録される。
再生装置は、これらのデータが記録されたコピー先メディアからデータ再生を行なう際に、ダイナミックレンジスケーラビリティ制限情報を参照して、再生の許容されたレイヤデータのみを選択して再生する。
ダイナミックレンジスケーラビリティ制限情報の設定は、
（１）基本レイヤのみ再生を許容、
（２）基本レイヤと補助レイヤとの双方を利用した再生を許容、
（３）ダイナミックレンジスケーラビリティを持つストリームの再生を許容しない、
上記（１）〜（３）のいずれかの設定となる。
【０１９０】
なお、コピー処理時のコピー可否判定処理、属性ファイル記録を伴うコピー処理、さらにコピーコンテンツの再生処理等に適用するプログラムは情報処理装置１２０に予め提供される。
【０１９１】
（５−５．セレクション制限情報（ｓｅｌｅｃｔｉｏｎ））
次に、第２コピー制限情報であるセレクション制限情報（ｓｅｌｅｃｔｉｏｎ）について説明する。セレクション制限情報は、コピーコンテンツについて以下の情報の設定を制限する情報である。
（２ａ）音声（ａｕｄｉｏ）
（２ｂ）字幕（ｓｕｂｔｉｔｌｅ）
（２ｃ）アングル（ａｎｇｌｅ）
（２ｄ）ペアストリーム制限情報
【０１９２】
（２ａ）音声（ａｕｄｉｏ）は、日本語音声、英語音声、フランス語音声など、例えば映画コンテンツなどに伴って再生される音声（ａｕｄｉｏ）の制限情報であり、コピーコンテンツとして許容する音声データを制限するための情報である。
具体的には、コピーを許容する音声（ａｕｄｉｏ）として属性値が設定され、
音声属性値＝−１（無指定），１（ＪＰＮ（日本語）），２（ＥＮＧ（英語）），３・・・、例えばこのような属性値のいずれかが設定される。
例えば音声属性値＝−１（無指定）の場合、ユーザの自由な音声選択が可能となる。音声属性値＝２（ＪＰＮ（日本語））の場合、日本語音声の設定されたコンテンツのみがコピー許容コンテンツとなる。
【０１９３】
（２ｂ）字幕（ｓｕｂｔｉｔｌｅ）は、日本語字幕、英語字幕、フランス語字幕など、例えば映画コンテンツなどに伴って表示する字幕（ｓｕｂｔｉｔｌｅ）の制限情報であり、コピーコンテンツとして許容する字幕データを制限するための情報である。
具体的には、コピーを許容する字幕（ｓｕｂｔｉｔｌｅ）として属性値が設定され、
字幕属性値＝−１（無指定），１（ＥＮＧ（英語）），２（ＪＰＮ（日本語）），３・・・、例えばこのような属性値のいずれかが設定される。
例えば字幕属性値＝−１（無指定）の場合、ユーザの自由な字幕選択が可能となる。字幕属性値＝２（ＪＰＮ（日本語））の場合、日本語字幕の設定されたコンテンツのみがコピー許容コンテンツとなる。
【０１９４】
（２ｃ）アングル（ａｎｇｌｅ）は、コピーを許容するアングル映像を制限するための情報である。具体的には、例えばミュージックビデオコンテンツなどにおいて、ミュージシャンを構成する複数のメンバー（例えばメンバーｘ，ｙ，ｚ）から特定のメンバーのみにフォーカスした映像を複数設定したコンテンツがある。
例えば、
アングル属性値＝１：メンバーｘを中心として撮影された映像、
アングル属性値＝２：メンバーｙを中心として撮影された映像、
アングル属性値＝３：メンバーｚを中心として撮影された映像、
アングル属性値＝４：メンバーｘ〜ｚをすべて含むように撮影された映像、
このような複数のアングル映像をセットとしたコンテンツがある。
このようなコンテンツから特定のアングルに対応するコンテンツを限定してコピーを許容する設定や、ユーザの好みに応じて選択させる設定が可能となる。
【０１９５】
例えばアングル属性値＝−１（無指定）の場合、ユーザの自由なアングル選択が可能となる。アングル属性値＝２（メンバーｙを中心として撮影された映像）の場合、アングル２(メンバーｙを中心として撮影された映像)のみがコピー許容コンテンツとなる。
なお、アングル情報（ａｎｇｌｅＩｎｆｏ）は、アングル属性値＝１，２，・・・に関するアングル映像に関する説明情報である。これらはコピーコンテンツを選択するためにユーザ装置に表示されるリストに提示される。具体例については後述する。
【０１９６】
（２ｄ）ペアストリーム制限情報は、コピー対象とするストリームを、
（１）ＳＤＲ（標準ダイナミックレンジ）ストリーム、
（２）ＨＤＲ（高ダイナミックレンジ）ストリーム、
上記のいずれのストリームとするかの指定情報、またはユーザが任意に選択可能とした制限情報である。
【０１９７】
（２ｄ）ペアストリーム制限情報の具体的なデータ設定例は、以下のいずれかとなる。
具体的には、コピーを許容する画像ストリームを示す以下の属性値が設定される。
ペアストリーム制限情報属性値＝−１（無指定），
ペアストリーム制限情報属性値＝１（ＳＤＲ），
ペアストリーム制限情報属性値＝２（ＨＤＲ），
例えばこのような属性値のいずれかが設定される。
【０１９８】
さらに、（２ｄ）ペアストリーム制限情報には、付加情報として、以下の各情報が記録される。
（ａ）ＳＤＲ画像ストリームのクリップ名とＰＩＤ
（ｂ）ＨＤＲ画像ストリームのクリップ名とＰＩＤ
コピー処理を実行する情報処理装置は、これらの情報を用いて、コピー対象となるＳＤＲ画像ストリーム、またはＨＤＲ画像ストリームを即座に選択取得することが可能となる。
【０１９９】
（２ｄ）ペアストリーム制限情報の属性値に応じた処理は以下の処理となる。
例えばペアストリーム制限情報属性値＝−１（無指定）の場合、ユーザが自由にストリームを選択（ＳＤＲまたはＨＤＲ）してコピー対象とすることが可能となる。
すなわち、ユーザの選択したＳＤＲ画像ストリーム、またはＨＤＲ画像ストリームをコピーすることができる。
【０２００】
一方、ペアストリーム制限情報属性値＝１（ＳＤＲ）の場合、ＳＤＲ画像ストリームのみがコピー許容コンテンツとなる。
また、ペアストリーム制限情報属性値＝２（ＨＤＲ）の場合、ＨＤＲ画像ストリームのみがコピー許容コンテンツとなる。
【０２０１】
なお、１つのクリップ中にＳＤＲストリームとＨＤＲストリームとが共存するとき、それらのストリームの組をペアストリームと呼ぶ。
ＰＩＤの値は固定値決め打ちにして運用してもよい。例えば、
ＰＩＤ＝０ｘ１０１１はＳＤＲストリーム、
ＰＩＤ＝０ｘ１０１２はＨＤＲストリーム、
このような設定とする。
【０２０２】
ＳＤＲストリームとＨＤＲストリームとでは、映像表現においてダイナミックレンジ以外の差異はないものとする。あくまで、表示デバイスに応じて、選択的に出力される。本制限情報は「セレクション制限情報」の一つとして機能する。ＨＤＲストリームは付加価値としてとらえられるが、必ずＳＤＲストリームとペアにして供給される観点からは、フォールバック・オプションの意味合いが強く、エンド・ユーザーの裁量を優先する。
【０２０３】
具体的なセレクション制限情報（ｓｅｌｅｃｔｉｏｎ）の各属性値の設定は、以下のような設定となる。
コンテンツＡのセレクション制限情報＝（音声，字幕，アングル，ペアストリーム）＝（１，２，１，１）
コンテンツＢのセレクション制限情報＝（音声，字幕，アングル，ペアストリーム）＝（２，２，１，２）
コンテンツＣのセレクション制限情報＝（音声，字幕，アングル，ペアストリーム）＝（−１，−１，２，−１）
このような設定である。
【０２０４】
例えば、コンテンツＡは、
音声属性値＝１（ＥＮＧ（英語））、
字幕属性値＝２（ＪＰＮ（日本語））、
アングル属性値＝１（メンバーｘを中心として撮影された映像）、
ペアストリーム制限情報属性値＝１（ＳＤＲ）
このような設定とされたコンテンツであり、ユーザがコンテンツＡを選択した場合、この設定コンテンツ、すなわちＳＤＲ画像からなるコンテンツのコピーが実行される。
【０２０５】
ＳＤＲ画像対応のクリップのクリップ名は３２１４５であり、ＰＩＤは０ｘ１０２０である。
このクリップ名、ＰＩＤ情報は、（２ｄ）ペアストリーム制限情報に付加情報として記録されている。
情報処理装置は。このクリップ名とＰＩＤに従ったクリップ選択、パケット選択を実行することでＳＤＲ画像コンテンツを選択してコピー処理を実行することができる。
【０２０６】
例えば、コンテンツＢは、
音声属性値＝２（ＪＰＮ（日本語））、
字幕属性値＝２（ＪＰＮ（日本語））、
アングル属性値＝１（メンバーｘを中心として撮影された映像）、
ペアストリーム制限情報属性値＝２（ＨＤＲ）、
このような設定とされたコンテンツであり、ユーザがコンテンツＢを選択した場合、この設定コンテンツ、すなわちＨＤＲ画像からなるコンテンツのコピーが実行される。
ＨＤＲ画像対応のクリップのクリップ名は５４３２１であり、ＰＩＤは０ｘ１０２１である。
このクリップ名、ＰＩＤ情報は、（２ｄ）ペアストリーム制限情報に付加情報として記録されている。
情報処理装置は。このクリップ名とＰＩＤに従ったクリップ選択、パケット選択を実行することでＨＤＲ画像コンテンツを選択してコピー処理を実行することができる。
【０２０７】
例えば、コンテンツＣは、
音声属性値＝−１（無指定）、
字幕属性値＝−１（無指定）、
アングル属性値＝２（メンバーｙを中心として撮影された映像）、
ペアストリーム制限情報属性値＝−１（無指定）、
このような設定とされたコンテンツであり、ユーザがコンテンツＣを選択した場合、この設定コンテンツ、すなわちＳＤＲまたはＨＤＲ画像、いずれかユーザが選択した画像からなるコンテンツのコピーが実行される。
【０２０８】
クリップ名＝１２３４５は、ＨＤＲ画像ストリームと、ＳＤＲ画像ストリームの２つのストリームに対応付けられたクリップのクリップ名である。
また、ＳＤＲ画像対応のデータ格納パケットのＰＩＤは０ｘ１０２０であり、ＨＤＲ画像対応のデータ格納パケットのＰＩＤは０ｘ１０２１である。
このクリップ名、ＰＩＤ情報は、（２ｄ）ペアストリーム制限情報に付加情報として記録されている。
ユーザは、ＳＤＲ画像、ＨＤＲ画像の２つのストリームに対応付けられたクリップを選択し、かつ、
ＳＤＲ画像対応のデータ格納パケットのＰＩＤ＝０ｘ１０２０、または、
ＨＤＲ画像対応のデータ格納パケットのＰＩＤは０ｘ１０２１、
これらのＰＩＤのいずれかを選択してコピー対象データを選択することができる。
【０２０９】
コンテンツＣを選択した場合、音声と字幕、さらに画像（ＳＤＲかＨＤＲ）に関してはユーザが自由に選択可能となり、アングルのみが予め設定されたコンテンツのコピーが実行される。
【０２１０】
情報処理装置１２０は、コンテンツのコピー処理時に、管理サーバ１４０から受信するセレクション制限情報（ｓｅｌｅｃｔｉｏｎ）を参照して、セレクション制限情報（ｓｅｌｅｃｔｉｏｎ）の設定に対応するコンテンツをコピー許容コンテンツとしてコビーする処理を実行する。セレクション制限情報（ｓｅｌｅｃｔｉｏｎ）の設定に反するコンテンツのコピーは許容されないことになる。
【０２１１】
ただし、情報処理装置１２０は、コピー先メディアに応じて、以下の処理を選択的に実行できる。
（処理１）
セレクション制限情報（ｓｅｌｅｃｔｉｏｎ）の設定に対応するデータのみを選択的にコピーする処理を行い、コピー先メディアからの再生可能なコンテンツをセレクション制限情報（ｓｅｌｅｃｔｉｏｎ）の設定に対応するデータのみとする。
（処理２）
セレクション制限情報（ｓｅｌｅｃｔｉｏｎ）の設定に対応するデータも対応しないデータも併せて一括コピーを行い、さらに、セレクション制限情報（ｓｅｌｅｃｔｉｏｎ）を記録した属性ファイルを生成してコピー先メディアに記録する。
【０２１２】
なお、上記（処理２）に従ったコピー処理を行なう場合、コピー先メディアからのコンテンツ再生時に、属性ファイルのセレクション制限情報（ｓｅｌｅｃｔｉｏｎ）に従った再生制御が実行されることが条件である。
この再生制御により、再生可能なコンテンツをセレクション制限情報（ｓｅｌｅｃｔｉｏｎ）の設定に対応するデータのみに制限することが可能となる。
上記（処理２）に従ったコピー処理を行なうと、コピー先メディアには、例えば、以下のデータが記録される。
ＳＤＲ（Ｓｔａｎｄａｒｄ  Ｄｙｎａｍｉｃ  Ｒａｎｇｅ）画像ストリームと、
ＨＤＲ（Ｈｉｇｈ  Ｄｙｎａｍｉｃ  Ｒａｎｇｅ）画像ストリームと、
ＳＤＲ画像ストリームと、ＨＤＲ画像ストリームのいずれの再生処理が許容されるか否かを記録したペアストリーム制限情報、
再生装置が、コピー先メディアからデータ再生を行なう際に、ペアストリーム制限情報を参照して、再生の許容された画像ストリームデータのみを選択して再生することが可能となる。
【０２１３】
例えばコピー先メディアがハードディスク（ＨＤＤ）など、ＢＤ−ＲＯＭ再生シーケンスと同様のシーケンスに従った再生を許容するメディアである場合には、上記（処理２）のコピー処理と再生処理を行うことができる。
また、コピー先メディアがフラッシュメモリなど、ＢＤ−ＲＯＭ再生シーケンスと同様のシーケンスに従った再生を許容するメディアである場合には、属性ファイルの参照処理を伴う再生が不可能であり、上記（処理１）のコピー処理を行う。
【０２１４】
なお、コピー先メディアがハードディスク（ＨＤＤ）など、ＢＤ−ＲＯＭ再生シーケンスと同様のシーケンスに従った再生を許容するメディアであっても、コピーデータの容量を削減するため、上記（処理１）のコピー処理を実行し、選択されたデータのみをコピーする設定としてもよい。
【０２１５】
（５−６．プレイリストシーケンス情報）
次に、プレイリストシーケンス情報について説明する。プレイリストシーケンス情報は、コピーコンテンツの再生時に利用するプレイリストの順番を規定した情報である。
【０２１６】
先に説明したように、コンテンツのコピー処理に際しては、ディスクに記録されたムービーオブジェクト(ＭｏｖｉｅＯｂｊｅｃｔ)ファイルのコピーは実行されず、プレイリストファイル〜ＡＶストリームファイルのみが選択されてコピーが行われる。ムービーオブジェクト(ＭｏｖｉｅＯｂｊｅｃｔ)ファイルにはコンテンツ再生時のプレイリストの利用順が記録されている。第１メディア１１０を利用したコンテンツ再生時には、ムービーオブジェクト(ＭｏｖｉｅＯｂｊｅｃｔ)ファイルのプレイリスト登録情報に従って、プレイリストを順次取得して取得したプレイリストに従って選択されるクリップ情報ファイルとＡＶストリームファイルを利用して再生処理を行うことができる。
【０２１７】
しかし、コンテンツをコピーしたコピー先メディアには、ムービーオブジェクト(ＭｏｖｉｅＯｂｊｅｃｔ)ファイルが存在しない。従って、再生時に適用するためのプレイリストの順番が決定できない。この情報がないと、単純にプレイリストのファイル名に従って再生を行うといった処理を実行することになる。このような処理を行っても正しく再生できるコンテンツもあるが、例えば先に説明したアングルを選択するコンテンツなどでは、特定のプレイリストを選択することが不可欠となる場合がある。音声や、字幕などについても同様であり、特定の音声、字幕を利用した再生を行うためには、特定のプレイリストを選択して再生することが必要となる。
【０２１８】
図１５に示すサーバ応答情報（Ｏｆｆｅｒ  Ｒｅｓｐｏｎｓｅ）の付加情報は、先に図７を参照して説明したサーバ応答情報（Ｏｆｆｅｒ  Ｒｅｓｐｏｎｓｅ）の基本情報に併せて、管理サーバ１４０から、コピー処理を実行する情報処理装置１２０に提供される。
【０２１９】
次に、図１６、図１７を参照して、コピー処理を実行する情報処理装置１２０に対して管理サーバ１４０が提供するサーバ応答情報（Ｏｆｆｅｒ  Ｒｅｓｐｏｎｓｅ）の具体例と表示例について説明する。
【０２２０】
図４に示すシーケンス図において、管理サーバ１４０は、サーバ応答情報（Ｏｆｆｅｒ  Ｒｅｓｐｏｎｓｅ）１３１を例えばＸＭＬデータとして生成し情報処理装置１２０に提供する。
このＸＭＬデータの一部のデータ例について、図１６を参照して説明する。
図１６は、１つのコピー単位としての１つのコピーユニットに対応するサーバ応答情報の一部データを示している。
（ａ）コピーユニット［ＭＣＵ＿０００２］：エピソードセット
この１つのコピーユニットである。
【０２２１】
管理サーバ１４０は、サーバ応答情報（Ｏｆｆｅｒ  Ｒｅｓｐｏｎｓｅ）１３１をコピーユニット単位で生成して情報処理装置１２０に提供する。
図１６は、サーバ応答情報（Ｏｆｆｅｒ  Ｒｅｓｐｏｎｓｅ）１３１に含まれる基本情報と、付加情報の主要部分を示すＸＭＬデータである。
【０２２２】
図１６に示すＸＭＬデータについて説明する。
（ａ）コピーユニット［ＭＣＵ＿０００２］：エピソードセットにおけるデータ２０１は、先に図１５を参照して説明した付加情報中の年齢制限情報（ａｇｅ）の設定データである。データ２０２，２０３は、先に図１５を参照して説明した付加情報中のセレクション制限情報（ｓｅｌｅｃｔｉｏｎ）の設定データである。
【０２２３】
データ２０１の年齢制限情報（ａｇｅ）の設定値は、「１７」である。このデータ「１７」は、１７歳以上のみがコピー許容ユーザであることを示している。
情報処理装置１２０においてコピーが実行される場合、この年齢制限情報（ａｇｅ）の設定値「１７」と、情報処理装置１２０内部のメモリに格納された年齢制限情報（ａｇｅ）（例えばペアレントロックの設定情報）とを比較する。情報処理装置１２０内部のメモリに格納された年齢制限情報（ａｇｅ）が例えば「１３」（例えばペアレントロック設定有り）の場合は、情報処理装置の設定が、年齢制限情報（ａｇｅ）においてコピーを許容する年齢でないと判定し、コピーを実行しないことになる。
【０２２４】
なお、コピー自体は実行可能な設定とし、年齢制限情報（ａｇｅ）を含む属性ファイルを生成してコピー先に記録する処理を行う構成としてもよい。
すなわち、再生時に属性ファイルを参照して年齢制限情報（ａｇｅ）を取得して再生装置のメモリに格納された年齢制限情報（ａｇｅ）（例えばペアレントロックの設定情報）と比較して再生を許容するデータのみを再生する。
このような再生制御が可能な機器（例えばＨＤＤ）に対してコピーを行う場合は、コピー自体は実行可能な設定としてもよい。
【０２２５】
データ２０２に示すセレクション制限情報（ｓｅｌｅｃｔｉｏｎ）は、コピーコンテンツの以下の情報の設定を制限する情報である。
（ａ）音声（ａｕｄｉｏ）
（ｂ）字幕（ｓｕｂｔｉｔｌｅ）
（ｃ）アングル（ａｎｇｌｅ）
（ｄ）アングル情報（ａｎｇｌｅＩｎｆｏ）
これらの各設定値が記録されている。
【０２２６】
データ２０３に示すセレクション制限情報（ｓｅｌｅｃｔｉｏｎ）は、コピーコンテンツの以下の情報の設定を制限する情報である。
（ｅ）ペアストリーム制限情報
図に示す例では、ペアストリーム制限情報として以下のパラメータが記録されている。
ペアストリーム制限情報属性値＝−１
クリップ名（ｃｌｉｐ）＝１２３４５
ＰＩＤ（ＳＤＲ）＝０ｘ１０２０
ＰＩＤ（ＨＤＲ）＝０ｘ１０２１
【０２２７】
このパラメータ設定例は、先に図１５を参照して説明したペアストリーム制限情報属性値＝−１（無指定）に相当する。
すなわち、ユーザは、ＳＤＲ画像ストリーム。またはＨＤＲ画像ストリームのいずれかを自由にコピー対象として選択できる。
ユーザは、ＳＤＲ画像ストリーム、またはＨＤＲ画像ストリームのいずれか、コピー対象として選択したストリームに対応付けられたクリップ（１２３４５）を選択し、かつ、
ＳＤＲ画像対応のデータ格納パケットのＰＩＤ＝０ｘ１０２０、または、
ＨＤＲ画像対応のデータ格納パケットのＰＩＤは０ｘ１０２１、
これらのＰＩＤのいずれかを選択してコピー対象データをＳＤＲ画像、またはＨＤＲ画像、いずれをも選択することができる。
【０２２８】
図１７に示すデータは、例えば図１５、図１６を参照して説明したサーバ応答情報に示すセレクション制限情報（ｓｅｌｅｃｔｉｏｎ）に基づいて、情報処理装置１２０の表示部に表示されるセレクション制限情報の例である。
【０２２９】
図１６のデータ２０２，２０３に対応する複数の異なるセレクション制限情報が、図１７に示すエントリ（１ａ），（１ｂ），（２ａ），（２ｂ）の各エントリに表示されている。すなわち、
【０２３０】
エントリ（１ａ），（１ｂ）は、
１つのコピー対象ユニット［（１）ＭＩＢ／エピソード１］に対応してユーザが選択可能な２つのエントリに相当する。る
エントリ（１ａ）は、
（ａ）音声（ａｕｄｉｏ）＝日本語音声
（ｂ）字幕（ｓｕｂｔｉｔｌｅ）＝英語字幕
（ｃ）アングル情報（ａｎｇｌｅＩｎｆｏ）＝正面アングル
（ｄ）ペアストリーム制限情報＝ＨＤＲ画像
これらのセレクション制限情報が設定されたエントリである。
【０２３１】
エントリ（１ｂ）は、
（ａ）音声（ａｕｄｉｏ）＝日本語音声
（ｂ）字幕（ｓｕｂｔｉｔｌｅ）＝英語字幕
（ｃ）アングル情報（ａｎｇｌｅＩｎｆｏ）＝正面アングル
（ｄ）ペアストリーム制限情報＝ＳＤＲ画像
これらのセレクション制限情報が設定されたエントリである。
【０２３２】
すなわち、ユーザは、１つのコピー対象ユニット［（１）ＭＩＢ／エピソード１］については、
（ａ）音声（ａｕｄｉｏ）＝日本語音声
（ｂ）字幕（ｓｕｂｔｉｔｌｅ）＝英語字幕
（ｃ）アングル情報（ａｎｇｌｅＩｎｆｏ）＝正面アングル
これらの設定に従ったＨＤＲ画像ストリーム、またはＳＤＲ画像ストリームのいずれかをコピー対象として選択することができる。
【０２３３】
また、エントリ（２ａ），（２ｂ）は、
１つのコピー対象ユニット［（２）ＭＩＢ／エピソード２］に対応してユーザが選択可能な２つのエントリに相当する。る
エントリ（２ａ）は、
（ａ）音声（ａｕｄｉｏ）＝日本語音声
（ｂ）字幕（ｓｕｂｔｉｔｌｅ）＝英語字幕
（ｃ）アングル情報（ａｎｇｌｅＩｎｆｏ）＝正面アングル
（ｄ）ペアストリーム制限情報＝ＨＤＲ画像
これらのセレクション制限情報が設定されたエントリである。
【０２３４】
エントリ（２ｂ）は、
（ａ）音声（ａｕｄｉｏ）＝日本語音声
（ｂ）字幕（ｓｕｂｔｉｔｌｅ）＝英語字幕
（ｃ）アングル情報（ａｎｇｌｅＩｎｆｏ）＝正面アングル
（ｄ）ペアストリーム制限情報＝ＳＤＲ画像
これらのセレクション制限情報が設定されたエントリである。
【０２３５】
すなわち、ユーザは、１つのコピー対象ユニット［（２）ＭＩＢ／エピソード２］についても、
（ａ）音声（ａｕｄｉｏ）＝日本語音声
（ｂ）字幕（ｓｕｂｔｉｔｌｅ）＝英語字幕
（ｃ）アングル情報（ａｎｇｌｅＩｎｆｏ）＝正面アングル
これらの設定に従ったＨＤＲ画像ストリーム、またはＳＤＲ画像ストリームのいずれかをコピー対象として選択することができる。
【０２３６】
なお、図１６を参照して説明したＸＭＬデータ中に記録された音声や字幕他の属性値と、その具体的な意味（言語）との対応データは、例えばプレイリストファイル内のプレイアイテム情報として記録されるＳＴＮテーブル（ＳＴＮ＿ｔａｂｌｅ）等に記録されている。情報処理装置は、図１７に示す表示データを生成する際、コピーユニット対応のプレイリストファイルを情報記録媒体（第１メディア）から取得し、取得したプレイリストファイルに記録されたＳＴＮテーブルを参照して、ＸＭＬデータ中に記録された各属性値の具体的な言語情報を取得して表示を行うことができる。
【０２３７】
なお、ＸＭＬデータに属性値に併せて具体的な言語情報を記録する構成としたサーバ応答情報（Ｏｆｆｅｒ  Ｒｅｓｐｏｎｓｅ）を管理サーバ１４０が生成する構成としてもよい。この場合は、上記のテーブル検索は不要となる。
【０２３８】
［８．情報処理装置の実行する処理シーケンスについて］
次に、情報処理装置１２０において実行する処理シーケンスについて図２２以下のフローチャートを参照して説明する。
以下に示す処理シーケンスについて、順次説明する。
（８−１）サーバ応答情報中のダイナミックレンジスケーラビリティ情報を用いたコピー処理シーケンス（図１８〜図１９）
（８−２）サーバ応答情報中のペアストリーム制限情報を用いたコピー処理シーケンス（図２０〜図２１）
（８−３）コピー処理の全体処理シーケンス（図２２〜図２６）
なお、これらの処理は、図４に示す情報処理装置１２０において実行する処理である。情報処理装置１２０はプログラム実行機能を持つＣＰＵを備えたデータ処理部を有し、データ処理部の制御下で各処理が実行される。なお、情報処理装置１２０のハードウェア構成例については後段で説明する。
【０２３９】
［（８−１）サーバ応答情報中のダイナミックレンジスケーラビリティ情報を用いたコピー処理シーケンス（図１８〜図１９）］
まず、図１８、図１９を参照してサーバ応答情報中のダイナミックレンジスケーラビリティ情報を用いたコピー処理シーケンスについて説明する。
【０２４０】
図１８、図１９に示すフローの各ステップの処理について説明する。
（ステップＳ３１）
情報処理装置のデータ処理部は、ステップＳ３１において、管理サーバから受信したサーバ応答情報（Ｏｆｆｅｒ  Ｒｅｓｐｏｎｓｅ）を読み出す。
先に図１５他を参照して説明したサーバ応答情報中の付加情報に含まれるコピー制限情報を読み出す。
【０２４１】
（ステップＳ３２）
次に、情報処理装置のデータ処理部は、ステップＳ３２において、コピー元メディア（第１メディア）に記録された画像データが基本レイヤと、補助レイヤを有するか否かを判定する。
すなわち、コピー元メディア（第１メディア）にダイナミックレンジスケーラビリティを有する画像が記録されているか否かを判定する。
【０２４２】
ダイナミックレンジスケーラビリティを有する画像とは、先に図１３を参照して説明した（記録例４）に相当する画像である。
ステップＳ３２では、コピー元メディア（第１メディア）に、
（記録例４）ＨＤＲ画像を構成するための基本レイヤと補助レイヤが記録、すなわち、ダイナミックレンジスケーラビリティを有する画像が記録されているか否かを判定する。
【０２４３】
なお、この記録例４に対応するデータ例としては、例えば以下のようなレイヤセット例がある。
（レイヤセット例ａ）
基本レイヤ＝１０ビット深度の符号化映像データ
補助レイヤ＝１２ビット深度に拡張するための補助データ、
（レイヤセット例ｂ）
基本レイヤ＝ＳＤＲ映像符号化データ
補助レイヤ＝ＨＤＲ映像生成用の補助データ
例えば、このようなレイヤセットの組み合わせがある。
【０２４４】
ステップＳ３２において、情報処理装置のデータ処理部は、コピー元メディア（第１メディア）に記録された画像データが基本レイヤと、補助レイヤを有するか否かを判定する。
基本レイヤと、補助レイヤを有することが確認された場合は、ステップＳ３３に進む。
一方、基本レイヤと、補助レイヤを有していない場合は、ペアストリーム判定処理（図２０）に進む。
【０２４５】
（ステップＳ３３〜Ｓ３４）
ステップＳ３２において、コピー元メディア（第１メディア）に記録された画像データが基本レイヤと、補助レイヤを有すると確認した場合は、ステップＳ３３に進む。
情報処理装置は、ステップＳ３３において、サーバ応答情報からコピー制限情報に含まれるダイナミックレンジスケーラビリティ情報の設定値を取得する。
先に図１５他を参照して説明したサーバ応答情報中の付加情報に含まれるコピー制限情報内のダイナミックレンジスケーラビリティ情報の設定値である。
【０２４６】
先に、図１５を参照して説明したように、コピー制限情報のダイナミックレンジスケーラビリティ制限情報の設定値は、以下のいずれかである。
（ｒ１）基本レイヤのみコピーすることを許容
（ｒ２）基本レイヤと補助レイヤとの双方のコピーを許容
（ｒ３）ダイナミックレンジスケーラビリティを持つストリームのコピーを許容しない
コピー制限情報のダイナミックレンジスケーラビリティ制限情報の設定値として、これら（ｒ１）〜（ｒ３）いずれかが記録されている。
【０２４７】
コピー処理を実行する情報処理装置のデータ処理部は、ステップＳ３３〜Ｓ３４において、コピー制限情報のダイナミックレンジスケーラビリティ制限情報の設定値が、上記の（ｒ１）〜（ｒ３）の何れであるかを確認する。
【０２４８】
ダイナミックレンジスケーラビリティ制限情報の設定値が、以下の（ｒ１）、すなわち、
（ｒ１）基本レイヤのみコピーすることを許容
上記設定であれば、ステップＳ３５に進む。
【０２４９】
また、ダイナミックレンジスケーラビリティ制限情報の設定値が、以下の（ｒ２）、すなわち、
（ｒ２）基本レイヤと補助レイヤとの双方のコピーを許容
上記設定であれば、ステップＳ３６に進む。
【０２５０】
一方、ダイナミックレンジスケーラビリティ制限情報の設定値が、以下の（ｒ３）、すなわち、
（ｒ３）ダイナミックレンジスケーラビリティを持つストリームのコピーを許容しない
この設定である場合は、ダイナミックレンジスケーラビリティを持つストリームのコピーを許容していないと判定し、ステップＳ３９に進む。
【０２５１】
（ステップＳ３５）
ステップＳ３４において、ダイナミックレンジスケーラビリティ制限情報の設定値が、
（ｒ１）基本レイヤのみコピーすることを許容
上記設定である場合は、ステップＳ３５において、コピー対象データを基本レイヤとして決定する。
【０２５２】
（ステップＳ３６）
ステップＳ３４において、ダイナミックレンジスケーラビリティ制限情報の設定値が、
（ｒ２）基本レイヤと補助レイヤとの双方のコピーを許容
上記設定であることが確認された場合は、ステップＳ３６の処理を実行する。
ステップＳ３６では、コピー実行装置と、コピー先メディアを利用して再生を行なう再生装置、これら２つの装置の機能情報を取得して、これらの機能情報に応じてコピー対象データを決定する。
【０２５３】
すなわち、例えば、
コピー実行装置が、基本レイヤと補助レイヤを区別してコピー可能か、基本レイヤと補助レイヤを用いて合成画像を生成することが可能か否か等のコピー実行装置機能情報を取得する。
さらに、コピー先メディアを利用して再生を行なう再生装置の機能情報として、基本レイヤと補助レイヤを利用した再生処理が実行できるか否か等の装置機能情報を取得する。
【０２５４】
なお、装置機能情報の取得処理は、装置の記憶部に格納された装置情報の取得、さらに入出力部を介して入力する外部装置（コピー先メディアの再生装置）の装置情報の取得処理として実行する。あるいは、ユーザ問い合わせを実行して、ユーザから入力された回答に基づいて取得してもよい。
【０２５５】
次に、情報処理装置は、取得した装置機能情報に基づいて、コピー対象データを決定する。具体的には、
（１）基本レイヤのみ、
（２）基本レイヤと、補助レイヤ、
（３）基本レイヤと補助レイヤに基づいて生成された合成画像、
これらのいずれをコピー対象とするかを決定する。
【０２５６】
具体的には、ダイナミックレンジスケーラビリティ制限情報の設定値が、
（ｒ２）基本レイヤと補助レイヤとの双方のコピーを許容
上記設定である場合において、
（ａ）コピー実行装置が補助レイヤを解釈できない、
上記条件（ａ）を満たす場合は、
基本レイヤのみをコピー対象として決定する。
【０２５７】
さらに、ダイナミックレンジスケーラビリティ制限情報の設定値が、
（ｒ２）基本レイヤと補助レイヤとの双方のコピーを許容
上記設定である場合において、
（ｂ）コピー実行装置とコピー先メディア再生装置のいずれもが補助レイヤを解釈できる構成である場合、
上記条件（ｂ）を満たす場合は、
基本レイヤと補助レイヤをコピー対象として決定する。
【０２５８】
さらに、ダイナミックレンジスケーラビリティ制限情報の設定値が、
（ｒ２）基本レイヤと補助レイヤとの双方のコピーを許容
上記設定である場合において、
（ｃ）コピー実行装置が補助レイヤを解釈できるが、コピー先メディア再生装置が補助レイヤを解釈できない構成である場合、
上記条件（ｃ）を満たす場合は、
基本レイヤと補助レイヤから合成画像を生成して生成した合成画像をコピー対象として決定する。
【０２５９】
（ステップＳ３７〜Ｓ３８）
次に、情報処理装置は、ステップＳ３７〜Ｓ３８において、サーバ応答情報中のその他のコピー制限情報に基づくコピー許容判定処理を実行する。
具体的には、サーバ応答情報から取得したコピー制限情報に含まれる地域制限情報（ｒｅｇｉｏｎ），年齢制限情報（ａｇｅ），３次元画像（３Ｄ）制限情報の設定値に従って、コピーが許容されるか否かを判定する。
コピーが許容されると判定した場合は、ステップＳ４１に進む。
一方、コピーが許容されないと判定した場合は、ステップＳ３９に進む。
【０２６０】
（ステップＳ３９）
ステップＳ３９では、コピー不可であることをユーザに通知し処理を終了する。例えば、情報処理装置の表示部にコピー可能なコンテンツがないことを通知するメッセージを出力する。
【０２６１】
（ステップＳ４１）
ステップＳ３７〜Ｓ３８において、コピー処理が許容されると判定した場合、情報処理装置は、ステップＳ４１において、ステップＳ３６で決定したコピー対象データが下記のいずれであるかを判定する。
（１）基本レイヤのみ、
（２）基本レイヤと、補助レイヤ、
（３）基本レイヤと補助レイヤに基づいて生成された合成画像、
これらのいずれがコピー対象として決定されたかを判定する。
【０２６２】
（１）コピー対象が、基本レイヤのみの場合、ステップＳ４２に進む。
（２）コピー対象が、基本レイヤと、補助レイヤの場合、ステップＳ４４に進む。
（３）コピー対象が、基本レイヤと補助レイヤに基づいて生成された合成画像の場合、ステップＳ４６に進む。
【０２６３】
（ステップＳ４２〜Ｓ４３）
ステップＳ４１において、コピー対象が、基本レイヤのみであると判定された場合、ステップＳ４２に進む。
ステップＳ４２〜Ｓ４３では、基本レイヤをコピー対象として選択し、コピー元メディア（第１メディア）から、基本レイヤデータと、基本レイヤ対応のメタデータを取得する。
【０２６４】
（ステップＳ４４〜Ｓ４５）
ステップＳ４１において、コピー対象が、基本レイヤと補助レイヤであると判定された場合、ステップＳ４４に進む。
ステップＳ４４〜Ｓ４５では、基本レイヤと補助レイヤをコピー対象として選択し、コピー元メディア（第１メディア）から、基本レイヤデータと、補助レイヤデータと、基本レイヤおよび補助レイヤ対応のメタデータを取得する。
【０２６５】
（ステップＳ４６〜Ｓ４８）
ステップＳ４１において、コピー対象が、基本レイヤと補助レイヤに基づいて生成した合成画像であると判定された場合、ステップＳ４６に進む。
ステップＳ４６〜Ｓ４８では、基本レイヤと補助レイヤをコピー元メディア（第１メディア）から取得し、これらの各レイヤデータを用いて合成画像を生成する。
さらに合成画像の再生に必要なメタデータを取得する。
【０２６６】
（ステップＳ４９）
ステップＳ４３、またはステップＳ４５、またはステップＳ４８、いずれかの処理が完了すると、ステップＳ４９に進む。
情報処理装置は、ステップＳ４９において、コピー元メディア（第１メディア）から取得したレイヤデータ、または合成画像データ、およびメタデータを、コピー先メディアの記録フォーマットに従って記録する処理を実行する。
【０２６７】
例えばコピー元メディア（第１メディア）の記録フォーマットであるＢＤＭＶフォーマットデータを、コピー先メディア（第２メディア）の記録フォーマットであるＭＰ４フォーマットに変換してコピー先メディア（第２メディア）に記録する処理を実行する。
【０２６８】
［（８−２）サーバ応答情報中のペアストリーム制限情報を用いたコピー処理シーケンス（図２０〜図２１）］
次に、図２０〜図２１に示すフローチャートを参照して、サーバ応答情報中のペアストリーム制限情報を用いたコピー処理シーケンスについて説明する。
ペアストリーム制限情報は、先に図１５を参照して説明したように、以下のようなコピー許容画像ストリーム指定情報である。
具体的には、コピーを許容する画像ストリームを示す以下の属性値が設定される。
ペアストリーム制限情報属性値＝−１（無指定），
ペアストリーム制限情報属性値＝１（ＳＤＲ），
ペアストリーム制限情報属性値＝２（ＨＤＲ），
例えばこのような属性値のいずれかが設定される。
【０２６９】
図２０〜図２１に示すフローの各ステップの処理について説明する。
（ステップＳ５１〜５２）
情報処理装置は、ステップＳ５１〜Ｓ５２において、サーバ応答情報中の第１コピー制限情報に基づくコピー許容判定処理を実行する。
具体的には、サーバ応答情報から取得したコピー制限情報に含まれる地域制限情報（ｒｅｇｉｏｎ），年齢制限情報（ａｇｅ），３次元画像（３Ｄ）制限情報の設定値に従って、コピーが許容されるか否かを判定する。
なお、ステップＳ５１は、先に図１８を参照して説明したステップＳ３２において、コピー元メディア（第１メディア）に記録された画像データが基本レイヤと補助レイヤからなる画像ではない、すなわち、ダイナミックレンジスケーラビリティを有する画像でないことが確認済みであるので、ダイナミックレンジスケーラビリティ情報に基づく判定は不要である。
【０２７０】
サーバ応答情報から取得したコピー制限情報に含まれる地域制限情報（ｒｅｇｉｏｎ），年齢制限情報（ａｇｅ），３次元画像（３Ｄ）制限情報の設定値に従って、コピーが許容されると判定した場合は、ステップＳ５４に進む。
一方、コピーが許容されないと判定した場合は、ステップＳ５３に進む。
【０２７１】
（ステップＳ５３）
ステップＳ５３では、コピー不可であることをユーザに通知し処理を終了する。例えば、情報処理装置の表示部にコピー可能なコンテンツがないことを通知するメッセージを出力する。
【０２７２】
（ステップＳ５４）
ステップＳ５２の判定処理において、コピーが許容されると判定した場合は、ステップＳ５４に進む。
ステップＳ５４において、情報処理装置のデータ処理部は、ステップＳ５４において、コピー元メディア（第１メディア）に記録された画像データがペアストリームであるか否かを判定する。
【０２７３】
ペアストリームとは、先に図１３を参照して説明した（記録例３）に相当する画像ストリームである。
（記録例３）ＳＤＲ画像とＨＤＲ画像の並列記録（ＳＤＲ画像とＨＤＲ画像のペアストリーム記録）
である。
この記録例は、同一コンテンツについて、ＳＤＲ画像とＨＤＲ画像をＢＤに並列に記録した例である。
例えばＳＤＲ画像しか再生できない再生装置は、ＳＤＲ画像を選択して再生することができ、ＨＤＲ画像を再生可能な再生装置はＨＤＲ画像を選択して再生することが可能となる。
このように、同一コンテンツについてＳＤＲ画像ストリームと、ＨＤＲ画像ストリームを並列に記録した構成をペアストリームと呼ぶ。
【０２７４】
コピー元メディア（第１メディア）に記録された画像データがペアストリームであると判定した場合は、ステップＳ５５に進む。
ペアストリームでないと判定した場合は、シングルストリームのコピー処理を実行する。
【０２７５】
（ステップＳ５５）
情報処理装置のデータ処理部は、ステップＳ５５において、サーバ応答情報（Ｏｆｆｅｒ  Ｒｅｓｐｏｎｓｅ）から、ペアストリーム制限情報を取得する。
【０２７６】
先に図１５を参照して説明したように、サーバ応答情報（Ｏｆｆｅｒ  Ｒｅｓｐｏｎｓｅ）に記録されるペアストリーム制限情報は、コピー対象とするストリームを、
（１）ＳＤＲ（標準ダイナミックレンジ）ストリーム、
（２）ＨＤＲ（高ダイナミックレンジ）ストリーム、
上記のいずれのストリームに制限するか、またはユーザが任意に選択可能とするかを規定した制限情報である。
【０２７７】
サーバ応答情報（Ｏｆｆｅｒ  Ｒｅｓｐｏｎｓｅ）に記録されるペアストリーム制限情報の具体的なデータ設定例は、先に図１５を参照して説明したように以下の通りとなる。
具体的には、コピーを許容する画像ストリームを示す以下の属性値が設定される。
ペアストリーム制限情報属性値＝−１（無指定），
ペアストリーム制限情報属性値＝１（ＳＤＲ），
ペアストリーム制限情報属性値＝２（ＨＤＲ），
例えばこのような属性値のいずれかが設定される。
【０２７８】
さらに、ペアストリーム制限情報には、付加情報として、以下の各情報が記録される。
（ａ）ＳＤＲ画像ストリームのクリップ名とＰＩＤ
（ｂ）ＨＤＲ画像ストリームのクリップ名とＰＩＤ
コピー処理を実行する情報処理装置は、これらの情報を用いて、コピー対象となるＳＤＲ画像ストリーム、またはＨＤＲ画像ストリームを即座に選択取得することが可能となる。
【０２７９】
ペアストリーム制限情報として、
ペアストリーム制限情報属性値＝１（ＳＤＲ），
ペアストリーム制限情報属性値＝２（ＨＤＲ），
上記の属性値、すなわち、１（ＳＤＲ），２（ＨＤＲ）のいずれかの指定データが記録されていた場合は、
情報処理装置は、このいずれかの指定データ（ＳＤＲ画像データ、またはＨＤＲ画像データ）を選択してコピーすることができる。
【０２８０】
一方、（２ｄ）ペアストリーム制限情報として、
ペアストリーム制限情報属性値＝−１（無指定）
上記−１（無指定）が記録されていた場合は、
情報処理装置は、ＳＤＲ（標準ダイナミックレンジ）ストリーム、またはＨＤＲ（高ダイナミックレンジ）ストリームのいずれかをユーザ選択に応じて選択的にコピーすることができる。
【０２８１】
（ステップＳ７１）
情報処理装置のデータ処理部は、ステップＳ７１において、ペアストリーム制限情報の設定値を確認する。すなわち、
ペアストリーム制限情報属性値＝−１（無指定）
ペアストリーム制限情報属性値＝１（ＳＤＲ），
ペアストリーム制限情報属性値＝２（ＨＤＲ），
上記いずれの設定であるかを確認する。
【０２８２】
ペアストリーム制限情報が、［−１（無指定）］の設定である場合、ステップＳ７２に進む。
また、ペアストリーム制限情報が、［１（ＳＤＲ）］，または［２（ＨＤＲ）］の設定である場合、ステップＳ７６に進む。
【０２８３】
（ステップＳ７２）
ステップＳ７１において、ペアストリーム制限情報が、［−１（無指定）］の設定であると確認された場合、ステップＳ７２に進む。
ステップＳ７２において、情報処理装置は、コピー対象データをＳＤＲ画像とするか、ＨＤＲ画像とするかについての問い合わせを行う。
【０２８４】
ステップＳ７２において、ユーザからコピー対象データの選択情報（ＳＤＲ、またはＨＤＲ）が取得できた場合は、ステップＳ７３に進む。
一方、ユーザからコピー対象データの選択情報（ＳＤＲ、またはＨＤＲ）が取得できなかった場合は、ステップＳ７４に進む。
【０２８５】
（ステップＳ７３）
ステップＳ７２において、ユーザからコピー対象データの選択情報（ＳＤＲ、またはＨＤＲ）が取得できた場合は、ステップＳ７３に進む。
ステップＳ７３において、情報処理装置は、ユーザの選択したストリーム、すなわちＳＤＲストリーム、またはＨＤＲストリーム、いずれか一方のストリームをコピー対象データとして選択する。
【０２８６】
（ステップＳ７４）
一方、ステップＳ７２において、ユーザからコピー対象データの選択情報（ＳＤＲ、またはＨＤＲ）が取得できなかった場合は、ステップＳ７４に進む。
ステップＳ７４において、情報処理装置は、情報処理装置のダイナミックレンジ、色空間設定情報に応じてコピー対象データを選択する。
【０２８７】
すなわち、情報処理装置がＨＤＲ画像対応のダイナミックレンジ、色空間を解釈、利用可能な装置である場合はコピー対象としてＨＤＲ画像データを選択する。
一方、情報処理装置がＨＤＲ画像対応のダイナミックレンジ、色空間を解釈、利用可能な装置でない場合はコピー対象としてＳＤＲ画像データを選択する。
【０２８８】
（ステップＳ７５）
ステップＳ７３、またはステップＳ７４において、コピー対象データが決定されると、情報処理装置は、ステップＳ７５において、以下の処理を実行する。
ユーザ選択、または情報処理装置に応じて選択された画像（ＳＤＲまたはＨＤＲ）に対応する付加情報としてペアストリーム制限情報に格納されているクリップ名からクリップ（クリップ情報ファイル／ストリームファイル）を取得し、選択ストリーム（ＨＤＲまたはＳＤＲ）対応のＰＩＤに基づいてコピー対象データを格納したパケットを、順次選択して、コピー処理を実行する。
【０２８９】
なお、このコピー処理では、コピー先メディアの記録フォーマットに従って記録する処理を実行する。
例えばコピー元メディア（第１メディア）の記録フォーマットであるＢＤＭＶフォーマットデータを、コピー先メディア（第２メディア）の記録フォーマットであるＭＰ４フォーマットに変換してコピー先メディア（第２メディア）に記録する処理を実行する。
【０２９０】
（ステップＳ７６）
一方、ステップＳ７１において、サーバ応答情報（Ｏｆｆｅｒ  Ｒｅｓｐｏｎｓｅ）に記録されたペアストリーム制限情報の設定が、［−１（無指定）］の設定でない場合、すなわち、
ペアストリーム制限情報属性値＝１（ＳＤＲ），
ペアストリーム制限情報属性値＝２（ＨＤＲ），
上記［１（ＳＤＲ），２（ＨＤＲ）］のいずれかの設定である場合は、ステップＳ７６の処理を実行する。
【０２９１】
情報処理装置は、ステップＳ７６において、以下の処理を実行する。
ペアストリーム制限情報の設定値、すなわち、［１（ＳＤＲ）］，または［２（ＨＤＲ）］の設定値に応じて、選択された画像（ＳＤＲまたはＨＤＲ）に対応する付加情報として、ペアストリーム制限情報に格納されているクリップ名からクリップ（クリップ情報ファイル／ストリームファイル）を取得し、ストリーム対応のＰＩＤに基づいてコピー対象データを格納したパケットを、順次選択して、コピー処理を実行する。
【０２９２】
なお、このコピー処理では、コピー先メディアの記録フォーマットに従って記録する処理を実行する。
例えばコピー元メディア（第１メディア）の記録フォーマットであるＢＤＭＶフォーマットデータを、コピー先メディア（第２メディア）の記録フォーマットであるＭＰ４フォーマットに変換してコピー先メディア（第２メディア）に記録する処理を実行する。
【０２９３】
なお、ステップＳ７６において選択されるコピー対象データは、ペアストリーム制限情報の設定に応じて異なるものとなる。
ペアストリーム制限情報の設定が、
ペアストリーム制限情報属性値＝１（ＳＤＲ），
上記の場合は、コピー対象データはＳＤＲ画像となる。
【０２９４】
一方、ペアストリーム制限情報の設定が、
ペアストリーム制限情報属性値＝２（ＨＤＲ），
上記の場合は、コピー対象データはＨＤＲ画像となる。
【０２９５】
［８−３．コピー処理の全体処理シーケンス（図２２〜図２６）］
次に、図２２〜図２６を参照して、コピー先の第２メディアにコンテンツのコピー処理を実行する場合の全体処理シーケンスについて説明する。
【０２９６】
図２２〜図２６に示すフローの各ステップの処理について説明する。
（ステップＳ１０１）
情報処理装置のデータ処理部は、ステップＳ１０１において、管理サーバから受信したサーバ応答情報（Ｏｆｆｅｒ  Ｒｅｓｐｏｎｓｅ）を読み出す。
【０２９７】
（ステップＳ１０２）
次に、情報処理装置のデータ処理部は、ステップＳ１０２において、サーバ応答情報からコピー制限情報に含まれる地域制限情報（ｒｅｇｉｏｎ），年齢制限情報（ａｇｅ），３次元画像（３Ｄ）制限情報の設定値を取得する。
先に図１５他を参照して説明したサーバ応答情報中の付加情報に含まれるコピー制限情報である。
【０２９８】
（ステップＳ１０３〜Ｓ１０４）
次に、情報処理装置のデータ処理部は、ステップＳ１０３〜Ｓ１０４において、サーバ応答情報から取得したコピー制限情報に含まれる地域制限情報（ｒｅｇｉｏｎ），年齢制限情報（ａｇｅ），３次元画像（３Ｄ）制限情報の設定値に従って、コピーが許容されるか否かを判定する。
【０２９９】
コピー処理を実行する情報処理装置１２０は、管理サーバ１４０から受信する地域制限情報（ｒｅｇｉｏｎ）と、情報処理装置１２０内部のメモリに格納された地域コード（Ｒｅｇｉｏｎ  Ｃｏｄｅ）あるいは言語コード（Ｌａｎｇｕａｇｅ  Ｃｏｄｅ）と比較する。さらに、情報処理装置１２０は、管理サーバ１４０から受信する年齢制限情報（ａｇｅ）と、情報処理装置１２０内部のメモリに格納された年齢制限情報（ａｇｅ）（例えばペアレントロックの設定情報）とを比較する。
【０３００】
さらに、サーバ応答情報から取得したコピー制限情報の３次元画像（３Ｄ）制限情報の設定値に応じたデータのコピーが可能か否かを判定する。なお、この判定処理に際しては、コピー先メディア利用機器の３Ｄ画像再生機能情報を考慮して実行することが望ましい。例えば、ユーザ入力によってコピー先メディア利用機器の３Ｄ画像再生機能情報を取得して判定処理を行なう。
【０３０１】
ステップＳ１０４において、サーバ応答情報から取得したコピー制限情報に含まれる地域制限情報（ｒｅｇｉｏｎ），年齢制限情報（ａｇｅ），３次元画像（３Ｄ）制限情報の全ての設定値に基づいて、コピーが許容されると判定した場合は、ステップＳ２０１に進む。
一方、コピー制限情報に含まれる地域制限情報（ｒｅｇｉｏｎ），年齢制限情報（ａｇｅ），３次元画像（３Ｄ）制限情報のいずれかの設定値に基づいて、コピーが許容されないと判定した場合は、ステップＳ１０５に進む。
【０３０２】
（ステップＳ１０５）
ピー制限情報に含まれる地域制限情報（ｒｅｇｉｏｎ），年齢制限情報（ａｇｅ），３次元画像（３Ｄ）制限情報のいずれかの設定値に基づいて、コピーが許容されないと判定した場合は、ステップＳ１０５に進む。ステップＳ１０５では、コピー不可であることをユーザに通知し処理を終了する。例えば、情報処理装置の表示部にコピー可能なコンテンツがないことを通知するメッセージを出力する。
【０３０３】
次に、ステップＳ１０４において、サーバ応答情報から取得したコピー制限情報に含まれる地域制限情報（ｒｅｇｉｏｎ），年齢制限情報（ａｇｅ），３次元画像（３Ｄ）制限情報の全ての設定値に基づいて、コピーが許容されると判定した場合の処理について、図２３以下のフローチャートを参照して説明する。
【０３０４】
図２３〜図２６のフローチャートを参照して説明する処理は、コピー制限情報中のダイナミックレンジスケーラビリティ制限情報と、セレクション制限情報を適用した処理の詳細シーケンスである。以下、各ステップの処理につい、順次、説明する。
【０３０５】
（ステップＳ２０１）
ステップＳ２０１において、情報処理装置のデータ処理部は、コピー制限情報のダイナミックレンジスケーラビリティ制限情報の設定値を取得する。
先に、図１５を参照して説明したように、コピー制限情報のダイナミックレンジスケーラビリティ制限情報の設定値は、以下のいずれかである。
（ｒ１）基本レイヤのみコピーすることを許容
（ｒ２）基本レイヤと補助レイヤとの双方のコピーを許容
（ｒ３）ダイナミックレンジスケーラビリティを持つストリームのコピーを許容しない
コピー制限情報のダイナミックレンジスケーラビリティ制限情報の設定値としては、これら（ｒ１）〜（ｒ３）いずれかが記録される。
【０３０６】
コピー処理を実行する情報処理装置のデータ処理部は、ステップＳ２０１において、コピー制限情報のダイナミックレンジスケーラビリティ制限情報の設定値が、上記の（ｒ１）〜（ｒ３）の何れであるかを確認する。
【０３０７】
（ステップＳ２０２）
次に、情報処理装置のデータ処理部は、ステップＳ２０２において、コピー制限情報のダイナミックレンジスケーラビリティ制限情報の設定値が、ダイナミックレンジスケーラビリティを持つストリームのコピーを許容しているか否かを判定する。
【０３０８】
すなわち、ダイナミックレンジスケーラビリティ制限情報の設定値が、以下の（ｒ１），（ｒ２）のいずれか、すなわち、
（ｒ１）基本レイヤのみコピーすることを許容
（ｒ２）基本レイヤと補助レイヤとの双方のコピーを許容
これらのいずれかであれば、ダイナミックレンジスケーラビリティを持つストリームのコピーを許容していると判定し、ステップＳ２０３に進む。
【０３０９】
一方、ダイナミックレンジスケーラビリティ制限情報の設定値が、以下の（ｒ３）、すなわち、
（ｒ３）ダイナミックレンジスケーラビリティを持つストリームのコピーを許容しない
この設定である場合は、ダイナミックレンジスケーラビリティを持つストリームのコピーを許容していないと判定し、ステップＳ２０６に進む。
【０３１０】
（ステップＳ２０３〜Ｓ２０５）
ステップＳ２０２において、ダイナミックレンジスケーラビリティ制限情報の設定値が、
（ｒ１）基本レイヤのみコピーすることを許容
（ｒ２）基本レイヤと補助レイヤとの双方のコピーを許容
これらのいずれかであることが確認され、ダイナミックレンジスケーラビリティを持つストリームのコピーを許容していると判定した場合は、ステップＳ２０３の判定処理を実行する。
【０３１１】
ステップＳ２０３では、ユーザがダイナミックレンジスケーラビリティを持つストリームのコピーを希望するか否かを判定する。
この判定処理は、例えば情報処理装置の表示部に、ダイナミックレンジスケーラビリティを持つストリームのコピーを希望するか否かを問い合わせるメッセージを表示し、回答をユーザに入力させる等の処理によって行われる。
【０３１２】
ユーザがダイナミックレンジスケーラビリティを持つストリームのコピーを希望することが確認された場合は、ステップＳ２０４に進み、処理Ａ（図２４に示すフローに従った処理）を実行する。
一方、ユーザがダイナミックレンジスケーラビリティを持つストリームのコピーを希望しないことが確認された場合は、ステップＳ２０５に進み、処理Ｂ（図２５に示すフローに従った処理）を実行する。
【０３１３】
（ステップＳ２０６）
ステップＳ２０２において、ダイナミックレンジスケーラビリティ制限情報の設定値が、
（ｒ３）ダイナミックレンジスケーラビリティを持つストリームのコピーを許容しない
この設定であることが確認され、ダイナミックレンジスケーラビリティを持つストリームのコピーを許容していないと判定した場合は、ステップＳ２０６の処理を実行する。
【０３１４】
ステップＳ２０６では、情報処理装置のデータ処理部は、ダイナミックレンジスケーラビリティを持つストリームのコピーは不可であることをユーザに通知する。例えば表示部にコピー不可を示すメッセージを表示する。
【０３１５】
次に、図２４に示すフローチャートを参照して処理Ａについて説明する。
処理Ａは、ステップＳ２０３において、ユーザがダイナミックレンジスケーラビリティを持つストリームのコピーを希望することが確認された場合に実行される処理である。
なお、ダイナミックレンジスケーラビリティ制限情報の設定値は、
（ｒ１）基本レイヤのみコピーすることを許容
（ｒ２）基本レイヤと補助レイヤとの双方のコピーを許容
これらのいずれかであることが確認され、ダイナミックレンジスケーラビリティを持つストリームのコピーが許容されていることが確認されている。
【０３１６】
（ステップＳ２５１）
情報処理装置のデータ処理部は、ステップＳ２５１において、ダイナミックレンジスケーラビリティ制限情報設定値が、基本レイヤのみのコピー許可を示す設定であるか否かを判定する。すなわち、ダイナミックレンジスケーラビリティ制限情報の設定値が、
（ｒ２）基本レイヤと補助レイヤとの双方のコピーを許容
この（ｒ２）の設定ではなく、
（ｒ１）基本レイヤのみコピーすることを許容
上記（ｒ１）の設定であるか否かを判定する。
【０３１７】
ダイナミックレンジスケーラビリティ制限情報設定値が、基本レイヤのみのコピー許可を示す上記の（ｒ１）の設定である場合は、ステップＳ２５２に進む。
一方、ダイナミックレンジスケーラビリティ制限情報設定値が、
（ｒ２）基本レイヤと補助レイヤとの双方のコピーを許容
この（ｒ２）の設定である場合は、ステップＳ２６１に進む。
【０３１８】
（ステップＳ２５２）
ダイナミックレンジスケーラビリティ制限情報設定値が、基本レイヤのみのコピー許可を示す上記の（ｒ１）の設定である場合は、ステップＳ２５２に進む。
ステップＳ２５２において、情報処理装置のデータ処理部は、補助レイヤのコピーが許可されないことをユーザに通知する。例えば表示部に通知メッセージを表示する。
【０３１９】
（ステップＳ２５３）
次に、情報処理装置のデータ処理部は、基本レイヤのみをコピー対象として選択し、ステップＳ４０１以下において、コピー先メディア（第２メディア）に対するコピー処理を実行する。
【０３２０】
このコピー処理は、サーバ応答情報のコピー制限情報に含まれるダイナミックレンジスケーラビリティ制限情報の設定値、すなわち、
（ｒ１）基本レイヤのみコピーすることを許容
この設定値に従ったコピー処理として実行されることになる。
【０３２１】
（ステップＳ２６１）
一方、ステップＳ２５１において、ダイナミックレンジスケーラビリティ制限情報設定値が、基本レイヤのみのコピー許可を示す設定でない、すなわち、
（ｒ２）基本レイヤと補助レイヤとの双方のコピーを許容
この（ｒ２）の設定である場合は、ステップＳ２６１以下の処理を実行する。
【０３２２】
情報処理装置のデータ処理部は、ステップＳ２６１において、コピー処理を実行している情報処理装置（コピー装置）が補助レイヤの解釈が可能か否かを判定する。
【０３２３】
前述したように、基本レイヤと補助レイヤの組み合わせの設定としては、例えば、以下の設定がある。
（レイヤセット例ａ）
基本レイヤ＝１０ビット深度の符号化映像データ
補助レイヤ＝１２ビット深度に拡張するための補助データ、
（レイヤセット例ｂ）
基本レイヤ＝ＳＤＲ映像符号化データ
補助レイヤ＝ＨＤＲ映像生成用の補助データ
例えば、このようなレイヤセットの組み合わせがある。
【０３２４】
コピー処理を実行している情報処理装置は、これらの各レイヤセットの全てについて解釈可能な装置であるとは限らない。
コピー処理を実行する場合には、補助レイヤのデータ構成等を解釈可能であることが必要であり、解釈できない場合はコピー処理が実行できない。
【０３２５】
補助レイヤについて解釈できない場合は、ステップＳ２６５に進む。
ステップＳ２６５において、情報処理装置のデータ処理部は、コピー可能なコンテンツがないことをユーザに通知し処理を終了する。
一方、ステップＳ２６１において、コピー処理を実行している情報処理装置（コピー装置）が補助レイヤの解釈が可能であると判定した場合は、ステップＳ２６２に進む。
【０３２６】
（ステップＳ２６５）
ステップＳ２６５では、コピー可能なコンテンツがないことをユーザに通知し処理を終了する。例えば、情報処理装置の表示部にコピー可能なコンテンツがないことを通知するメッセージを出力する。
【０３２７】
（ステップＳ２６２）
ステップＳ２６１において、コピー処理を実行している情報処理装置（コピー装置）が補助レイヤの解釈が可能であると判定した場合、次に、情報処理装置は、ステップＳ２６２において、コピー先のメディアを利用したデータ再生を実行するコピー先装置が、補助レイヤの解釈が可能な装置であるか否かを確認する。
【０３２８】
この確認処理は、例えば、コピー先のメディアを利用したデータ再生を実行するコピー先装置についての問い合わせメッセージを情報処理装置の表示部に表示し、ユーザの回答入力に基づいて確認する。
【０３２９】
コピー先のメディアを利用したデータ再生を実行するコピー先装置が、補助レイヤの解釈が可能な装置であることが確認された場合は、ステップＳ２８１に進む。
一方、コピー先のメディアを利用したデータ再生を実行するコピー先装置が、補助レイヤの解釈が可能な装置であることが確認されなかった場合は、ステップＳ２６３に進む。
【０３３０】
（ステップＳ２８１）
ステップＳ２６２において、コピー先のメディアを利用したデータ再生を実行するコピー先装置が、補助レイヤの解釈が可能な装置であることが確認された場合は、ステップＳ２８１に進む。
情報処理装置は、ステップＳ２８１において、基本レイヤと補助レイヤの２つのレイヤをコピー対象として選択し、ステップＳ４０１以下のコピー処理を実行する。
【０３３１】
（ステップＳ２６３）
ステップＳ２６２において、コピー先のメディアを利用したデータ再生を実行するコピー先装置が、補助レイヤの解釈が可能な装置であることが確認されなかった場合は、ステップＳ２６３に進む。
【０３３２】
ステップＳ２６３において、情報処理装置は、コピー先のメディアを利用したデータ再生を実行するコピー先装置が、基本レイヤと補助レイヤとの合成画像を再生可能な装置であるか否かを確認する。
【０３３３】
この確認処理は、例えば、コピー先のメディアを利用したデータ再生を実行するコピー先装置についての問い合わせメッセージを情報処理装置の表示部に表示し、ユーザの回答入力に基づいて確認する。
【０３３４】
コピー先のメディアを利用したデータ再生を実行するコピー先装置が、基本レイヤと補助レイヤとの合成画像を再生可能な装置であることが確認された場合は、ステップＳ２６４に進む。
【０３３５】
一方、コピー先のメディアを利用したデータ再生を実行するコピー先装置が、基本レイヤと補助レイヤとの合成画像を再生可能な装置であることが確認されなかった場合は、ステップＳ２６５に進む。
ステップＳ２６５において、情報処理装置のデータ処理部は、コピー可能なコンテンツがないことをユーザに通知し処理を終了する。
【０３３６】
（ステップＳ２６４）
ステップＳ２６３において、コピー先のメディアを利用したデータ再生を実行するコピー先装置が、基本レイヤと補助レイヤとの合成画像を再生可能な装置であることが確認された場合は、ステップＳ２６４に進む。
【０３３７】
情報処理装置は、ステップＳ２６４において、基本レイヤと補助レイヤに基づく合成画像をコピー処理対象として設定し、ステップＳ４０１以下において合成画像のコピー処理を実行する。
すなわち、この場合、情報処理装置は、ステップＳ４０１以下において実行するコピー処理に際して、基本レイヤと補助レイヤの各データに基づく合成画像を生成し、生成した合成画像をコピー先メディア（第２メディア）に記録する処理を実行する。
【０３３８】
次に、図２３に示すフローのステップＳ２０５に示す処理Ｂについて図２５に示すフローチャートを参照して説明する。
処理Ｂは、図２３のフローのステップＳ２０２の判定がＹｅｓ、ステップＳ２０３の判定がＮｏの場合、すなわち、以下の判定がなされた場合に実行される。
（Ｓ２０２−Ｙｅｓ）コピー制限情報のダイナミックレンジスケーラビリティ制限情報の設定値が、ダイナミックレンジスケーラビリティを持つストリームのコピーを許容しており、かつ、
（Ｓ２０３−Ｎｏ）ユーザがダイナミックレンジスケーラビリティを持つストリームのコピーを希望しない、
これらの判定がなされた場合に処理Ｂが実行される。
【０３３９】
図２５に示すフローチャートを参照して、処理Ｂについて説明する。
（ステップＳ３０１）
情報処理装置のデータ処理部は、ステップＳ３０１において、サーバ応答情報（Ｏｆｆｅｒ  Ｒｅｓｐｏｎｓｅ）から、ペアストリーム制限情報を取得する。
【０３４０】
先に図１５を参照して説明したように、サーバ応答情報（Ｏｆｆｅｒ  Ｒｅｓｐｏｎｓｅ）に記録されるペアストリーム制限情報は、コピー対象とするストリームを、
（１）ＳＤＲ（標準ダイナミックレンジ）ストリーム、
（２）ＨＤＲ（高ダイナミックレンジ）ストリーム、
上記のいずれのストリームに制限するか、またはユーザが任意に選択可能とするかを規定した制限情報である。
【０３４１】
サーバ応答情報（Ｏｆｆｅｒ  Ｒｅｓｐｏｎｓｅ）に記録されるペアストリーム制限情報の具体的なデータ設定例は、先に図１５を参照して説明したように以下の通りとなる。
具体的には、コピーを許容する画像ストリームを示す以下の属性値が設定される。
ペアストリーム制限情報属性値＝−１（無指定），
ペアストリーム制限情報属性値＝１（ＳＤＲ），
ペアストリーム制限情報属性値＝２（ＨＤＲ），
例えばこのような属性値のいずれかが設定される。
【０３４２】
さらに、ペアストリーム制限情報には、付加情報として、以下の各情報が記録される。
（ａ）ＳＤＲ画像ストリームのクリップ名とＰＩＤ
（ｂ）ＨＤＲ画像ストリームのクリップ名とＰＩＤ
コピー処理を実行する情報処理装置は、これらの情報を用いて、コピー対象となるＳＤＲ画像ストリーム、またはＨＤＲ画像ストリームを即座に選択取得することが可能となる。
【０３４３】
ペアストリーム制限情報として、
ペアストリーム制限情報属性値＝１（ＳＤＲ），
ペアストリーム制限情報属性値＝２（ＨＤＲ），
上記の属性値、すなわち、１（ＳＤＲ），２（ＨＤＲ）のいずれかの指定データが記録されていた場合は、
情報処理装置１２０は、このいずれかの指定データ（ＳＤＲ画像データ、またはＨＤＲ画像データ）を選択してコピーすることができる。
【０３４４】
一方、（２ｄ）ペアストリーム制限情報として、
ペアストリーム制限情報属性値＝−１（無指定）
上記−１（無指定）が記録されていた場合は、
情報処理装置１２０は、ＳＤＲ（標準ダイナミックレンジ）ストリーム、またはＨＤＲ（高ダイナミックレンジ）ストリームのいずれかをユーザ選択に応じて選択的にコピーすることができる。
【０３４５】
（ステップＳ３０２）
情報処理装置のデータ処理部は、ステップＳ３０２において、ペアストリーム制限情報が、無指定、すなわち、
ペアストリーム制限情報属性値＝−１（無指定）
上記［−１（無指定）］の設定であるか否かを判定する。
【０３４６】
ペアストリーム制限情報が、この［−１（無指定）］の設定である場合、ユーザは、ＳＤＲ（標準ダイナミックレンジ）ストリーム、またはＨＤＲ（高ダイナミックレンジ）ストリームのいずれかを自由に選択してコピーすることができる。
【０３４７】
ペアストリーム制限情報が、この［−１（無指定）］の設定である場合、ステップＳ３０３に進む。
一方、ペアストリーム制限情報が、この［−１（無指定）］の設定でない場合、すなわち、
ペアストリーム制限情報属性値＝１（ＳＤＲ），
ペアストリーム制限情報属性値＝２（ＨＤＲ），
上記［１（ＳＤＲ），２（ＨＤＲ）］のいずれかの設定である場合は、ステップＳ３０８に進む。
なお、この場合、情報処理装置１２０は、ＳＤＲ、ＨＤＲいずれか一方の指定データのみを選択してコピーすることができる。
【０３４８】
（ステップＳ３０３〜Ｓ３０４）
ステップＳ３０２において、ペアストリーム制限情報が、［−１（無指定）］の設定であると確認された場合、ステップＳ３０３に進む。
ステップＳ３０３において、情報処理装置は、コピー対象データをＳＤＲ画像とするか、ＨＤＲ画像とするかについての問い合わせを行う。
【０３４９】
ステップＳ３０４において、ユーザからコピー対象データの選択情報（ＳＤＲ、またはＨＤＲ）が取得できた場合は、ステップＳ３０５に進む。
一方、ユーザからコピー対象データの選択情報（ＳＤＲ、またはＨＤＲ）が取得できなかった場合は、ステップＳ３０６に進む。
【０３５０】
（ステップＳ３０５）
ステップＳ３０４において、ユーザからコピー対象データの選択情報（ＳＤＲ、またはＨＤＲ）が取得できた場合は、ステップＳ３０５に進む。
ステップＳ３０５において、情報処理装置は、ユーザの選択したストリーム、すなわちＳＤＲストリーム、またはＨＤＲストリーム、いずれか一方のストリームをコピー対象データとして選択する。
【０３５１】
（ステップＳ３０６）
一方、ステップＳ３０４において、ユーザからコピー対象データの選択情報（ＳＤＲ、またはＨＤＲ）が取得できなかった場合は、ステップＳ３０６に進む。
ステップＳ３０６において、情報処理装置は、情報処理装置のダイナミックレンジ、色空間設定情報に応じてコピー対象データを選択する。
【０３５２】
すなわち、情報処理装置がＨＤＲ画像対応のダイナミックレンジ、色空間を解釈、利用可能な装置である場合はコピー対象としてＨＤＲ画像データを選択する。
一方、情報処理装置がＨＤＲ画像対応のダイナミックレンジ、色空間を解釈、利用可能な装置でない場合はコピー対象としてＳＤＲ画像データを選択する。
【０３５３】
（ステップＳ３０７）
ステップＳ３０５、またはステップＳ３０６において、コピー対象データが決定されると、情報処理装置は、ステップＳ３０７において、以下の処理を実行する。
ユーザ選択、または情報処理装置に応じて選択された画像（ＳＤＲまたはＨＤＲ）に対応する付加情報としてペアストリーム制限情報に格納されているクリップ名からクリップ（クリップ情報ファイル／ストリームファイル）を取得し、選択ストリーム（ＨＤＲまたはＳＤＲ）対応のＰＩＤに基づいてコピー対象データを格納したパケットを、順次選択する。
これらのコピー対象データ（パケット）選択後に、ステップＳ４０１以下のコピー処理を実行する。
【０３５４】
（ステップＳ３０８）
一方、ステップＳ３０２において、サーバ応答情報（Ｏｆｆｅｒ  Ｒｅｓｐｏｎｓｅ）に記録されたペアストリーム制限情報の設定が、［−１（無指定）］の設定でない場合、すなわち、
ペアストリーム制限情報属性値＝１（ＳＤＲ），
ペアストリーム制限情報属性値＝２（ＨＤＲ），
上記［１（ＳＤＲ），２（ＨＤＲ）］のいずれかの設定である場合は、ステップＳ３０８の処理を実行する。
【０３５５】
情報処理装置は、ステップＳ３０８において、以下の処理を実行する。
ペアストリーム制限情報の設定値、すなわち、［１（ＳＤＲ）］，または［２（ＨＤＲ）］の設定値に応じて、選択された画像（ＳＤＲまたはＨＤＲ）に対応する付加情報として、ペアストリーム制限情報に格納されているクリップ名からクリップ（クリップ情報ファイル／ストリームファイル）を取得し、ストリーム対応のＰＩＤに基づいてコピー対象データを格納したパケットを、順次選択する。
これらのコピー対象データ（パケット）選択後に、ステップＳ４０１以下のコピー処理を実行する。
【０３５６】
なお、ステップＳ３０８において選択されるコピー対象データは、ペアストリーム制限情報の設定に応じて異なるものとなる。
ペアストリーム制限情報の設定が、
ペアストリーム制限情報属性値＝１（ＳＤＲ），
上記の場合は、コピー対象データはＳＤＲ画像となる。
【０３５７】
一方、ペアストリーム制限情報の設定が、
ペアストリーム制限情報属性値＝２（ＨＤＲ），
上記の場合は、コピー対象データはＨＤＲ画像となる。
【０３５８】
次に、図２６に示すフローチャートを参照して、コピー対象データの決定後に実行されるコピー処理のシーケンスについて説明する。
図２６に示すステップＳ４０１以下の処理は、以下の各処理（１）〜（５）が実行された後に行われる。
（１）図２４に示すフローのステップＳ２５３＝基本レイヤのみをコピー対象データに決定する処理。
（２）図２４に示すフローのステップＳ２６４＝基本レイヤと補助レイヤによって生成される合成画像をコピー対象データに決定する処理。
（３）図２４に示すフローのステップＳ２８１＝基本レイヤと補助レイヤ各々をコピー対象データに決定する処理
（４）図２５に示すフローのステップＳ３０７＝ユーザ選択、または情報処理装置に応じて選択された画像（ＳＤＲまたはＨＤＲ）に対応する付加情報としてペアストリーム制限情報に格納されているクリップ名からクリップ（クリップ情報ファイル／ストリームファイル）を取得し、選択ストリーム（ＨＤＲまたはＳＤＲ）対応のＰＩＤに基づいてコピー対象データを格納したパケットを、順次選択する処理。
（５）図２５に示すフローのステップＳ３０８＝ペアストリーム制限情報の設定値、すなわち、［１（ＳＤＲ）］，または［２（ＨＤＲ）］の設定値に応じて、選択された画像（ＳＤＲまたはＨＤＲ）に対応する付加情報として、ペアストリーム制限情報に格納されているクリップ名からクリップ（クリップ情報ファイル／ストリームファイル）を取得し、ストリーム対応のＰＩＤに基づいてコピー対象データを格納したパケットを、順次選択する処理。
【０３５９】
図２６に示すステップＳ４０１以下の処理は、上記の各処理（１）〜（５）が行われた後に実行される。
以下、ステップＳ４０１以下Ｓ４０１以下の各処理について説明する。
【０３６０】
（ステップＳ４０１）
まず、ステップＳ４０１において、コピー対象として選択されたデータの復号処理に適用するＣＰＳユニットキーを取得する。
ＣＰＳユニットキーは、例えばコピー対象として選択されたデータに対応付けられたタイトル情報に基づいて選択、取得することができる。
【０３６１】
（ステップＳ４０２）
次に、ステップＳ４０２において、ステップＳ４０１で取得したＣＰＳユニットキーを適用してコピー対象となるストリームファイルの復号処理を行う。
【０３６２】
（ステップＳ４０３）
次に、ステップＳ４０３において、コピー対象データを特定のアングル、音声、字幕を限定する処理を行う。これらは、例えばセレクション制限情報によるコピー許容データのアングル、音声、字幕、ペアストリーム制限情報の設定に対応したデータの抽出処理である。
【０３６３】
（ステップＳ４０４）
ステップＳ４０４では、選択データに対する圧縮符号化（Ｔｒａｎｓｃｏｄｅ）を実行する。これは、例えば、コピー先メディアに応じた処理として行う。
【０３６４】
（ステップＳ４０５）
次に、ステップＳ４０５において、コピー先メディアのフォーマットに対応した多重化ファィルを作成する。
例えば、コピー先メディアがＭＰ４フォーマットに従ったデータ記録を行う構成である場合は、先に図１０、図１１を参照して説明したＭＰ４フォーマットに応じたファイル等を生成する。
【０３６５】
（ステップＳ４０６）
次に、ステップＳ４０６においてコピー先メディアの著作権管理システム（ＤＲＭ）に応じた鍵を適用して暗号化する処理を行う。
【０３６６】
（ステップＳ４０７）
最後に、ステップＳ４０７において、暗号化されたストリームファイルと、その他の管理情報ファイル（プレイリスト、クリップ情報ファイル等）をコピー先メディアである第２メディア（本例ではフラッシュメモリ等）に記録する。
これらの処理によってコピー処理が完了する。
【０３６７】
なお、コピー処理に際して、コピー先メディア（第２メディア）に、管理サーバ１４０が情報処理装置１２０に提供した応答情報（Ｏｆｆｅｒ  Ｒｅｓｐｏｎｓｅ）に含まれる制限情報、すなわちコピー制限情報を併せて記録する構成としてもよい。
【０３６８】
コピー先メディア（第２メディア）からコピーデータの再生を実行する場合、応答情報（Ｏｆｆｅｒ  Ｒｅｓｐｏｎｓｅ）に含まれる制限情報、すなわちコピー制限情報を再生制限情報として適用させた再生制御を行うことが可能となる。
【０３６９】
［９．情報処理装置の構成例について］
次に、上述した実施例に従った処理を実行する情報処理装置の構成例について説明する。
【０３７０】
［９−１．フォーマット変換およびデータ記録処理を実行する情報処理装置の構成例について］
まず、図２７、図２８を参照してフォーマット変換およびデータ記録処理を実行する情報処理装置の構成例について説明する。
図２７に示す情報処理装置１２０は、第１メディア６１０に記録されたＭＰＥＧ−２ＴＳフォーマットデータを変換して生成したＭＰ４フォーマットデータを第２メディア６２０に記録する情報処理装置である。
【０３７１】
情報処理装置１２０は、例えばＢＤ（Ｂｌｕ−ｒａｙ（登録商標）  Ｄｉｓｃ）等の情報記録媒体である第１メディア６１０に記録されたデータを読み出し、フラッシュメモリ等の情報記録媒体である第２メディア６２０に記録する、いわゆるコピー処理を行なう。
あるいは、通信部６０３を介して入力したデータをフラッシュメモリ等の第２メディア６２０に記録する処理を行なう。
【０３７２】
なお、第１メディア６１０、あるいは通信部６０３を介して入力するデータのデータフォーマットを第１フォーマット、第２メディア６２０に対して記録するデータのフォーマットを第２フォーマットとする。
【０３７３】
情報処理装置は、第１メディア６１０、あるいは通信部６０３を介して入力する第１フォーマットのデータをフラッシュメモリ等の第２メディア６２０に記録する際に、第１フォーマットデータを第２フォーマットデータに変換する処理を行なう。
【０３７４】
なお、上述した実施例では、第１メディア６１０、または通信部６０３から入力するデータのフォーマットはＭＰＥＧ−２ＴＳフォーマットに従って記録された再生対象データを含むＢＤＭＶフォーマットデータであり、第２メディアの記録フォーマットはＭＰ４フォーマットである。
情報処理装置１００は、第２メディア６２０に対するデータ記録処理に際して、ＢＤＭＶフォーマットおよびＭＰＥＧ−２ＴＳフォーマットからＭＰ４フォーマットへのフォーマット変換を実行する。
【０３７５】
情報処理装置１２０は、図２７に示すように、制御部６０１、入力部６０２、通信部６０３、記憶部６０４、出力部６０５、第１メディアＩＦ（インタフェース）６０６、データバッファ６０７、データ変換部６０８、第２メディアＩＦ６０９を有する。
【０３７６】
制御部６０１は、データ処理部として機能し、メディアを利用したデータ記録再生、メディア間のデータコピー処理等、情報処理装置１２０において実行するデータ処理の制御を行う。これらの制御は、例えば記憶部６０４に格納されたプログラム従って行われる。
【０３７７】
入力部６０２は、ユーザの操作可能なスイッチ、ボタン、タッチパネル等の入力部であり、再生、コピー、記録等の様々な処理の指示入力などを行う入力部である。
また、入力部６０２は、メディアに記録する画像や音声等を入力する撮像部、マイクを持つ構成としてもよい。
通信部６０３は、例えば外部サーバ、あるいは外部機器との通信を行い、メディアに対する記録データや、記録データに関する制御情報、あるいはコピー処理の許可情報の取得など、各種の通信処理に利用される。
【０３７８】
記憶部６０４は、制御部６０１の実行するプログラムや、プログラム実行に用いるパラメータ等の記憶領域、さらにプログラム実行時のワーク領域等に利用される。
具体的には、第２メディア６２０に対するデータ記録時に第１メディア６１０から読み出したデータ、あるいは通信部６０３を介して入力したデータを一時的に格納する領域としても利用される。
記憶部６０４は、例えばＲＡＭ、ＲＯＭ等によって構成される。
出力部６０５は、外部装置に対する出力部や、メディアからの再生データの出力部によって構成される。例えば、第２メディア６２０に対するデータ記録処理の進行状況の表示、ユーザに対するメッセージ表示などに利用され、ディスプレイやスピーカ等を含む。
【０３７９】
第１メディアインタフェース（ＩＦ）６０６は、例えばＢＤ（Ｂｌｕ−ｒａｙ（登録商標）  Ｄｉｓｃ）等の第１メディア６１０に対するアクセスを行い、第１メディア６１０に対するデータ記録やデータ読み取りを行なうデータ記録再生部として機能するインタフェースである。
【０３８０】
データバッファ６０７は、第１メディア６１０からの読み出しデータや、通信部６０３から入力するデータを一時的に格納するバッファである。例えば第２メディア６２０に記録するデータを一時的に格納する。
データ変換部６０８は、第１メディア６１０の記録データ、あるいは通信部６０３を介して入力するデータのフォーマットである第１フォーマットのデータを、データ記録先である第２メディア６２０に記録する際のデータフォーマットである第２フォーマットに変換するフォーマット変換処理を実行する。
【０３８１】
第２メディアインタフェース（ＩＦ）６０９は、第２メディア６２０に対するアクセスを行い、第２メディア６２０に対するデータ記録あるいは読み取り処理を行なうデータ記録再生部として機能するインタフェースである。
【０３８２】
このように、情報処理装置１２０は、第１メディア６１０、あるいは通信部６０３を介して入力する第１フォーマットのデータをフラッシュメモリ等の第２メディア６２０に記録する処理を行なう。この処理の際に、第１フォーマットデータを第２フォーマットデータに変換する処理を行なう。
なお、第１フォーマットとは、例えはＢＤＭＶフォーマットまたはＭＰＥＧ−２ＴＳフォーマットデータであり、第２フォーマットは、ＭＰ４フォーマットデータである。
【０３８３】
なお、情報処理装置１２０は、第１メディア６１０から取得出来ないデータを外部のサーバから通信部６０３を介して取得し、第１メディア６１０からの読み取りデータと、通信部６０３を介して取得した受信データを併せて第２メディア６２０に記録する処理を行なってもよい。
【０３８４】
また、図２７に示す構成において、第１メディア６１０は、例えば、ＢＤ（Ｂｌｕ−ｒａｙ（登録商標）  Ｄｉｓｃ）である。第２メディア６２０は、例えばＳＤカード等のフラッシュメモリである。
なお、第１メディア６１０、第２メディア６２０は、上記の組み合わせに限らず、様々な組み合わせがせ可能である。
【０３８５】
次に、図２８を参照してデータ変換部６０８の詳細構成について説明する。
図２８に示すように、データ変換部６０８は、データ解析部６５０、属性情報（ＰＳＩ／ＳＩ）解析部６５１、画像データ変換部６５２、音声データ変換部６５３、字幕データ変換部６５４、多重化処理実行部６５５を有する。
【０３８６】
データ解析部６５０は、データバッファ６０７に格納された第１メディア６１０からの読み出しデータ、または通信部６０３を介して入力するデータ（パケット）に設定されたパケット識別子（ＰＩＤ）に基づいて、各データ（パケット）を、
画像データ、
音声データ、
字幕データ、
属性情報（ＰＳＩ／ＳＩ）、
これら各種類のデータに分類する。
【０３８７】
データ解析部６５０は、属性情報（ＰＳＩ／ＳＩ）を属性情報（ＰＳＩ／ＳＩ）解析部６５１に出力する。さらに画像データを画像データ変換部６５２に出力し、音声データを音声データ変換部６５３に出力し、字幕データを字幕データ変換部６５４に出力する。
【０３８８】
属性情報（ＰＳＩ／ＳＩ）解析部６５１は、ＰＳＩ／ＳＩ内のプログラムマップテーブル（ＰＭＴ）から、エレメンタリストリーム単位の属性情報を取得する。
プログラムマップテーブル（ＰＭＴ（Ｐｒｏｇｒａｍ  Ｍａｐ  Ｔａｂｌｅ）は、ＴＳパケットのパケット識別子となるＰＩＤとデータ種別の対応情報としてのマップを含む。ＴＳパケットに対する処理を実行する情報処理装置は、まずＰＭＴを参照して、画像、音声、字幕、その他の制御情報（属性情報）各々のデータに対応するＰＩＤを確認して、確認したデータ種別対応のＰＩＤに基づいて、受信パケットをデータ種類別に分離し、それぞれのデータ種類に応じた処理を行なう。
【０３８９】
プログラムマップテーブル（ＰＭＴ）には、画像エレメンタリストリームの画像属性情報等が記録されている。
ＰＭＴに記録されているストリーム（ＥＳ）単位の画像属性情報に基づいて、コピー対象となる画像ストリームを選択することができる。
【０３９０】
画像データ変換部６５２、音声データ変換部６５３、字幕データ変換部６５４は、入力データのデータフォーマットである第１フォーマット、例えばＭＰＥＧ−２ＴＳフォーマットデータを、第２メディア６２０に記録する第２フォーマット、具体的には例えばＭＰ４形式のフォーマットデータに変換する処理を実行する。
【０３９１】
すなわち、画像データ変換部６５２は、第２メディア６２０に対するデータ記録フォーマットであるＭＰ４フォーマットの画像データを生成して多重化処理実行部６５５に出力する。
音声データ変換部６５３は、ＭＰ４フォーマットの音声データを生成して多重化処理実行部６５５に出力する。
字幕データ変換部６５４は、ＭＰ４フォーマットの字幕データを生成して多重化処理実行部６５５に出力する。
【０３９２】
多重化処理部６５５は、
（ａ）画像データ生成部６５２の生成した第２フォーマット（ＭＰ４）形式の画像フォーマットデータ、
（ｂ）音声データ生成部６５３の生成した第２フォーマット（ＭＰ４）形式の音声フォーマットデータ、
（ｃ）字幕データ生成部６５４の生成した第２フォーマット（ＭＰ４）形式の字幕フォーマットデータ、
（ｄ）属性情報（ＰＳＩ／ＳＩ）解析部６５２が生成した第２フォーマット（ＭＰ４）形式のメタデータ、
例えば、これらの各データの多重化処理を実行して、第２フォーマット（ＭＰ４）形式の記録データを生成する。
【０３９３】
多重化処理実行部６５５の生成データは、第２メディアインタフェース６０９を介して第２メディア６２０に記録される。
【０３９４】
このように、情報処理装置１２０は、第１メディア６１０の記録データ、あるいは通信部６０３を介して入力する第１フォーマット（ＭＰＥＧ−２ＴＳフォーマット）のデータを、第２メディア６２０の記録フォーマットである第２フォーマット（ＭＰ４）に変換して、第２メディア６２０に記録する処理を実行する。
【０３９５】
［９−２．情報処理装置のハードウェア構成例について］
次に、データコピー、データ記録再生処理を実行する情報処理装置、およびコピー管理サーバのハードウェア構成例について、図２９を参照して説明する。
【０３９６】
ＣＰＵ（Ｃｅｎｔｒａｌ  Ｐｒｏｃｅｓｓｉｎｇ  Ｕｎｉｔ）７０１は、ＲＯＭ（Ｒｅａｄ  Ｏｎｌｙ  Ｍｅｍｏｒｙ）７０２、または記憶部７０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）７０３には、ＣＰＵ７０１が実行するプログラムやデータなどが記憶される。これらのＣＰＵ７０１、ＲＯＭ７０２、およびＲＡＭ７０３は、バス７０４により相互に接続されている。
【０３９７】
ＣＰＵ７０１はバス７０４を介して入出力インタフェース７０５に接続され、入出力インタフェース７０５には、各種スイッチ、キーボード、マウス、マイクロホンなどよりなる入力部７０６、ディスプレイ、スピーカなどよりなる出力部７０７が接続されている。ＣＰＵ７０１は、入力部７０６から入力される指令に対応して各種の処理を実行し、処理結果を例えば出力部７０７に出力する。
【０３９８】
入出力インタフェース７０５に接続されている記憶部７０８は、例えばハードディスク等からなり、ＣＰＵ７０１が実行するプログラムや各種のデータを記憶する。通信部７０９は、インターネットやローカルエリアネットワークなどのネットワークを介したデータ通信の送受信部、さらに放送波の送受信部として機能し、外部の装置と通信する。
【０３９９】
入出力インタフェース７０５に接続されているドライブ７１０は、磁気ディスク、光ディスク、光磁気ディスク、あるいはメモリカード等の半導体メモリなどのリムーバブルメディア７１１を駆動し、データの記録あるいは読み取りを実行する。
【０４００】
なお、データの符号化あるいは復号は、データ処理部としてのＣＰＵ７０１の処理として実行可能であるが、符号化処理あるいは復号処理を実行するための専用ハードウェアとしてのコーデックを備えた構成としてもよい。
【０４０１】
［１０．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０４０２】
なお、本明細書において開示した技術は、以下のような構成をとることができる。
（１）  第１メディアの記録データを第２メディアに記録するコピー処理を実行するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理装置。
【０４０３】
（２）  前記データ処理部は、
前記ダイナミックレンジスケーラビリティ制限情報の設定が、
（ａ）基本レイヤのみコピーすることを許容、
（ｂ）基本レイヤと補助レイヤとの双方のコピーを許容、
（ｃ）ダイナミックレンジスケーラビリティを持つストリームのコピーを許容しない、
上記（ａ）〜（ｃ）のいずれであるかを判別し、判別結果に応じて、コピーが許容されると判定されたレイヤデータを選択して前記第２メディアに対するコピー処理を行う前記（１）に記載の情報処理装置。
【０４０４】
（３）  前記データ処理部は、
前記ダイナミックレンジスケーラビリティ制限情報の設定が、
（ｂ）基本レイヤと補助レイヤとの双方のコピーを許容、
上記（ｂ）の設定である場合、
コピー処理実行装置、およびコピー先メディアからのデータ再生を実行する再生装置が、補助レイヤを解釈可能であるか否かを判定し、
いずれの装置も補助レイヤを解釈可能であると判定されたことを条件として、補助レイヤのコピー処理を実行する（２）に記載の情報処理装置。
【０４０５】
（４）  前記データ処理部は、
前記ダイナミックレンジスケーラビリティ制限情報の設定が、
（ｂ）基本レイヤと補助レイヤとの双方のコピーを許容、
上記（ｂ）の設定である場合、
コピー処理実行装置、およびコピー先メディアからのデータ再生を実行する再生装置が、補助レイヤを解釈可能であるか否かを判定し、
コピー処理実行装置のみが補助レイヤを解釈可能であると判定された場合、基本レイヤと補助レイヤから合成画像を生成し、生成した合成画像のコピー処理を実行する（２）に記載の情報処理装置。
【０４０６】
（５）  前記基本レイヤと補助レイヤの２つのレイヤを利用して再生可能な画像は、ＨＤＲ（Ｈｉｇｈ  Ｄｙｎａｍｉｃ  Ｒａｎｇｅ）画像である（１）〜（４）いずれかに記載の情報処理装置。
【０４０７】
（６）  前記基本レイヤと補助レイヤの２つのレイヤは、
基本レイヤが、１０ビット深度の符号化画像データ、
補助レイヤが、１２ビット深度に拡張するための補助データ、
これらのデータの組み合わせである（１）〜（５）いずれかに記載の情報処理装置。
【０４０８】
（７）  前記基本レイヤと補助レイヤの２つのレイヤは、
基本レイヤが、ＳＤＲ（Ｓｔａｎｄａｒｄ  Ｄｙｎａｍｉｃ  Ｒａｎｇｅ）画像符号化データ、
補助レイヤが、ＨＤＲ（Ｈｉｇｈ  Ｄｙｎａｍｉｃ  Ｒａｎｇｅ）画像生成用の補助データ、
これらのデータの組み合わせである（１）〜（５）いずれかに記載の情報処理装置。
【０４０９】
（８）  前記データ処理部は、
前記第２メディアからのコピーデータの再生を実行する再生装置が、前記ダイナミックレンジスケーラビリティ制限情報を再生許容情報として利用した再生制御が可能である場合に、前記ダイナミックレンジスケーラビリティ制限情報を含む属性ファイルを生成して、生成した属性ファイルを前記コピーデータとともに前記第２メディアに記録する（１）〜（７）いずれかに記載の情報処理装置。
【０４１０】
（９）  画像データの再生に用いられる基本レイヤ、および補助レイヤの各レイヤデータと、
各レイヤを利用した再生処理が許容されるか否かを記録したダイナミックレンジスケーラビリティ制限情報を記録した情報記録媒体であり、
再生装置が、前記情報記録媒体からデータ再生を行なう際に、
前記ダイナミックレンジスケーラビリティ制限情報を参照して、再生の許容されたレイヤデータのみを選択して再生することを可能とした情報記録媒体。
【０４１１】
（１０）  前記ダイナミックレンジスケーラビリティ制限情報の設定は、
（ａ）基本レイヤのみ再生を許容、
（ｂ）基本レイヤと補助レイヤとの双方を利用した再生を許容、
（ｃ）ダイナミックレンジスケーラビリティを持つストリームの再生を許容しない、
上記（ａ）〜（ｃ）のいずれかの設定である（９）に記載の情報記録媒体。
【０４１２】
（１１）  第１メディアの記録データを第２メディアに記録するコピー処理を実行するコピー実行装置に対して、コピー制限情報を提供するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信するコピー管理サーバ。
【０４１３】
（１２）  前記データ処理部は、
前記ダイナミックレンジスケーラビリティ制限情報の設定を、
（ａ）基本レイヤのみコピーすることを許容、
（ｂ）基本レイヤと補助レイヤとの双方のコピーを許容、
（ｃ）ダイナミックレンジスケーラビリティを持つストリームのコピーを許容しない、
上記（ａ）〜（ｃ）のいずれかの設定としたダイナミックレンジスケーラビリティ制限情報を含むコピー制限情報を生成して前記コピー実行装置に送信する（１１）に記載のコピー管理サーバ。
【０４１４】
（１３）  コピー管理サーバと、コピー実行装置を有する情報処理システムであり、
前記コピー管理サーバは、
前記コピー実行装置に対するコピー管理情報の提供処理を実行し、
前記コピー管理情報は、画像データの再生に用いられる基本レイヤ、および補助レイヤの各レイヤについて、コピーが許容されるか否かを記録したコピー制限情報であるダイナミックレンジスケーラビリティ制限情報を含み、
前記コピー実行装置は、
第１メディアの記録データを第２メディアに記録するコピー処理を実行するデータ処理部を有し、
前記データ処理部は、
画像データの再生に用いられる基本レイヤ、および補助レイヤの各レイヤについて、コピーが許容されるか否かを記録したコピー制限情報であるダイナミックレンジスケーラビリティ制限情報を前記コピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理システム。
【０４１５】
（１４）  前記コピー実行装置のデータ処理部は、
前記ダイナミックレンジスケーラビリティ制限情報の設定が、
（ａ）基本レイヤのみコピーすることを許容、
（ｂ）基本レイヤと補助レイヤとの双方のコピーを許容、
（ｃ）ダイナミックレンジスケーラビリティを持つストリームのコピーを許容しない、
上記（ａ）〜（ｃ）のいずれであるかを判別し、判別結果に応じて、コピーが許容されると判定されたレイヤデータを選択して前記第２メディアに対するコピー処理を行う（１３）に記載の情報処理システム。
【０４１６】
（１５）  情報処理装置において実行する情報処理方法であり、
前記情報処理装置は、第１メディアの記録データを第２メディアに記録するコピー処理を実行するデータ処理部を有し、
前記データ処理部が、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、
前記第１メディアに、基本レイヤと補助レイヤによって生成可能な画像データが記録されている場合、前記ダイナミックレンジスケーラビリティ制限情報を参照し、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピー処理を行う情報処理方法。
【０４１７】
（１６）  コピー管理サーバにおいて実行する情報処理方法であり、
前記コピー管理サーバは、第１メディアの記録データを第２メディアに記録するコピー処理を実行するコピー実行装置に対して、コピー制限情報を提供するデータ処理部を有し、
前記データ処理部が、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信する情報処理方法。
【０４１８】
（１７）  情報処理装置において情報処理を実行させるプログラムであり、
前記情報処理装置は、第１メディアの記録データを第２メディアに記録するコピー処理を実行するデータ処理部を有し、
前記プログラムは、前記データ処理部に、
画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信する処理と、
前記第１メディアに、基本レイヤと補助レイヤによって生成可能な画像データが記録されている場合、前記ダイナミックレンジスケーラビリティ制限情報を参照する処理と、
基本レイヤと補助レイヤの各レイヤについてコピーが許容されるか否かを判定し、コピーが許容されるレイヤデータ、またはコピー許容レイヤデータに基づいて生成される画像データを選択して、前記第２メディアに対するコピーする処理を実行させるプログラム。
【０４１９】
（１８）  コピー管理サーバにおいて情報処理を実行させるプログラムであり、
前記コピー管理サーバは、第１メディアの記録データを第２メディアに記録するコピー処理を実行するコピー実行装置に対して、コピー制限情報を提供するデータ処理部を有し、
前記プログラムは、前記データ処理部に、
画像データの再生に用いられる基本レイヤ、および補助レイヤの各レイヤについて、コピーが許容されるか否かを記録したコピー制限情報であるダイナミックレンジスケーラビリティ制限情報を含むコピー制限情報を生成して前記コピー実行装置に送信する処理を実行させるプログラム。
【０４２０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０４２１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０４２２】
以上、説明したように、本開示の一実施例の構成によれば、画像データの再生に用いられる基本レイヤ、および補助レイヤの各レイヤについての選択的コピー許可を可能とした構成が実現される。
具体的には、例えば、メディア間のデータコピー処理を実行するコピー実行装置が、画像データの再生に用いられる基本レイヤ、および補助レイヤの各レイヤについて、コピーが許容されるか否かを記録したコピー制限情報であるダイナミックレンジスケーラビリティ制限情報をコピー管理サーバから受信し、各レイヤについてコピーが許容されるか否かを判定し、コピーが許容されるレイヤデータ、またはコピー許容レイヤデータに基づいて生成される画像データを選択して、第２メディアにコピーする処理を行なう。
本構成により、画像データの再生に用いられる基本レイヤ、および補助レイヤの各レイヤについての選択的コピー許可を可能とした構成が実現される。
【符号の説明】
【０４２３】
１０  第１メディア
２０  情報処理装置
３０  第２メディア
５０  管理サーバ
５１  管理情報設定部
５２  データ部
１１０  第１メディア
１１１  コピー制御管理ファイル
１１２  管理データ
１１３  暗号化コンテンツ
１２０  情報処理装置
１２１  コピー許容リスト
１２２  コピー許可情報
１３１  サーバ応答情報
１３２  決済データ
１４０  管理サーバ
１５０  第２メディア
１５１  暗号化コンテンツ
１８１  ＢＤＭＶフォーマットデータ
１８２  ＭＰ４フォーマットデータ
６０１  制御部
６０２  入力部
６０３  通信部
６０４  記憶部
６０５  出力部
６０６  第１メディアインタフェース
６０７  データバッファ
６０８  データ変換部
６０９  第２メディアインタフェース
６１０  第１メディア
６２０  第２メディア
６５０  データ解析部
６５１  属性情報（ＰＳＩ／ＳＩ）解析部
６５２  画像データ変換部
６５３  音声データ変換部
６５４  字幕データ変換部
６５５  多重化処理部
７０１  ＣＰＵ
７０２  ＲＯＭ
７０３  ＲＡＭ
７０４  バス
７０５  入出力インタフェース
７０６  入力部
７０７  出力部
７０８  記憶部
７０９  通信部
７１０  ドライブ
７１１  リムーバブルメディア
【図１】
2017002540.tif 000003
【図２】
2017002540.tif 000004
【図３】
2017002540.tif 000005
【図４】
2017002540.tif 000006
【図５】
2017002540.tif 000007
【図６】
2017002540.tif 000008
【図７】
2017002540.tif 000009
【図８】
2017002540.tif 000010
【図９】
2017002540.tif 000011
【図１０】
2017002540.tif 000012
【図１１】
2017002540.tif 000013
【図１２】
2017002540.tif 000014
【図１３】
2017002540.tif 000015
【図１４】
2017002540.tif 000016
【図１５】
2017002540.tif 000017
【図１６】
2017002540.tif 000018
【図１７】
2017002540.tif 000019
【図１８】
2017002540.tif 000020
【図１９】
2017002540.tif 000021
【図２０】
2017002540.tif 000022
【図２１】
2017002540.tif 000023
【図２２】
2017002540.tif 000024
【図２３】
2017002540.tif 000025
【図２４】
2017002540.tif 000026
【図２５】
2017002540.tif 000027
【図２６】
2017002540.tif 000028
【図２７】
2017002540.tif 000029
【図２８】
2017002540.tif 000030
【図２９】
2017002540.tif 000031
【国際調査報告】
2017002540.tif 000032
2017002540.tif 000033
2017002540.tif 000034
2017002540.tif 000035